(57)【要約】  本発明の実施形態は、参照信号伝送方法、装置およびシステムを開示し、無線通信技術の分野に関連する。方法は、ネットワークデバイスによって送信された物理層シグナリングを受信する段階であって、物理層シグナリングは構成情報を含み、構成情報は参照信号の時間領域リソースを指示するために使用される、段階と、構成情報に従って、参照信号の時間領域リソースを決定する段階と、参照信号および第１物理チャネルをネットワークデバイスへ送信する段階であって、参照信号は第１物理チャネルの復調に使用される、段階とを備える。本発明は参照信号構成の柔軟性を改善できる。
2019503625.tif 000002
【特許請求の範囲】
【請求項１】
参照信号を伝送する方法であって、
端末デバイスが物理層シグナリングを受信する段階であって、前記物理層シグナリングは構成情報を含み、前記構成情報は、参照信号の時間領域リソースを指示するために使用される、段階と、
前記端末デバイスが、前記構成情報に従って、前記参照信号の前記時間領域リソースを決定する段階と、
前記端末デバイスが、前記参照信号および第１物理チャネルを送信する段階であって、前記参照信号は前記第１物理チャネルの復調のために使用される、段階と
を備える方法。
【請求項２】
前記構成情報は、Ｎ種類の参照信号時間領域構成のうちの１種類を指示するために使用され、Ｎは正の整数であり、前記Ｎ種類の参照信号時間領域構成のうちの任意の２種類は、前記参照信号によって占有される異なる時間領域リソースを指示する、請求項１に記載の方法。
【請求項３】
前記構成情報は、前記参照信号および前記第１物理チャネルが同一の伝送時間間隔ＴＴＩに位置すること、または、前記第１物理チャネルが位置するＴＴＩの前のｋ番目のＴＴＩに前記参照信号が位置することを指示し、ｋは正の整数である、請求項１に記載の方法。
【請求項４】
前記参照信号および前記第１物理チャネルは、同一のＴＴＩに位置し、前記構成情報は、前記参照信号が前記ＴＴＩにおける１番目のシンボルまたは最後のシンボルに位置することを指示するために使用される、請求項１に記載の方法。
【請求項５】
前記参照信号および前記第１物理チャネルは、同一のタイムスロットまたはサブフレームに位置し、前記構成情報は、前記タイムスロットにおけるａ番目のシンボル、または、前記サブフレームにおけるｂ番目のシンボルに前記参照信号が位置することを指示するために使用され、ａは１または４であり、ｂは１、４、８または１１である、請求項１に記載の方法。
【請求項６】
前記参照信号および前記第１物理チャネルは、同一のタイムスロットに位置し、前記構成情報は、前記タイムスロットにおける１番目のシンボル、または、前記タイムスロットにおける１番目のシンボルおよび４番目のシンボルに前記参照信号が位置することを指示するために使用される、請求項１に記載の方法。
【請求項７】
前記方法はさらに、
前記端末デバイスが第２物理チャネルを送信する段階であって、前記参照信号は、前記第２物理チャネルの復調に使用され、前記第１物理チャネルおよび前記第２物理チャネルは異なるＴＴＩに位置する、段階を備える、請求項１から６のいずれか一項に記載の方法。
【請求項８】
前記構成情報はさらに、番号が偶数であるサブキャリア、または、番号が奇数であるサブキャリアに前記参照信号が位置することを指示するために使用され、
前記端末デバイスが、前記構成情報に従って、前記参照信号の前記時間領域リソースを決定する前記段階は、
前記端末デバイスが、前記構成情報に従って、前記参照信号の前記時間領域リソースを決定し、前記構成情報に従って、番号が偶数である前記サブキャリア、または、番号が奇数である前記サブキャリアに前記参照信号が位置すると決定する段階と
を含む、請求項１から７のいずれか一項に記載の方法。
【請求項９】
前記物理層シグナリングはダウンリンク制御情報ＤＣＩであり、前記ＤＣＩはマルチキャストシグナリングである、または、前記ＤＣＩはユニキャストシグナリングである、請求項１から８のいずれか一項に記載の方法。
【請求項１０】
参照信号を伝送する方法であって、
ネットワークデバイスが第１物理層シグナリングを送信する段階であって、前記第１物理層シグナリングは第１構成情報を含み、前記第１構成情報は、第１参照信号の時間領域リソースを指示するために使用される、段階と、
前記ネットワークデバイスが、前記第１参照信号および第１物理チャネルを受信する段階と、
前記ネットワークデバイスが、前記第１参照信号に従って、前記第１物理チャネルを復調する段階と
を備える方法。
【請求項１１】
前記第１構成情報は、Ｎ種類の参照信号時間領域構成のうちの１種類を指示するために使用され、Ｎは正の整数であり、前記Ｎ種類の参照信号時間領域構成のうちの任意の２種類は、前記参照信号によって占有される異なる時間領域リソースを指示する、請求項１０に記載の方法。
【請求項１２】
前記第１構成情報は、前記第１参照信号および前記第１物理チャネルが同一の伝送時間間隔ＴＴＩに位置すること、または、前記第１物理チャネルが位置するＴＴＩの前のｋ番目のＴＴＩに前記第１参照信号が位置することを指示し、ｋは正の整数である、請求項１０に記載の方法。
【請求項１３】
前記第１参照信号および前記第１物理チャネルは、同一のＴＴＩに位置し、前記第１構成情報は、前記第１参照信号が前記ＴＴＩにおける１番目のシンボルまたは最後のシンボルに位置することを指示するために使用される、請求項１０に記載の方法。
【請求項１４】
前記第１参照信号および前記第１物理チャネルは、同一のタイムスロットまたはサブフレームに位置し、前記第１構成情報は、前記タイムスロットにおけるａ番目のシンボル、または、前記サブフレームにおけるｂ番目のシンボルに前記第１参照信号が位置することを指示するために使用され、ａは１または４であり、ｂは１、４、８または１１である、請求項１０に記載の方法。
【請求項１５】
前記第１参照信号および前記第１物理チャネルは、同一のタイムスロットに位置し、前記第１構成情報は、前記タイムスロットにおける１番目のシンボル、または、前記タイムスロットにおける１番目のシンボルおよび４番目のシンボルに前記第１参照信号が位置することを指示するために使用される、請求項１０に記載の方法。
【請求項１６】
前記方法はさらに、
前記ネットワークデバイスが第２物理チャネルを受信する段階であって、前記第１物理チャネルおよび前記第２物理チャネルは異なるＴＴＩに位置する、段階と、
前記ネットワークデバイスが、前記第１参照信号に従って、前記第２物理チャネルを復調する段階と
を備える、請求項１０から１５のいずれか一項に記載の方法。
【請求項１７】
前記第１構成情報はさらに、番号が偶数であるサブキャリア、または、番号が奇数であるサブキャリアに前記第１参照信号が位置することを指示するために使用される、請求項１０から１６のいずれか一項に記載の方法。
【請求項１８】
前記ネットワークデバイスが第２物理層シグナリングを送信する段階であって、前記第２物理層シグナリングは第２構成情報を含み、前記第２構成情報は、第２参照信号の時間領域リソースを指示するために使用される、段階と、
前記ネットワークデバイスが前記第２参照信号および第３物理チャネルを受信する段階であって、前記第２参照信号および前記第１参照信号は同一の時間領域リソースに位置し、前記第１物理チャネルおよび前記第３物理チャネルは異なるＴＴＩに位置する、段階と、
前記ネットワークデバイスが、前記第２参照信号に従って、前記第３物理チャネルを復調する段階と
をさらに備える、請求項１０から１７のいずれか一項に記載の方法。
【請求項１９】
前記第１物理層シグナリングは第１ＤＣＩであり、前記第２物理層シグナリングは第２ＤＣＩであり、前記第１ＤＣＩもしくは前記第２ＤＣＩもしくはその両方はユニキャストシグナリングである、または、前記第１ＤＣＩおよび前記第２ＤＣＩは同一のＤＣＩでありマルチキャストシグナリングである、請求項１０から１８のいずれか一項に記載の方法。
【請求項２０】
受信器、プロセッサおよび送信器を備える端末デバイスであって、
前記受信器は物理層シグナリングを受信するように構成され、前記物理層シグナリングは構成情報を含み、前記構成情報は参照信号の時間領域リソースを指示するために使用され、
前記プロセッサは、前記受信器によって受信された前記構成情報に従って、前記参照信号の前記時間領域リソースを決定するように構成され、
前記送信器は、前記プロセッサによって決定された前記参照信号および第１物理チャネルを送信するように構成され、前記参照信号は前記第１物理チャネルの復調のために使用される、
端末デバイス。
【請求項２１】
前記構成情報は、Ｎ種類の参照信号時間領域構成のうちの１種類を指示するために使用され、Ｎは正の整数であり、前記Ｎ種類の参照信号時間領域構成のうちの任意の２種類は、前記参照信号によって占有される異なる時間領域リソースを指示する、請求項２０に記載の端末デバイス。
【請求項２２】
前記構成情報は、前記参照信号および前記第１物理チャネルが同一の伝送時間間隔ＴＴＩに位置すること、または、前記第１物理チャネルが位置するＴＴＩの前のｋ番目のＴＴＩに前記参照信号が位置することを指示し、ｋは正の整数である、請求項２０に記載の端末デバイス。
【請求項２３】
前記参照信号および前記第１物理チャネルは、同一のＴＴＩに位置し、前記構成情報は、前記参照信号が前記ＴＴＩにおける１番目のシンボルまたは最後のシンボルに位置することを指示するために使用される、請求項２０に記載の端末デバイス。
【請求項２４】
前記参照信号および前記第１物理チャネルは、同一のタイムスロットまたはサブフレームに位置し、前記構成情報は、前記タイムスロットにおけるａ番目のシンボル、または、前記サブフレームにおけるｂ番目のシンボルに前記参照信号が位置することを指示するために使用され、ａは１または４であり、ｂは１、４、８または１１である、請求項２０に記載の端末デバイス。
【請求項２５】
前記参照信号および前記第１物理チャネルは、同一のタイムスロットに位置し、前記構成情報は、前記タイムスロットにおける１番目のシンボル、または、前記タイムスロットにおける１番目のシンボルおよび４番目のシンボルに前記参照信号が位置することを指示するために使用される、請求項２０に記載の端末デバイス。
【請求項２６】
前記送信器はさらに、第２物理チャネルを送信するように構成され、前記参照信号は、前記第２物理チャネルの復調に使用され、前記第１物理チャネルおよび前記第２物理チャネルは異なるＴＴＩに位置する、請求項２０から２５のいずれか一項に記載の端末デバイス。
【請求項２７】
前記構成情報はさらに、番号が偶数であるサブキャリア、または、番号が奇数であるサブキャリアに前記参照信号が位置することを指示するために使用され、
前記プロセッサは具体的には、前記構成情報に従って、前記参照信号の前記時間領域リソースを決定し、前記構成情報に従って、番号が偶数である前記サブキャリア、または、番号が奇数である前記サブキャリアに前記参照信号が位置すると決定するように構成されている、
請求項２０から２６のいずれか一項に記載の端末デバイス。
【請求項２８】
前記物理層シグナリングはダウンリンク制御情報ＤＣＩであり、前記ＤＣＩはマルチキャストシグナリングである、または、前記ＤＣＩはユニキャストシグナリングである、請求項２０から２７のいずれか一項に記載の端末デバイス。
【請求項２９】
送信器、受信器およびプロセッサを備えるネットワークデバイスであって、
前記送信器は、第１物理層シグナリングを送信するように構成され、前記第１物理層シグナリングは第１構成情報を含み、前記第１構成情報は、第１参照信号の時間領域リソースを指示するために使用され、
前記受信器は、前記第１参照信号および第１物理チャネルを受信するように構成され、
前記プロセッサは、前記受信器によって受信される前記第１参照信号に従って、前記第１物理チャネルを復調するように構成されている、
ネットワークデバイス。
【請求項３０】
前記第１構成情報は、Ｎ種類の参照信号時間領域構成のうちの１種類を指示するために使用され、Ｎは正の整数であり、前記Ｎ種類の参照信号時間領域構成のうちの任意の２種類は、前記参照信号によって占有される異なる時間領域リソースを指示する、請求項２９に記載のネットワークデバイス。
【請求項３１】
前記第１構成情報は、前記第１参照信号および前記第１物理チャネルが同一の伝送時間間隔ＴＴＩに位置すること、または、前記第１物理チャネルが位置するＴＴＩの前のｋ番目のＴＴＩに前記第１参照信号が位置することを指示し、ｋは正の整数である、請求項２９に記載のネットワークデバイス。
【請求項３２】
前記第１参照信号および前記第１物理チャネルは、同一のＴＴＩに位置し、前記第１構成情報は、前記第１参照信号が前記ＴＴＩにおける１番目のシンボルまたは最後のシンボルに位置することを指示するために使用される、請求項２９に記載のネットワークデバイス。
【請求項３３】
前記第１参照信号および前記第１物理チャネルは、同一のタイムスロットまたはサブフレームに位置し、前記第１構成情報は、前記タイムスロットにおけるａ番目のシンボル、または、前記サブフレームにおけるｂ番目のシンボルに前記第１参照信号が位置することを指示するために使用され、ａは１または４であり、ｂは１、４、８または１１である、請求項２９に記載のネットワークデバイス。
【請求項３４】
前記第１参照信号および前記第１物理チャネルは、同一のタイムスロットに位置し、前記第１構成情報は、前記タイムスロットにおける１番目のシンボル、または、前記タイムスロットにおける１番目のシンボルおよび４番目のシンボルに前記第１参照信号が位置することを指示するために使用される、請求項２９に記載のネットワークデバイス。
【請求項３５】
前記受信器はさらに、
第２物理チャネルを受信するように構成され、前記第１物理チャネルおよび前記第２物理チャネルは異なるＴＴＩに位置し、
前記プロセッサはさらに、前記第１参照信号に従って前記第２物理チャネルを復調するように構成されている、
請求項２９から３４のいずれか一項に記載のネットワークデバイス。
【請求項３６】
前記第１構成情報はさらに、番号が偶数であるサブキャリア、または、番号が奇数であるサブキャリアに前記第１参照信号が位置することを指示するために使用される、請求項２９から３５のいずれか一項に記載のネットワークデバイス。
【請求項３７】
前記送信器はさらに、第２物理層シグナリングを送信するように構成され、前記第２物理層シグナリングは第２構成情報を含み、前記第２構成情報は第２参照信号の時間領域リソースを指示するために使用され、
前記受信器はさらに、前記第２参照信号および第３物理チャネルを受信するように構成され、前記第２参照信号および前記第１参照信号は同一の時間領域リソースに位置し、前記第１物理チャネルおよび前記第３物理チャネルは異なるＴＴＩに位置し、
前記プロセッサはさらに、前記第２参照信号に従って、前記第３物理チャネルを復調するように構成されている、
請求項２９から３６のいずれか一項に記載のネットワークデバイス。
【請求項３８】
前記第１物理層シグナリングは第１ＤＣＩであり、前記第２物理層シグナリングは第２ＤＣＩであり、前記第１ＤＣＩもしくは前記第２ＤＣＩもしくはその両方はユニキャストシグナリングである、または、前記第１ＤＣＩおよび前記第２ＤＣＩは同一のＤＣＩでありマルチキャストシグナリングである、請求項２９から３７のいずれか一項に記載のネットワークデバイス。
【請求項３９】
物理層シグナリングを受信するように構成され、前記物理層シグナリングは構成情報を含み、前記構成情報は参照信号の時間領域リソースを指示するために使用される、受信モジュールと、
前記受信モジュールによって受信された前記構成情報に従って、前記参照信号の前記時間領域リソースを決定するように構成されている決定モジュールと、
前記決定モジュールによって決定された前記参照信号および第１物理チャネルを送信するように構成され、前記参照信号は前記第１物理チャネルの復調のために使用される、送信モジュールと
を備える端末デバイス。
【請求項４０】
前記構成情報は、Ｎ種類の参照信号時間領域構成のうちの１種類を指示するために使用され、Ｎは正の整数であり、前記Ｎ種類の参照信号時間領域構成のうちの任意の２種類は、前記参照信号によって占有される異なる時間領域リソースを指示する、請求項３９に記載の端末デバイス。
【請求項４１】
前記構成情報は、前記参照信号および前記第１物理チャネルが同一の伝送時間間隔ＴＴＩに位置すること、または、前記第１物理チャネルが位置するＴＴＩの前のｋ番目のＴＴＩに前記参照信号が位置することを指示し、ｋは正の整数である、請求項３９に記載の端末デバイス。
【請求項４２】
前記参照信号および前記第１物理チャネルは、同一のＴＴＩに位置し、前記構成情報は、前記参照信号が前記ＴＴＩにおける１番目のシンボルまたは最後のシンボルに位置することを指示するために使用される、請求項３９に記載の端末デバイス。
【請求項４３】
前記参照信号および前記第１物理チャネルは、同一のタイムスロットまたはサブフレームに位置し、前記構成情報は、前記タイムスロットにおけるａ番目のシンボル、または、前記サブフレームにおけるｂ番目のシンボルに前記参照信号が位置することを指示するために使用され、ａは１または４であり、ｂは１、４、８または１１である、請求項３９に記載の端末デバイス。
【請求項４４】
前記参照信号および前記第１物理チャネルは、同一のタイムスロットに位置し、前記構成情報は、前記タイムスロットにおける１番目のシンボル、または、前記タイムスロットにおける１番目のシンボルおよび４番目のシンボルに前記参照信号が位置することを指示するために使用される、請求項３９に記載の端末デバイス。
【請求項４５】
前記送信モジュールはさらに、第２物理チャネルを送信するように構成され、前記参照信号は、前記第２物理チャネルの復調に使用され、前記第１物理チャネルおよび前記第２物理チャネルは異なるＴＴＩに位置する、請求項３９から４４のいずれか一項に記載の端末デバイス。
【請求項４６】
前記構成情報はさらに、番号が偶数であるサブキャリア、または、番号が奇数であるサブキャリアに前記参照信号が位置することを指示するために使用され、
前記決定モジュールは具体的には、前記端末デバイスによって、前記構成情報に従って、前記参照信号の前記時間領域リソースを決定し、前記構成情報に従って、番号が偶数である前記サブキャリア、または、番号が奇数である前記サブキャリアに前記参照信号が位置すると決定するように構成されている、
請求項３９から４５のいずれか一項に記載の端末デバイス。
【請求項４７】
前記物理層シグナリングはダウンリンク制御情報ＤＣＩであり、前記ＤＣＩはマルチキャストシグナリングである、または、前記ＤＣＩはユニキャストシグナリングである、請求項３９から４６のいずれか一項に記載の端末デバイス。
【請求項４８】
第１物理層シグナリングを送信するように構成され、前記第１物理層シグナリングは第１構成情報を含み、前記第１構成情報は、第１参照信号の時間領域リソースを指示するために使用される、送信モジュールと
前記第１参照信号および第１物理チャネルを受信するように構成されている受信モジュールと、
前記受信モジュールによって受信される前記第１参照信号に従って、前記第１物理チャネルを復調するように構成されている復調モジュールと
を備えるネットワークデバイス。
【請求項４９】
前記第１構成情報は、Ｎ種類の参照信号時間領域構成のうちの１種類を指示するために使用され、Ｎは正の整数であり、前記Ｎ種類の参照信号時間領域構成のうちの任意の２種類は、前記参照信号によって占有される異なる時間領域リソースを指示する、請求項４８に記載のネットワークデバイス。
【請求項５０】
前記第１構成情報は、前記第１参照信号および前記第１物理チャネルが同一の伝送時間間隔ＴＴＩに位置すること、または、前記第１物理チャネルが位置するＴＴＩの前のｋ番目のＴＴＩに前記第１参照信号が位置することを指示し、ｋは正の整数である、請求項４８に記載のネットワークデバイス。
【請求項５１】
前記第１参照信号および前記第１物理チャネルは、同一のＴＴＩに位置し、前記第１構成情報は、前記第１参照信号が前記ＴＴＩにおける１番目のシンボルまたは最後のシンボルに位置することを指示するために使用される、請求項４８に記載のネットワークデバイス。
【請求項５２】
前記第１参照信号および前記第１物理チャネルは、同一のタイムスロットまたはサブフレームに位置し、前記第１構成情報は、前記タイムスロットにおけるａ番目のシンボル、または、前記サブフレームにおけるｂ番目のシンボルに前記第１参照信号が位置することを指示するために使用され、ａは１または４であり、ｂは１、４、８または１１である、請求項４８に記載のネットワークデバイス。
【請求項５３】
前記第１参照信号および前記第１物理チャネルは、同一のタイムスロットに位置し、前記第１構成情報は、前記タイムスロットにおける１番目のシンボル、または、前記タイムスロットにおける１番目のシンボルおよび４番目のシンボルに前記第１参照信号が位置することを指示するために使用される、請求項４８に記載のネットワークデバイス。
【請求項５４】
前記受信モジュールはさらに、
第２物理チャネルを受信するように構成され、前記第１物理チャネルおよび前記第２物理チャネルは異なるＴＴＩに位置し、
前記復調モジュールさらに、前記第１参照信号に従って前記第２物理チャネルを復調するように構成されている、
請求項４８から５３のいずれか一項に記載のネットワークデバイス。
【請求項５５】
前記第１構成情報はさらに、番号が偶数であるサブキャリア、または、番号が奇数であるサブキャリアに前記第１参照信号が位置することを指示するために使用される、請求項４８から５４のいずれか一項に記載のネットワークデバイス。
【請求項５６】
前記送信モジュールはさらに、第２物理層シグナリングを送信するように構成され、前記第２物理層シグナリングは第２構成情報を含み、前記第２構成情報は第２参照信号の時間領域リソースを指示するために使用され、
前記受信モジュールはさらに、前記第２参照信号および第３物理チャネルを受信するように構成され、前記第２参照信号および前記第１参照信号は同一の時間領域リソースに位置し、前記第１物理チャネルおよび前記第３物理チャネルは異なるＴＴＩに位置し、
前記復調モジュールはさらに、前記第２参照信号に従って、前記第３物理チャネルを復調するように構成されている、
請求項４８から５５のいずれか一項に記載のネットワークデバイス。
【請求項５７】
前記第１物理層シグナリングは第１ＤＣＩであり、前記第２物理層シグナリングは第２ＤＣＩであり、前記第１ＤＣＩもしくは前記第２ＤＣＩもしくはその両方はユニキャストシグナリングである、または、前記第１ＤＣＩおよび前記第２ＤＣＩは同一のＤＣＩでありマルチキャストシグナリングである、請求項４８から５６のいずれか一項に記載のネットワークデバイス。
【請求項５８】
参照信号伝送のシステムであって、端末デバイスおよびネットワークデバイスを備え、
前記端末デバイスは、物理層シグナリングを受信することであって、前記物理層シグナリングは構成情報を含み、前記構成情報は、参照信号の時間領域リソースを指示するために使用される、こと、前記構成情報に従って、前記参照信号の前記時間領域リソースを決定すること、および、前記参照信号および第１物理チャネルを送信することであって、前記参照信号は前記第１物理チャネルの復調に使用される、ことを行うように構成され、
前記ネットワークデバイスは、前記物理層シグナリングを送信し、前記参照信号および前記第１物理チャネルを受信し、前記参照信号に従って前記第１物理チャネルを復調するように構成されている、
システム。
【発明の詳細な説明】
【技術分野】
【０００１】
本発明は、無線通信技術の分野に関し、特に、参照信号伝送方法、装置およびシステムに関する。
【背景技術】
【０００２】
アップリンク伝送の場合、端末デバイスは、アップリンク物理チャネルおよびアップリンク参照信号をネットワークデバイスへ送信し、ネットワークデバイスは、アップリンク物理チャネルおよびアップリンク参照信号を受信した後に、アップリンク参照信号に従ってチャネル推定を実行し、次に、推定されたチャネル値に従ってアップリンク物理チャネルを復調する。一方、ダウンリンク伝送の場合、端末デバイスは、ネットワークデバイスによって送信された、ダウンリンク物理チャネルおよびダウンリンク参照信号を受信し、ダウンリンク参照信号に従ってチャネル推定を実行し、次に、推定されたチャネル値に従ってダウンリンク物理チャネルを復調する。
【０００３】
既存のシステムにおいて、アップリンク／ダウンリンク参照信号およびアップリンク／ダウンリンク物理チャネルは、同一のＴＴＩ（Ｔｒａｎｓｍｉｓｓｉｏｎ  Ｔｉｍｅ  Ｉｎｔｅｒｖａｌ、伝送時間間隔）に位置し、アップリンク／ダウンリンク参照信号は、ＴＴＩにおける固定時間領域リソースを占有する。例えば、ＰＵＳＣＨ（Ｐｈｙｓｉｃａｌ  Ｕｐｌｉｎｋ  Ｓｈａｒｅｄ  Ｃｈａｎｎｅｌ、物理アップリンク共有チャネル）復調のために使用される参照信号は常に、タイムスロットにおける４番目のシンボル上に位置する。
【０００４】
本発明を実装する過程において、発明者は、従来技術に少なくとも以下の問題があることを発見した。上述の処理方式に基づくと、各物理チャネルは、対応する参照信号を有し、対応する参照信号は、物理チャネルが位置するＴＴＩにおける固定された時間領域リソースを占有する。したがって、参照信号構成は低い柔軟性を有する。
【発明の概要】
【０００５】
参照信号構成を比較的柔軟に実装するために、本発明の実施形態は、参照信号伝送方法、装置およびシステムを提供する。技術的解決法は以下の通りである。
【０００６】
第１態様によれば、参照信号伝送方法が提供され、当該方法は、端末デバイスが、ネットワークデバイスによって送信された物理層シグナリングを受信する段階であって、物理層シグナリングは構成情報を含み、構成情報は、参照信号の時間領域リソースを指示するために使用される、段階と、端末デバイスが、構成情報に従って、参照信号の時間領域リソースを決定する段階と、端末デバイスが、参照信号および第１物理チャネルをネットワークデバイスへ送信する段階であって、参照信号は第１物理チャネルの復調のために使用される、段階とを備える。
【０００７】
ネットワークデバイスが物理層シグナリングを端末デバイスへ送信した後に、端末デバイスは、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。端末デバイスは、ネットワークデバイスによって送信された物理層シグナリングを受信した後に、物理層シグナリングに含まれる構成情報に従って参照信号の時間領域リソースを決定し得る。具体的には、参照信号のＮ種類の予め定められた参照信号時間領域構成は、端末デバイスに予め記憶され得て、端末デバイスは、ネットワークデバイスによって送信された物理層シグナリングを受信した後に、物理層シグナリングに含まれる構成情報によって指示された構成方式に従って、参照信号の時間領域リソースを決定し得る。次に、端末デバイスは参照信号および第１物理チャネルをネットワークデバイスへ送信し得て、参照信号は、第１物理チャネルの復調に使用される。
【０００８】
第１態様に関連して、第１態様の第１の可能な実装において、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０００９】
第１態様に関連して、第１態様の第２の可能な実装において、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【００１０】
端末デバイスは、構成情報に従って、参照信号および第１物理チャネルが同一のＴＴＩに位置すると、または、第１物理チャネルが位置するＴＴＩの前のｋ番目のＴＴＩに参照信号が位置すると決定し、ｋは正の整数である。例えば、ｋは１、２、または３である。言い換えれば、端末デバイスは、参照信号の時間領域リソースのための構成情報に従って、第１物理チャネルが位置するＴＴＩの前のｋ番目のＴＴＩに参照信号が位置すると決定し、ｋは非負整数である。例えば、ｋは０、１、２、または３である。任意で、構成情報が、ｋは０であることを指示するとき、端末デバイスは、第１物理チャネルが、第１物理チャネルが位置するＴＴＩにおけるいくつかのシンボルを占有する（参照信号は当該いくつかのシンボルを占有しない）と決定する、または、構成情報が、ｋは０より大きいことを指示するとき、端末デバイスは、第１物理チャネルが、第１物理チャネルが位置するＴＴＩにおけるすべてのシンボルを占有すると決定する。
【００１１】
第１態様に関連して、第１態様の第３の可能な実装において、参照信号および第１物理チャネルは同一のＴＴＩに位置し、構成情報は、参照信号がＴＴＩにおける１番目のシンボルまたは最後のシンボルに位置することを指示するために使用される。
【００１２】
端末デバイスは、構成情報に従って、参照信号および第１物理チャネルが同一のＴＴＩに位置すると、および、参照信号がＴＴＩにおける１番目のシンボルまたは最後のシンボルに位置すると決定する。すなわち、参照信号は、第１物理チャネルの前のシンボルに位置するか、または、参照信号は、第１物理チャネルの後のシンボルに位置する。任意で、端末デバイスは、構成情報に従って、第１物理チャネルがＴＴＩにおける１番目のシンボルまたは最後のシンボルを占有しないと決定する。
【００１３】
第１態様に関連して、第１態様の第４の可能な実装において、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８または１１である。
【００１４】
端末デバイスは、構成情報に従って、参照信号がタイムスロットにおけるａ番目のシンボル、または、サブフレームにおけるｂ番目のシンボルに位置すると決定し、タイムスロットまたはサブフレームは、第１物理チャネルが位置するタイムスロットまたはサブフレームである。例えば、構成情報は、第１物理チャネルが位置するタイムスロットにおける１番目のシンボルまたは４番目のシンボルに参照信号が位置することを指示するために使用され得る。例えば、構成情報は、第１物理チャネルが位置するサブフレームにおける１番目のシンボル、４番目のシンボル、８番目のシンボル、または１１番目のシンボルに参照信号が位置することを指示するために使用され得る。任意で、端末デバイスは、構成情報に従って、第１物理チャネルがタイムスロットにおけるａ番目のシンボル、または、サブフレームにおけるｂ番目のシンボルを占有しないと決定する。
【００１５】
第１態様に関連して、第１態様の第５の可能な実装において、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【００１６】
端末デバイスは、構成情報に従って、参照信号がタイムスロットにおけるｃ番目のシンボル、または、サブフレームにおけるｄ番目のシンボルに位置すると決定し、タイムスロットまたはサブフレームは、第１物理チャネルが位置するタイムスロットまたはサブフレームである。任意で、端末デバイスは、構成情報に従って、第１物理チャネルがタイムスロットにおけるｃ番目のシンボル、または、サブフレームにおけるｄ番目のシンボルを占有しないと決定する。
【００１７】
第１態様、または、第１態様の第１から第５の可能な実装に関連して、第１態様の第６の可能な実装において、方法はさらに、端末デバイスが、第２物理チャネルをネットワークデバイスへ送信する段階であって、参照信号は、第２物理チャネルの復調に使用され、第１物理チャネルおよび第２物理チャネルは異なるＴＴＩに位置する、段階を備える。
【００１８】
端末デバイスはさらに、第２物理チャネルをネットワークデバイスへ送信し得て、第１物理チャネルおよび第２物理チャネルは異なるＴＴＩに位置し、同一の参照信号に対応する。すなわち、参照信号は、第１物理チャネルの復調に使用され得て、また、第２物理チャネルの復調に使用され得る。
【００１９】
このように、参照信号のオーバヘッドを減少させるべく、同一の参照信号は、同一の端末デバイスの異なる物理チャネルのために構成され得る。
【００２０】
第１態様、または、第１態様の第１から第６の可能な実装に関連して、第１態様の第７の可能な実装において、構成情報はさらに、番号が偶数であるサブキャリア、または、番号が奇数であるサブキャリアに参照信号が位置することを指示するために使用され、端末デバイスが構成情報に従って参照信号の時間領域リソースを決定することは、端末デバイスが、構成情報に従って参照信号の時間領域リソースを決定し、構成情報に従って、番号が偶数であるサブキャリア、または、番号が奇数であるサブキャリアに参照信号が位置すると決定することを含む。
【００２１】
構成情報はさらに、参照信号の周波数領域リソースを指示するために使用される。具体的には、構成情報は、番号が偶数であるサブキャリア、または、番号が奇数であるサブキャリアに参照信号が位置することを指示するために使用され得る。この場合、端末デバイスは、構成情報に従って、参照信号の時間領域リソースを決定し、構成情報に従って、番号が偶数であるサブキャリア、または、番号が奇数であるサブキャリアに参照信号が位置すると決定するように構成され得る。
【００２２】
このように、同一のシンボル上の参照信号は、周波数領域リソースを使用することによって分離できる。さらに、参照信号のオーバヘッドを減少させるべく、異なる端末デバイスに対応する参照信号を同一のシンボル上で構成できる。
【００２３】
第１態様、または、第１態様の第１から第７の可能な実装に関連して、第１態様の第８の可能な実装において、物理層シグナリングはダウンリンク制御情報ＤＣＩであり、ＤＣＩはマルチキャストシグナリングである、または、ＤＣＩはユニキャストシグナリングである。
【００２４】
第２態様によれば、参照信号伝送方法が提供され、当該方法は、ネットワークデバイスが、第１物理層シグナリングを第１端末デバイスへ送信する段階であって、第１物理層シグナリングは第１構成情報を含み、第１構成情報は第１参照信号の時間領域リソースを指示するために使用される、段階と、ネットワークデバイスが、第１端末デバイスによって送信された第１参照信号および第１物理チャネルを受信する段階と、ネットワークデバイスが、第１参照信号に従って、第１物理チャネルを復調する段階とを備える。
【００２５】
物理層シグナリングはＤＣＩであり得る。
【００２６】
ネットワークデバイスは、参照信号の時間領域リソースを決定し得て、第１物理層シグナリングを第１端末デバイス（任意の端末デバイスであってよい）へ送信し得て、第１物理層シグナリングは第１構成情報を含み、第１構成情報は、第１参照信号の時間領域リソースを指示するために使用され、すなわち、第１物理層シグナリングは、第１参照信号の時間領域リソースを指示するために使用される情報を含む。第１端末デバイスは、ネットワークデバイスによって送信された物理層シグナリングを受信した後に、第１参照信号の時間領域リソースを決定し得て、第１参照信号および第１物理チャネルをネットワークデバイスへ送信し得る。ネットワークデバイスは、第１端末デバイスが第１参照信号および第１物理チャネルをネットワークデバイスへ送信した後に、第１端末デバイスによって送信された第１参照信号および第１物理チャネルを受信し得る。次に、ネットワークデバイスは、第１参照信号に従って、第１物理チャネルを復調し得る。
【００２７】
第２態様に関連して、第２態様の第１の可能な実装において、第１構成情報は、Ｎ種類の参照信号時間領域構成のうちの１種類を指示するために使用され、Ｎは正の整数であり、Ｎ種類の参照信号時間領域構成は、参照信号によって占有された異なる時間領域リソースのうちの任意の２種類を指示する。
【００２８】
第２態様に関連して、第２態様の第２の可能な実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【００２９】
第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。例えば、ｋは１、２、または３である。言い換えれば、第１構成情報は、第１物理チャネルが位置するＴＴＩの前のｋ番目のＴＴＩに第１参照信号が位置することを指示し、ｋは非負整数である。例えば、ｋは０、１、２、または３である。任意で、第１構成情報が、ｋは０であることを指示するとき、第１物理チャネルは、第１物理チャネルが位置するＴＴＩにおけるいくつかのシンボルを占有する（第１参照信号は当該いくつかのシンボルを占有しない）、または、構成情報が、ｋは０より大きいことを指示するとき、第１物理チャネルは、第１物理チャネルが位置するＴＴＩにおけるすべてのシンボルを占有する。
【００３０】
第２態様に関連して、第２態様の第３の可能な実装において、第１参照信号および第１物理チャネルは同一のＴＴＩに位置し、第１構成情報は、第１参照信号がＴＴＩにおける１番目のシンボルまたは最後のシンボルに位置することを指示するために使用される。
【００３１】
第１構成情報参照信号および第１物理チャネルは、同一のＴＴＩに位置し、第１参照信号は、ＴＴＩにおける１番目のシンボルまたは最後のシンボルに位置する。すなわち、第１参照信号は、第１物理チャネルの前のシンボルに位置するか、または、第１参照信号は、第１物理チャネルの後のシンボルに位置する。任意で、第１構成情報は、第１物理チャネルがＴＴＩにおける１番目のシンボル、または、最後のシンボルを占有しないことを指示するために使用され得る。
【００３２】
第２態様に関連して、第２態様の第４の可能な実装において、第１参照信号および第１物理チャネルは同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８または１１である。
【００３３】
第１構成情報は、第１参照信号がタイムスロットにおけるａ番目のシンボル、または、サブフレームにおけるｂ番目のシンボルに位置することを指示するために使用され、タイムスロットまたはサブフレームは、第１物理チャネルが位置するタイムスロットまたはサブフレームである。例えば、第１構成情報は、第１物理チャネルが位置するタイムスロットにおける１番目のシンボルまたは４番目のシンボルに第１参照信号が位置することを指示するために使用され得る。例えば、第１構成情報は、第１物理チャネルが位置するサブフレームにおける１番目のシンボル、４番目のシンボル、８番目のシンボル、または１１番目のシンボルに第１参照信号が位置することを指示するために使用され得る。任意で、第１構成情報は、第１物理チャネルが、タイムスロットにおけるａ番目のシンボル、または、サブフレームにおけるｂ番目のシンボルを占有しないことを指示するために使用され得る。
【００３４】
第２態様に関連して、第２態様の第５の可能な実装において、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。
【００３５】
第２態様、または、第２態様の第１から第５の可能な実装に関連して、第２態様の第６の可能な実装において、方法はさらに、ネットワークデバイスが、第１端末デバイスによって送信された第２物理チャネルを受信する段階であって、第１物理チャネルおよび第２物理チャネルは異なるＴＴＩに位置する、段階と、ネットワークデバイスが、第１参照信号に従って、第２物理チャネルを復調する段階とを備える。
【００３６】
第１端末デバイスが第２物理チャネルを送信するケースについては、ネットワークデバイスはさらに、第１端末デバイスによって送信された第２物理チャネルを受信し得て、第１物理チャネルおよび第２物理チャネルは異なるＴＴＩに位置する。次に、ネットワークデバイスは、第１参照信号に従って第２物理チャネルを復調し得る。
【００３７】
このように、参照信号のオーバヘッドを減少させるべく、同一の参照信号は、同一の端末デバイスの異なる物理チャネルのために構成され得る。
【００３８】
第２態様、または、第２態様の第１から第６の可能な実装に関連して、第２態様の第７の可能な実装において、第１構成情報はさらに、番号が偶数であるサブキャリア、または、番号が奇数であるサブキャリアに第１参照信号が位置することを指示するために使用される。
【００３９】
このように、同一の時間領域リソースに位置する参照信号は、周波数領域リソースを使用することによって有効に分離できる。
【００４０】
第２態様、または、第２態様お第１から第７の可能な実装に関連して、第２態様の第８の可能な実装において、方法はさらに、ネットワークデバイスが、第２物理層シグナリングを第２端末デバイスへ送信する段階であって、第２物理層シグナリングは第２構成情報を含み、第２構成情報は、第２参照信号の時間領域リソースを指示するために使用される、段階と、ネットワークデバイスが、第２端末デバイスによって送信された、第２参照信号および第３物理チャネルを受信する段階であって、第２参照信号および第１参照信号は同一の時間領域リソースに位置し、第１物理チャネルおよび第３物理チャネルは異なるＴＴＩに位置する、段階と、ネットワークデバイスが、第２参照信号に従って第３物理チャネルを復調する段階とを備える。
【００４１】
ネットワークデバイスは、第２物理層シグナリングを第２端末デバイスへ送信し得て、第２物理層シグナリングは、第２構成情報を含み得て、第２構成情報は、第２参照信号の時間領域リソースを指示するために使用され得る。第２端末デバイスは、第２参照信号の時間領域リソースを決定し、第２参照信号および第３物理チャネルをネットワークデバイスへ送信し得る。第３物理チャネルは、第２物理層シグナリングによってスケジューリングされる物理チャネルであり得て、第２参照信号に対応する物理チャネルである。ネットワークデバイスは、第２端末デバイスによって送信される第２参照信号および第３物理チャネルを受信し得て、第２参照信号および第１参照信号は、同一の時間領域リソースに位置し、異なる周波数領域リソースまたは符号領域リソースに位置し得て、第１物理チャネルおよび第３物理チャネルは異なるＴＴＩに位置する。次に、ネットワークデバイスは、第２参照信号に従って第３物理チャネルを復調し得る。
【００４２】
このように、参照信号のオーバヘッドを減少させるべく、異なる端末デバイスの物理チャネルにそれぞれ対応する参照信号は、同一の時間領域リソース上で構成され得る。
【００４３】
第２態様、または、第２態様の第１から第８の可能な実装に関連して、第２態様の第９の可能な実装において、第１物理層シグナリングは第１ＤＣＩであり、第２物理層シグナリングは第２ＤＣＩであり、第１ＤＣＩもしくは第２ＤＣＩもしくは両方はユニキャストシグナリングであり、または、第１ＤＣＩおよび第２ＤＣＩは同一のＤＣＩであり、マルチキャストシグナリングである。
【００４４】
第３態様によれば、端末デバイスが提供され、端末デバイスは、受信器、プロセッサおよび送信器を備え、受信器は、ネットワークデバイスによって送信された物理層シグナリングを受信するように構成され、物理層シグナリングは構成情報を含み、構成情報は参照信号の時間領域リソースを指示するために使用され、プロセッサは、受信器によって受信された構成情報に従って、参照信号の時間領域リソースを決定するように構成され、送信器は、プロセッサによって決定された参照信号および第１物理チャネルをネットワークデバイスへ送信するように構成され、参照信号は第１物理チャネルの復調に使用される。
【００４５】
第３態様に関連して、第３態様の第１の可能な実装において、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【００４６】
第３態様に関連して、第３態様の第２の可能な実装において、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【００４７】
第３態様に関連して、第３態様の第３の可能な実装において、参照信号および第１物理チャネルは同一のＴＴＩに位置し、構成情報は、参照信号がＴＴＩにおける１番目のシンボルまたは最後のシンボルに位置することを指示するために使用される。
【００４８】
第３態様に関連して、第３態様の第４の可能な実装において、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８または１１である。
【００４９】
第３態様に関連して、第３態様の第５の可能な実装において、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【００５０】
第３態様、または、第３態様の第１から第５の可能な実装に関連して、第３態様の第６の可能な実装において、送信器はさらに、第２物理チャネルをネットワークデバイスへ送信するように構成され、参照信号は、第２物理チャネルの復調に使用され、第１物理チャネルおよび第２物理チャネルは異なるＴＴＩに位置する。
【００５１】
第３態様、または、第３態様の第１から第６の可能な実装に関連して、第３態様の第７の可能な実装において、構成情報はさらに、番号が偶数であるサブキャリア、または、番号が奇数であるサブキャリアに参照信号が位置することを指示するために使用され、プロセッサは具体的には、構成情報に従って参照信号の時間領域リソースを決定し、構成情報に従って、番号が偶数であるサブキャリア、または、番号が奇数であるサブキャリアに参照信号が位置すると決定するように構成されている。
【００５２】
第３態様、または、第３態様の第１から第７の可能な実装に関連して、第３態様の第８の可能な実装において、物理層シグナリングはダウンリンク制御情報ＤＣＩであり、ＤＣＩはマルチキャストシグナリングである、または、ＤＣＩはユニキャストシグナリングである。
【００５３】
第４態様によれば、ネットワークデバイスが提供され、当該ネットワークデバイスは、送信器、受信器およびプロセッサを備え、送信器は、第１物理層シグナリングを第１端末デバイスへ送信するように構成され、第１物理層シグナリングは第１構成情報を含み、第１構成情報は第１参照信号の時間領域リソースを指示するために使用され、受信器は、第１端末デバイスによって送信された第１参照信号および第１物理チャネルを受信するように構成され、プロセッサは、受信器によって受信された第１参照信号に従って、第１物理チャネルを復調するように構成されている。
【００５４】
第４態様に関連して、第４態様の第１の可能な実装において、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【００５５】
第４態様に関連して、第４態様の第２の可能な実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【００５６】
第４態様に関連して、第４態様の第３の可能な実装において、第１参照信号および第１物理チャネルは同一のＴＴＩに位置し、第１構成情報は、第１参照信号がＴＴＩにおける１番目のシンボルまたは最後のシンボルに位置することを指示するために使用される。
【００５７】
第４態様に関連して、第４態様の第４の可能な実装において、第１参照信号および第１物理チャネルは同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８または１１である。
【００５８】
第４態様に関連して、第４態様の第５の可能な実装において、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。
【００５９】
第４態様、または、第４態様の第１から第５の可能な実装に関連して、第４態様の第６の可能な実装において、受信器はさらに、第１端末デバイスによって送信された第２物理チャネルを受信するように構成され、第１物理チャネルおよび第２物理チャネルは異なるＴＴＩに位置し、プロセッサはさらに、第１参照信号に従って第２物理チャネルを復調するように構成されている。
【００６０】
第４態様、または、第４態様の第１から第６の可能な実装に関連して、第４態様の第７の可能な実装において、第１構成情報はさらに、番号が偶数であるサブキャリア、または、番号が奇数であるサブキャリアに第１参照信号が位置することを指示するために使用される。
【００６１】
第４態様、または、第４態様の第１から第７の可能な実装に関連して、第４態様の第８の可能な実装において、送信器はさらに、第２物理層シグナリングを第２端末デバイスへ送信するように構成され、第２物理層シグナリングは第２構成情報を含み、第２構成情報は第２参照信号の時間領域リソースを指示するために使用され、受信器はさらに、第２端末デバイスによって送信された第２参照信号および第３物理チャネルを受信するように構成され、第２参照信号および第１参照信号は同一の時間領域リソースに位置し、第１物理チャネルおよび第３物理チャネルは異なるＴＴＩに位置し、プロセッサはさらに、第２参照信号に従って第３物理チャネルを復調するように構成されている。
【００６２】
第４態様、または、第４態様の第１から第８の可能な実装に関連して、第４態様の第９の可能な実装において、第１物理層シグナリングは第１ＤＣＩであり、第２物理層シグナリングは第２ＤＣＩであり、第１ＤＣＩもしくは第２ＤＣＩもしくは両方はユニキャストシグナリングであり、または、第１ＤＣＩおよび第２ＤＣＩは同一のＤＣＩであり、マルチキャストシグナリングである。
【００６３】
第５態様によれば、端末デバイスが提供され、端末デバイスは、ネットワークデバイスによって送信された物理層シグナリングを受信するように構成されている、受信器を使用することによって具体的に実装され得る受信モジュールであって、物理層シグナリングは構成情報を含み、構成情報は参照信号の時間領域リソースを指示するために使用される、受信モジュールと、受信モジュールによって受信された構成情報に従って、参照信号の時間領域リソースを決定するように構成されている、プロセッサを使用することによって具体的に実装され得る決定モジュールと、決定モジュールによって決定された参照信号および第１物理チャネルをネットワークデバイスへ送信するように構成されている、送信器を使用することによって具体的に実装され得る送信モジュールであって、参照信号は、第１物理チャネルの復調に使用される、送信モジュールとを備える。
【００６４】
第５態様に関連して、第５態様の第１の可能な実装において、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【００６５】
第５態様に関連して、第５態様の第２の可能な実装において、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【００６６】
第５態様に関連して、第５態様の第３の可能な実装において、参照信号および第１物理チャネルは同一のＴＴＩに位置し、構成情報は、参照信号がＴＴＩにおける１番目のシンボルまたは最後のシンボルに位置することを指示するために使用される。
【００６７】
第５態様に関連して、第５態様の第４の可能な実装において、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８または１１である。
【００６８】
第５態様に関連して、第５態様の第５の可能な実装において、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【００６９】
第５態様、または、第５態様の第１から第５の可能な実装に関連して、第５態様の第６の可能な実装において、送信モジュールはさらに、第２物理チャネルをネットワークデバイスへ送信するように構成され、参照信号は、第２物理チャネルの復調に使用され、第１物理チャネルおよび第２物理チャネルは異なるＴＴＩに位置する。
【００７０】
第５態様、または、第５態様の第１から第６の可能な実装に関連して、第５態様の第７の可能な実装において、構成情報はさらに、番号が偶数であるサブキャリア、または、番号が奇数であるサブキャリアに参照信号が位置することを指示するために使用され、決定モジュールは具体的には、端末デバイスによって、構成情報に従って参照信号の時間領域リソースを決定し、構成情報に従って、番号が偶数であるサブキャリア、または、番号が奇数であるサブキャリアに参照信号が位置すると決定するように構成されている。
【００７１】
第５態様、または、第５態様の第１から第７の可能な実装に関連して、第５態様の第８の可能な実装において、物理層シグナリングはダウンリンク制御情報ＤＣＩであり、ＤＣＩはマルチキャストシグナリングである、または、ＤＣＩはユニキャストシグナリングである。
【００７２】
第６態様によれば、ネットワークデバイスが提供され、ネットワークデバイスは、第１物理層シグナリングを第１端末デバイスへ送信するように構成されている、送信器を使用することによって具体的に実装され得る送信モジュールであり得て、第１物理層シグナリングは第１構成情報を含み、第１構成情報は、第１参照信号の時間領域リソースを指示するために使用される、送信モジュールと、第１端末デバイスによって送信された第１参照信号および第１物理チャネルを受信するように構成されている、受信器を使用することによって具体的に実装され得る受信モジュールと、受信モジュールによって受信された第１参照信号に従って、第１物理チャネルを復調するように構成されている、プロセッサを使用することによって具体的に実装され得る復調モジュールとを備える。
【００７３】
第６態様に関連して、第６態様の第１の可能な実装において、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【００７４】
第６態様に関連して、第６態様の第２の可能な実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【００７５】
第６態様に関連して、第６態様の第３の可能な実装において、第１参照信号および第１物理チャネルは同一のＴＴＩに位置し、第１構成情報は、第１参照信号がＴＴＩにおける１番目のシンボルまたは最後のシンボルに位置することを指示するために使用される。
【００７６】
第６態様に関連して、第６態様の第４の可能な実装において、第１参照信号および第１物理チャネルは同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８または１１である。
【００７７】
第６態様に関連して、第６態様の第５の可能な実装において、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。
【００７８】
第６態様、または、第６態様の第１から第５の可能な実装に関連して、第６態様の第６の可能な実装において、受信モジュールはさらに、第１端末デバイスによって送信された第２物理チャネルを受信するように構成され、第１物理チャネルおよび第２物理チャネルは異なるＴＴＩに位置し、復調モジュールはさらに、第１参照信号に従って第２物理チャネルを復調するように構成されている。
【００７９】
第６態様、または、第６態様の第１から第６の可能な実装に関連して、第６態様の第７の可能な実装において、第１構成情報はさらに、番号が偶数であるサブキャリア、または、番号が奇数であるサブキャリアに第１参照信号が位置することを指示するために使用される。
【００８０】
第６態様、または、第６態様の第１から第７の可能な実装に関連して、第６態様の第８の可能な実装において、送信モジュールはさらに、第２物理層シグナリングを第２端末デバイスへ送信するように構成され、第２物理層シグナリングは第２構成情報を含み、第２構成情報は第２参照信号の時間領域リソースを指示するために使用され、受信モジュールはさらに、第２端末デバイスによって送信された第２参照信号および第３物理チャネルを受信するように構成され、第２参照信号および第１参照信号は同一の時間領域リソースに位置し、第１物理チャネルおよび第３物理チャネルは異なるＴＴＩに位置し、復調モジュールはさらに、第２参照信号に従って第３物理チャネルを復調するように構成されている。
【００８１】
第６態様、または、第６態様の第１から第８の可能な実装に関連して、第６態様の第９の可能な実装において、第１物理層シグナリングは第１ＤＣＩであり、第２物理層シグナリングは第２ＤＣＩであり、第１ＤＣＩもしくは第２ＤＣＩもしくは両方はユニキャストシグナリングであり、または、第１ＤＣＩおよび第２ＤＣＩは同一のＤＣＩであり、マルチキャストシグナリングである。
【００８２】
第７の態様によれば、参照信号伝送システムが提供され、当該システムは端末デバイスおよびネットワークデバイスを備え、端末デバイスは、ネットワークデバイスによって送信された物理層シグナリングを受信するように構成され、物理層シグナリングは構成情報を含み、構成情報は、参照信号の時間領域リソースを指示し、構成情報に従って、参照信号の時間領域リソースを決定し、参照信号および第１物理チャネルをネットワークデバイスへ送信するために使用され、参照信号は第１物理チャネルの復調のために使用され、ネットワークデバイスは、物理層シグナリングを端末デバイスへ送信するように構成され、物理層シグナリングは構成情報を含み、構成情報は、参照信号の時間領域リソースを指示し、端末デバイスによって送信された参照信号および第１物理チャネルを受信し、参照信号に従って第１物理チャネルを復調するために使用される。
【００８３】
本発明の実施形態によって提供される技術的解決法によってもたらされる有利な影響は以下の通りである。
【００８４】
本発明の実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【図面の簡単な説明】
【００８５】
本発明の実施形態における技術的解決法をより明確に説明すべく、以下、実施形態を説明するために必要な添付図面を簡潔に説明する。以下の説明における添付図面は、本発明の一部の実施形態を示しているに過ぎず、当業者ならば、創造的努力なく、これらの添付図面から他の図面をさらに導き出し得ることは明らかである。
【００８６】
【図１】本発明の実施形態に係るシステムフレームワークの概略図である。
【００８７】
【図２】本発明の実施形態に係る端末デバイスの概略構造図である。
【００８８】
【図３】本発明の実施形態に係るネットワークデバイスの概略構造図である。
【００８９】
【図４】本発明の実施形態に係る参照信号伝送方法のフローチャートである。
【００９０】
【図５ａ】本発明の実施形態に係る参照信号時間領域構成の概略図である。
【００９１】
【図５ｂ】本発明の実施形態に係る参照信号時間領域構成の概略図である。
【００９２】
【図６ａ】本発明の実施形態に係る参照信号時間領域構成の概略図である。
【００９３】
【図６ｂ】本発明の実施形態に係る参照信号時間領域構成の概略図である。
【００９４】
【図６ｃ】本発明の実施形態に係る参照信号時間領域構成の概略図である。
【００９５】
【図６ｄ】本発明の実施形態に係る参照信号時間領域構成の概略図である。
【００９６】
【図７ａ】本発明の実施形態に係る参照信号時間領域構成の概略図である。
【００９７】
【図７ｂ】本発明の実施形態に係る参照信号時間領域構成の概略図である。
【００９８】
【図８ａ】本発明の実施形態に係る参照信号時間領域構成の概略図でる。
【００９９】
【図８ｂ】本発明の実施形態に係る参照信号時間領域構成の概略図である。
【０１００】
【図９ａ】本発明の実施形態に係る参照信号時間領域構成の概略図である。
【０１０１】
【図９ｂ】本発明の実施形態に係る参照信号時間領域構成の概略図である。
【０１０２】
【図９ｃ】本発明の実施形態に係る参照信号時間領域構成の概略図である。
【０１０３】
【図９ｄ】本発明の実施形態に係る参照信号時間領域構成の概略図である。
【０１０４】
【図１０ａ】本発明の実施形態に係る参照信号時間領域構成の概略図である。
【０１０５】
【図１０ｂ】本発明の実施形態に係る参照信号時間領域構成の概略図である。
【０１０６】
【図１１】本発明の実施形態に係る参照信号時間領域構成の概略図である。
【０１０７】
【図１２】本発明の実施形態に係る参照信号伝送方法のフローチャートである。
【０１０８】
【図１３】本発明の実施形態に係る参照信号時間領域構成の概略図である。
【０１０９】
【図１４】本発明の実施形態に係る参照信号伝送方法のフローチャートである。
【０１１０】
【図１５】本発明の実施形態に係る端末デバイスの概略構造図である。
【０１１１】
【図１６】本発明の実施形態に係るネットワークデバイスの概略構造図である。
【発明を実施するための形態】
【０１１２】
本発明の目的、技術的解決法、および利点をより明確にするべく、以下ではさらに、添付図面に関連して本発明の実装を詳細に説明する。
【０１１３】
本発明の実施形態は、参照信号伝送方法を提供する。当該方法は、端末デバイスおよびネットワークデバイスを使用することによって、共同で実装され得る。端末デバイスは、ユーザ機器（Ｕｓｅｒ  Ｅｑｕｉｐｍｅｎｔ、略称：「ＵＥ」）、移動局（Ｍｏｂｉｌｅ  Ｓｔａｔｉｏｎ、略称：「ＭＳ」）、または移動端末（Ｍｏｂｉｌｅ  Ｔｅｒｍｉｎａｌ）などとも呼ばれ得る。端末デバイスは、無線アクセスネットワーク（Ｒａｄｉｏ  Ａｃｃｅｓｓ  Ｎｅｔｗｏｒｋ、略称：「ＲＡＮ」）を使用することで、１または複数のコアネットワークと通信し得る。例えば、端末デバイスは、携帯電話（または「セルラ」電話とも呼ばれる）、または、移動端末を備えたコンピュータなどであり得る。例えば、端末デバイスは、ポータブル型、ポケットサイズ型、ハンドヘルド型、コンピュータ内蔵型、または車載型の移動体装置でもあり得て、無線アクセスネットワークとの間で音声および／またはデータを交換する。ネットワークデバイスは基地局であり得る。基地局は、ＧＳＭ（登録商標）もしくはＣＤＭＡにおける無線基地局装置（Ｂａｓｅ  Ｔｒａｎｓｃｅｉｖｅｒ  Ｓｔａｔｉｏｎ、略称：「ＢＴＳ」）、または、ＷＣＤＭＡ（登録商標）におけるノードＢ（ＮｏｄｅＢ、略称：「ＮＢ」）、または、ＬＴＥにおける進化型ノードＢ（Ｅｖｏｌｕｔｉｏｎａｌ  Ｎｏｄｅ  Ｂ、略称：「ｅＮＢまたはｅ−ＮｏｄｅＢ」）であり得る。図１に示されるように、ネットワークデバイスは、ＤＣＩを端末デバイスへ送信し得て、端末デバイスは、ネットワークデバイスによって送信されたＤＣＩを受信した後に、ＤＣＩによって指示された参照信号の時間領域リソースのための構成情報に従って、参照信号の時間領域リソースを決定し、参照信号と、参照信号に対応する物理チャネルとをネットワークデバイスへ送信し、ネットワークデバイスは、端末デバイスによって送信された、参照信号と、参照信号に対応する物理チャネルとを受信し得て、これにより、参照信号に従って物理チャネルを復調し得る。
【０１１４】
図２に示されるように、端末デバイスは、受信器２１０、プロセッサ２２０および送信器２３０を備え得て、受信器２１０および送信器２３０は、プロセッサ２２０に接続され得る。受信器２１０は、メッセージまたはデータを受信するように構成され得て、受信器２１０は、これらに限定されないが、アンテナ、少なくとも１つの増幅器、チューナ、１または複数の発振器、カプラ、ＬＮＡ（Ｌｏｗ  Ｎｏｉｓｅ  Ａｍｐｌｉｆｉｅｒ、低雑音増幅器）、デュプレクサ、および同様のものを含み得る。プロセッサ２２０は端末デバイスの制御中心であり得て、様々なインタフェースおよび回路を使用することによって、端末デバイス全体のうちの各部分、例えば受信器２１０および送信器２３０などに接続し得る。本発明において、プロセッサ２２０は、参照信号の時間領域リソースの決定に関する処理を実行するように構成され得る。任意で、プロセッサ２２０は、１または複数の処理ユニットを含み得る。好ましくは、プロセッサ２２０は、アプリケーションプロセッサおよびモデムプロセッサと一体化され得る。アプリケーションプロセッサは主に、オペレーティングシステムを処理し、モデムプロセッサは主に、無線通信を処理する。プロセッサ２２０はまた、デジタル信号プロセッサ、特定用途向け集積回路、フィールドプログラマブルゲートアレイ、別のプログラマブルロジックデバイスまたは同様のものであり得る。
【０１１５】
図３に示されるように、ネットワークデバイスは、送信器３１０、受信器３２０およびプロセッサ３３０を備え得る。送信器３１０および受信器３２０は、プロセッサ３３０に接続され得る。受信器３２０は、メッセージまたはデータを受信するように構成され得て、受信器３２０は、これらに限定されないが、アンテナ、少なくとも１つの増幅器、チューナ、１または複数の発振器、カプラ、ＬＮＡ（Ｌｏｗ  Ｎｏｉｓｅ  Ａｍｐｌｉｆｉｅｒ、低雑音増幅器）、デュプレクサ、および同様のものを含み得る。本発明において、プロセッサ３３０は、参照信号に従って物理チャネルの復調に関する処理を実行するように構成され得る。プロセッサ３３０は、１または複数の処理ユニットを含み得る。プロセッサ３３０は、中央演算処理装置（Ｃｅｎｔｒａｌ  Ｐｒｏｃｅｓｓｉｎｇ  Ｕｎｉｔ、略称：ＣＰＵ）もしくはネットワークプロセッサ（Ｎｅｔｗｏｒｋ  Ｐｒｏｃｅｓｓｏｒ、略称：ＮＰ）などの汎用プロセッサであり得るか、または、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、または同様のものであり得る。具体的には、プログラムは、プログラムコードを含み得て、プログラムコードはコンピュータ動作命令を含む。
【０１１６】
本発明の実施形態の技術的解決法は、様々な通信システム、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、略称：「ＧＳＭ（登録商標）」）、符号分割多元接続（Ｃｏｄｅ  Ｄｉｖｉｓｉｏｎ  Ｍｕｌｔｉｐｌｅ  Ａｃｃｅｓｓ、略称：「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称：「ＷＣＤＭＡ（登録商標）」）システム、汎用パケット無線サービス（Ｇｅｎｅｒａｌ  Ｐａｃｋｅｔ  Ｒａｄｉｏ  Ｓｅｒｖｉｃｅ、略称：「ＧＰＲＳ」）、ロングタームエボリューション（Ｌｏｎｇ  Ｔｅｒｍ  Ｅｖｏｌｕｔｉｏｎ、略称：「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称：「ＦＤＤ」）システム、ＬＴＥ時分割複信（Ｔｉｍｅ  Ｄｉｖｉｓｉｏｎ  Ｄｕｐｌｅｘ、略称：「ＴＤＤ」）、ユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称：「ＵＭＴＳ」）、および、直交周波数分割（ＯＦＤＭ）技術を使用する別の無線通信システムなどに適用され得る。
【０１１７】
本発明の実施形態の理解を容易にするべく、以下では最初に、本発明の実施形態における基本的な概念を説明する。説明のための例としてＬＴＥシステムが使用される。しかしながら、このことは、本発明の実施形態がＬＴＥシステムのみに適用されることを意味するものではない。実際には、本発明の実施形態において提供される解決法は、スケジューリングを用いてデータ伝送を実行する任意の無線通信システムにおいて使用できる。
【０１１８】
１．フレーム構造
【０１１９】
ＬＴＥシステムにおいて、各無線フレームは、１０個のサブフレーム（ｓｕｂｆｒａｍｅ）を含み、各サブフレームは１ｍｓの長さであり、２つのタイムスロット（ｓｌｏｔ）を含む。
【０１２０】
標準サイクリックプレフィックス（Ｎｏｒｍａｌ  ｃｙｃｌｉｃ  ｐｒｅｆｉｘ、ｎｏｒｍａｌ  ＣＰ）の場合、各スロットは、７つのシンボル（ｓｙｍｂｏｌ）を含む、すなわち、各スロットは、番号｛＃０、＃１、＃２、＃３、＃４、＃５、＃６｝を有するシンボルを含む。ロングＣＰ（Ｅｘｔｅｎｄｅｄ  ｃｙｃｌｉｃ  ｐｒｅｆｉｘ、ｅｘｔｅｎｄｅｄ  ＣＰ）の場合、各スロットは、６つのシンボル（ｓｙｍｂｏｌ）を含む、すなわち、各スロットは、番号｛＃０、＃１、＃２、＃３、＃４、＃５｝を有するシンボルを含む。
【０１２１】
本発明の実施形態において、アップリンクシンボルおよびダウンリンクシンボルは両方とも、簡単にシンボルと呼ばれる。アップリンクシンボルは、シングルキャリア周波数分割多元接続（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）シンボルと呼ばれ、ダウンリンクシンボルは、（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルと呼ばれる。直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）のアップリンク多元接続方式が以降の技術に導入される場合、アップリンクシンボルは、ＯＦＤＭシンボルとも呼ばれ得ることに留意されたい。アップリンク多元接続方式およびダウンリンク多元接続方式は、本発明において限定されない。
【０１２２】
２．物理チャネルおよび物理信号
【０１２３】
物理チャネル（ｐｈｙｓｉｃａｌ  ｃｈａｎｎｅｌ）は、上位層（ｈｉｇｈｅｒ  ｌａｙｅｒｓ）からのデータ情報を搬送する。物理チャネルは、物理アップリンク共有チャネル（ｐｈｙｓｉｃａｌ  ｕｐｌｉｎｋ  ｓｈａｒｅ  ｃｈａｎｎｅｌ、ＰＵＳＣＨ）、物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、または、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）であり得る。
【０１２４】
参照信号（Ｒｅｆｅｒｅｎｃｅ  Ｓｉｇｎａｌ、ＲＳ）は、チャネル推定またはチャネル測定に使用される。例えば、参照信号はアップリンクのために使用される復調参照信号（Ｄｅｍｏｄｕｌａｔｉｏｎ  Ｒｅｆｅｒｅｎｃｅ  Ｓｉｇｎａｌ、ＤＭＲＳ）、サウンディング参照信号（Ｓｏｕｎｄｉｎｇ  ｒｅｆｅｒｅｎｃｅ  ｓｉｇｎａｌ、ＳＲＳ）、ダウンリンクに使用されるセル固有参照信号（Ｃｅｌｌ−ｓｐｅｃｉｆｉｃ  Ｒｅｆｅｒｅｎｃｅ  Ｓｉｇｎａｌ、ＣＲＳ）、ダウンリンクに使用されるＵＥ固有参照信号（ＵＥ−ｓｐｅｃｉｆｉｃ  Ｒｅｆｅｒｅｎｃｅ  Ｓｉｇｎａｌ、ＵＲＳ）、または、ダウンリンクに使用されるグループ固有参照信号（Ｇｒｏｕｐ−ｓｐｅｃｉｆｉｃ  Ｒｅｆｅｒｅｎｃｅ  Ｓｉｇｎａｌ、ＧＲＳ）であり得る。ＰＵＣＣＨ復調に使用されるＤＭＲＳは、ＰＵＣＣＨ  ＤＭＲＳと呼ばれ、ＰＵＳＣＨ復調に使用されるＤＭＲＳは、ＰＵＳＣＨ  ＤＭＲＳと呼ばれる。ＣＲＳは、セル内のすべての端末デバイスのためにネットワークデバイスによって構成されるＲＳであり、ＧＲＳは、一組の端末デバイスのためにネットワークデバイスによって構成されるＲＳであり、ＵＲＳは、特定の端末デバイスのために構成されるＲＳである。
【０１２５】
各物理チャネルは対応するＲＳを有し、これにより、ネットワークデバイスはＲＳに従ってチャネル推定を実行し、次に、推定されたチャネル値に従って物理チャネルを復調できる。したがって、本発明において、物理チャネルに対応するＲＳは、物理チャネルの復調に使用されるＲＳである。
【０１２６】
以下では、具体的な実装に関連して、図４に示される処理手順を詳細に説明する。処理手順の内容は以下の通りであり得る。
【０１２７】
段階４０１：端末デバイスが、ネットワークデバイスによって送信された物理層シグナリングを受信し、物理層シグナリングは構成情報を含み、構成情報は参照信号の時間領域リソースを指示するために使用される。
【０１２８】
段階４０２：端末デバイスが構成情報に従って、参照信号の時間領域リソース、および／または、第１物理チャネルの時間領域リソースを決定する。
【０１２９】
段階４０３：端末デバイスが、第１物理チャネルをネットワークデバイスへ送信する、または、端末デバイスが、ネットワークデバイスによって送信された第１物理チャネルを受信し、参照信号は第１物理チャネルの復調に使用される。
【０１３０】
物理層シグナリングは構成情報を含み、構成情報は参照信号の時間領域リソースを指示するために使用され、すなわち、物理層シグナリングは、参照信号の時間領域リソースを指示するために使用される情報を含む。任意で、構成情報は、参照信号の時間領域リソースを明示的に指示し得る。任意で、構成情報は、参照信号の時間領域リソースを暗黙的に指示し得る。例えば、構成情報は、第１物理チャネルによって占有される時間領域リソースを直接的に指示し、さらに、第１物理チャネルによって占有される時間領域リソースは、参照信号によって占有される時間領域リソースに暗黙的に対応し得る。
【０１３１】
参照信号は、第１物理チャネルの復調に使用される。任意で、第１物理チャネルは、例えばＰＵＳＣＨなどのアップリンク物理チャネルである。この場合、ネットワークデバイスは、参照信号に従って第１物理チャネルを復調する。任意で、第１物理チャネルはダウンリンク物理チャネル、例えばＰＤＳＣＨである。この場合、端末デバイスは参照信号に従って第１物理チャネルを復調する。
【０１３２】
任意で、物理層シグナリングはＤＣＩである。この場合、端末デバイスは、ネットワークデバイスによって送信されたＤＣＩを受信する。ＤＣＩは構成情報を含み、構成情報は、参照信号の時間領域リソースを指示するために使用される。任意で、ＤＣＩはさらに、第１物理チャネルの伝送を指示するために使用される。すなわち、ＤＣＩはさらに、第１物理チャネルをスケジューリングするために使用される。任意で、ＤＣＩは物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）上で搬送され、ＰＤＣＣＨは、Ｒｅｌ−８において定義されるＰＤＣＣＨ、Ｒｅｌ−１１において定義されるＥＰＤＣＣＨ、または、ＤＣＩを搬送するために使用され、別のリリースにおいて定義されるチャネルであり得る。任意で、ＤＣＩは半永続スケジューリング（ＳＰＳ、Ｓｅｍｉ−Ｐｅｒｓｉｓｔｅｎｔ  Ｓｃｈｅｄｕｌｉｎｇ）ＤＣＩである。
【０１３３】
任意で、物理層シグナリングはマルチキャストシグナリングであり、すなわち、物理層シグナリングは一組の端末デバイスへ送信されるか、または、物理層シグナリングはユニキャストシグナリングであり、すなわち、物理層シグナリングは１個の端末デバイスへ送信される。
【０１３４】
任意で、本発明のこの実施形態において、ＴＴＩの長さは１ｍｓより短い。例えば、ＴＴＩの長さは、０．５ｍｓ、１つのシンボルの長さ、２つのシンボルの長さ、３つのシンボルの長さ、または、４つのシンボルの長さである。
【０１３５】
任意で、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。すなわち、参照信号はＮ種類の異なる時間領域リソースを占有し得る。
【０１３６】
任意で、Ｎ種類の参照信号時間領域構成は予め定められる。端末デバイスはＮ種類の参照信号時間領域構成を予め記憶し得て、次に、端末デバイスは、ネットワークデバイスによって送信された物理層シグナリングを受信し、物理層シグナリングに含まれる構成情報に従って、参照信号によって占有される時間領域リソースを決定する。
【０１３７】
任意で、端末デバイスは、ネットワークデバイスによって送信された上位層シグナリング（Ｈｉｇｈｅｒ  Ｌａｙｅｒ  Ｓｉｇｎａｌｉｎｇ）を受信し、上位層シグナリングは、Ｎ種類の参照信号時間領域構成を指示するために使用される。次に、端末デバイスは、ネットワークデバイスによって送信された物理層シグナリングを受信し、物理層シグナリングに含まれる構成情報に従って、参照信号によって占有される時間領域リソースを決定する。
【０１３８】
任意で、端末デバイスによって受信されたＤＣＩに含まれる構成情報は、Ｎ種類の参照信号時間領域構成のうちの１種類を指示し得て、Ｎは正の整数である。構成情報は、
【数１】
2019503625.tif 000003
または
【数２】
2019503625.tif 000004
ビットであり、すなわち、
【数１】
2019503625.tif 000005
または
【数２】
2019503625.tif 000006
ビットのＮ種類の状態は、Ｎ種類の参照信号時間領域リソース構成に対応し、
【数３】
2019503625.tif 000007
は切り上げを表す。例えば、Ｎが４であるとき、参照信号時間領域構成を指示するために２ビットの値が使用され得て、すなわち、４種類の状態、００、０１、１０、１１を使用することによって、４種類の異なる参照信号時間領域構成が指示され得る。
【０１３９】
実装において、端末デバイスは、ネットワークデバイスによって送信された、構成情報を含む物理層シグナリングを受信した後に、構成情報によって指示された、参照信号の時間領域リソースに従って、参照信号の時間領域リソース、および／または、第１物理チャネルの時間領域リソースを決定し得る。例えば、構成情報が、参照信号および第１物理チャネルが同一のＴＴＩに位置することを指示するとき、第１物理チャネルは、参照信号によって占有されるシンボルを除く、ＴＴＩにおけるすべてのシンボルを占有する、または、構成情報が、参照信号および第１物理チャネルが異なるＴＴＩに位置することを指示するとき、第１物理チャネルは、第１物理チャネルが位置するＴＴＩにおけるすべてのシンボルを占有する。
【０１４０】
以下では具体的に、参照信号の時間領域リソースのための構成情報によって指示される、参照信号の複数の任意の時間領域リソースを説明する。
【０１４１】
任意で、構成情報は、参照信号および第１物理チャネルが同一の伝送時間間隔ＴＴＩに位置する、または、第１物理チャネルが位置するＴＴＩの前のｋ番目のＴＴＩに参照信号が位置することを指示し、ｋは正の整数である。
【０１４２】
実装において、端末デバイスは、構成情報に従って、参照信号および第１物理チャネルが同一のＴＴＩに位置すると、または、第１物理チャネルが位置するＴＴＩの前のｋ番目のＴＴＩに参照信号が位置すると決定し、ｋは正の整数である。例えば、ｋは１、２、または３である。言い換えれば、端末デバイスは、参照信号の時間領域リソースのための構成情報に従って、第１物理チャネルが位置するＴＴＩの前のｋ番目のＴＴＩに参照信号が位置すると決定し、ｋは非負整数である。例えば、ｋは０、１、２、または３である。任意で、構成情報が、ｋは０であることを指示するとき、端末デバイスは、第１物理チャネルが、第１物理チャネルが位置するＴＴＩにおけるいくつかのシンボルを占有する（参照信号は当該いくつかのシンボルを占有しない）と決定し、または、構成情報が、ｋは０より大きいことを指示するとき、端末デバイスは、第１物理チャネルが、第１物理チャネルが位置するＴＴＩにおけるすべてのシンボルを占有すると決定する。
【０１４３】
参照信号が位置するＴＴＩと、第１物理チャネルが位置するＴＴＩとの間の関係に基づいて、以下では、複数の任意の参照信号時間領域構成の解決法を提供する。
【０１４４】
解決法１：Ｎは２である。この場合、構成情報は１ビットであり、すなわち、１ビットの２種類の異なる状態は、２種類の異なる参照信号時間領域構成を指示し得る。具体的には、１ビットの値「０」は、構成１を指示し得て、１ビットの値「１」は、構成２を指示し得る、または、１ビットの値「１」は、構成１を指示し得て、１ビットの値「０」は、構成２を指示し得る。図５ａに示されるように、構成１では、参照信号および第１物理チャネルが同一のＴＴＩに位置し得る。構成２では、参照信号および第１物理チャネルが異なるＴＴＩに位置し得る。例えば、図５ｂに示されるように、参照信号は、第１物理チャネルが位置するＴＴＩの前のＴＴＩに位置し得る。この場合、参照信号によって占有され、構成情報によって指示される時間領域リソースは、構成１または構成２であり得る。
【０１４５】
解決法２：Ｎは４である。この場合、構成情報は２ビットであり、すなわち、２ビットの４種類の異なる状態は、４種類の異なる参照信号時間領域構成を指示し得る。具体的には、４種類の異なる参照信号時間領域構成では、参照信号は、第１物理チャネルが位置するＴＴＩの前のｋ番目のＴＴＩに位置し得て、ｋは自然数であり、ｋは０、１、２、または３であり得る。すなわち、４種類の異なる参照信号時間領域構成は、参照信号が、第１物理チャネルが位置するＴＴＩの前の３番目のＴＴＩに位置すること、参照信号が、第１物理チャネルが位置するＴＴＩの前の２番目のＴＴＩに位置すること、参照信号が、第１物理チャネルが位置するＴＴＩの前の１番目のＴＴＩに位置すること、ならびに、参照信号および第１物理チャネルが同一のＴＴＩに位置することであり得る。例えば、第１物理チャネルがＴＴＩｉ＋３に位置する場合、構成１は、図６ａに示されるように、参照信号がＴＴＩｉに位置することであり得て、構成２は、図６ｂに示されるように、参照信号がＴＴＩｉ＋１に位置することであり得て、構成３は、図６ｃに示されるように、参照信号がＴＴＩｉ＋２に位置することであり得て、構成４は、図６ｄに示されるように、参照信号がＴＴＩｉ＋３に位置し、すなわち、参照信号および第１物理チャネルが同一のＴＴＩに位置することであり得る。ＴＴＩｉ、ＴＴＩｉ＋１、ＴＴＩｉ＋２、および、ＴＴＩｉ＋３は、同一のサブフレームに位置し得るか、または、異なるサブフレームに位置し得る。これは、本発明において限定されない。この場合、参照信号によって占有され、構成情報によって指示される時間領域リソースは、４種類の構成のうちの１つである。ネットワークデバイスは、要件に従って、構成の１つを選択し、物理層シグナリングを使用することによって端末デバイスに通知し得る。
【０１４６】
任意で、参照信号および第１物理チャネルは同一のＴＴＩに位置し、構成情報は、参照信号がＴＴＩにおける１番目のシンボル、または、最後のシンボルに位置することを指示するために使用される。
【０１４７】
実装において、端末デバイスは、構成情報に従って、参照信号および第１物理チャネルが同一のＴＴＩに位置すると、および、参照信号がＴＴＩにおける１番目のシンボルまたは最後のシンボルに位置すると決定する。すなわち、参照信号は、第１物理チャネルの前のシンボルに位置するか、または、参照信号は、第１物理チャネルの後のシンボルに位置する。任意で、端末デバイスは、構成情報に従って、第１物理チャネルがＴＴＩにおける１番目のシンボルまたは最後のシンボルを占有しないと決定する。この参照信号時間領域構成の解決法は、解決法３と呼ばれ得る。以下では、例を使用することによって解決法３を説明する。
【０１４８】
解決法３：Ｎは２である。この場合、構成情報は１ビットである。１ビットの指示方法は、解決法１と同一である。ここでは詳細を再度説明しない。構成１は、参照信号がＴＴＩにおける１番目のシンボルに位置することであり得て、構成２は、参照信号がＴＴＩにおける最後のシンボルに位置することであり得る。例えば、ＴＴＩが４つのシンボルを含み、かつ、第１物理チャネルが３つのシンボルを占有する場合、図７ａに示されるように、参照信号は、ＴＴＩにおける１番目のシンボルに位置し得る、または、図７ｂに示されるように、参照信号は、ＴＴＩにおける４番目のシンボルに位置し得る。
【０１４９】
任意で、構成情報は、参照信号がタイムスロットにおけるａ番目のシンボル、または、サブフレームにおけるｂ番目のシンボルに位置することを指示するために使用され、ａは６または７より大きくない正の整数であり、ｂは１２または１４より大きくない正の整数である。例えば、ａは１または４であり、ｂは１、４、８または１１である。別の例については、ａは１または３であり、ｂは１、３、７または９である。好ましくは、参照信号および第１物理チャネルは、同一のタイムスロットまたはサブフレームに位置する。
【０１５０】
実装において、端末デバイスは、構成情報に従って、参照信号がタイムスロットにおけるａ番目のシンボル、または、サブフレームにおけるｂ番目のシンボルに位置すると決定し、タイムスロットまたはサブフレームは、第１物理チャネルが位置するタイムスロットまたはサブフレームである。例えば、構成情報は、第１物理チャネルが位置するタイムスロットにおける１番目のシンボルまたは４番目のシンボルに参照信号が位置することを指示するために使用され得る。例えば、構成情報は、第１物理チャネルが位置するサブフレームにおける１番目のシンボル、４番目のシンボル、８番目のシンボル、または１１番目のシンボルに参照信号が位置することを指示するために使用され得る。任意で、端末デバイスは、構成情報に従って、第１物理チャネルがタイムスロットにおけるａ番目のシンボル、または、サブフレームにおけるｂ番目のシンボルを占有しないと決定する。この参照信号時間領域構成の解決法は、解決法４または解決法５と呼ばれ得る。以下では、例を使用することによって解決法４または解決法５を説明する。
【０１５１】
解決法４：Ｎは２である。この場合、構成情報は１ビットである。１ビットの指示方法は、解決法１と同一である。ここでは詳細を再度説明しない。構成１は、図８ａに示されるように、参照信号がタイムスロットにおける１番目のシンボルに位置することであり得る。構成２は、図８ｂに示されるように、参照信号がタイムスロットにおける４番目のシンボルに位置することであり得る。
【０１５２】
解決法５：Ｎは４である。この場合、２ビットの値は、参照信号時間領域構成を指示するために使用され得て、すなわち、２ビットの４種類の異なる状態は、４種類の異なる参照信号時間領域構成を指示し得る。具体的には、４種類の異なる参照信号時間領域構成は、図９ａに示されるように、参照信号が、第１物理チャネルが位置するサブフレームにおける１番目のシンボルに位置すること、図９ｂに示されるように、参照信号が、第１物理チャネルが位置するサブフレームにおける４番目のシンボルに位置すること、図９ｃに示されるように、参照信号が、第１物理チャネルが位置するサブフレームにおける８番目のシンボルに位置すること、および、図９ｄに示されるように、参照信号が、第１物理チャネルが位置するサブフレームにおける１１番目のシンボルに位置することであり得る。ネットワークデバイスは、要件に従って、構成の１つを選択し、物理層シグナリングを使用することによって端末デバイスに通知し得る。
【０１５３】
任意で、構成情報は、参照信号がタイムスロットにおけるｃ番目のシンボル、または、サブフレームにおけるｄ番目のシンボルに位置することを指示するために使用され、ｃは６または７より大きくない正の整数であり、ｄは１２または１４より大きくない正の整数である。好ましくは、参照信号および第１物理チャネルは、同一のタイムスロットまたはサブフレームに位置する。例えば、ｃは１または２であり、構成情報は、参照信号がタイムスロットにおける１番目のシンボル、または、タイムスロットにおける１番目のシンボルおよび４番目のシンボルに位置することを指示するために使用される。例えば、ｄは２または４であり、構成情報は、サブフレームにおける１番目のシンボルおよび８番目のシンボル、または、サブフレームにおける１番目のシンボル、４番目のシンボル、８番目のシンボルおよび１１番目のシンボルに参照信号が位置することを指示するために使用される。
【０１５４】
実装において、端末デバイスは、構成情報に従って、参照信号がタイムスロットにおけるｃ番目のシンボル、または、サブフレームにおけるｄ番目のシンボルに位置すると決定し、タイムスロットまたはサブフレームは、第１物理チャネルが位置するタイムスロットまたはサブフレームである。任意で、端末デバイスは、構成情報に従って、第１物理チャネルがタイムスロットにおけるｃ番目のシンボル、または、サブフレームにおけるｄ番目のシンボルを占有しないと決定する。この参照信号時間領域構成の状況は、解決法６または解決法７と呼ばれ得る。以下では、例を使用することによって解決法６または解決法７を説明する。
【０１５５】
解決法６：Ｎは２である。この場合、構成情報は１ビットである。１ビットの指示方法は、解決法１と同一である。ここでは詳細を再度説明しない。構成１は、図１０ａに示されるように、参照信号がタイムスロットにおける１番目のシンボルに位置することであり得て、構成２は、図１０ｂに示されるように、参照信号がタイムスロットにおける１番目のシンボルおよび４番目のシンボルに位置することであり得る。
【０１５６】
解決法７：Ｎは２である。この場合、参照信号の時間領域リソースのための構成情報は１ビットである。１ビットの指示方法は、解決法１と同一である。ここでは詳細を再度説明しない。構成１は、参照信号がサブフレームにおける１番目のシンボルおよび８番目のシンボルに位置することであり得る。構成２は、参照信号がサブフレームにおける１番目のシンボル、４番目のシンボル、８番目のシンボルおよび１１番目のシンボルに位置することであり得る。
【０１５７】
任意で、構成情報はさらに、参照信号の周波数領域リソースを指示するために使用される。これに対応して、段階４０２における処理プロセスは、端末デバイスが構成情報に従って、参照信号の時間領域リソースおよび周波数領域リソースを決定することであり得る。任意で、構成情報は１または複数の情報フィールドを含む。例えば、構成情報は１つの情報フィールドを含み、情報フィールドは共同的な方式で、参照信号の時間領域リソースおよび周波数領域リソースを指示する。例えば、構成情報は２つの情報フィールドを含み、一方は、参照信号の時間領域リソースを指示するために使用され（情報フィールドに含まれるビットの数、および、参照信号の時間領域リソースを指示する方式の詳細については、上述の解決法を参照されたい）、他方は、参照信号の周波数領域リソースを指示するために使用される。
【０１５８】
任意で、構成情報はさらに、番号が偶数であるサブキャリア、または、番号が奇数であるサブキャリアに参照信号が位置することを指示するために使用され得る。これに対応して、段階４０２における処理プロセスは、以下の通りであり得る。端末デバイスが構成情報に従って参照信号の時間領域リソースを決定し、構成情報に従って、番号が偶数であるサブキャリア、または、番号が奇数であるサブキャリアに参照信号が位置すると決定する。任意で、構成情報は１または複数の情報フィールドを含む。具体的な内容については、上述の実施形態を参照されたい。ここでは詳細を再度説明しない。
【０１５９】
任意で、第１物理チャネルはアップリンク物理チャネル（例えば、ＰＵＳＣＨまたはＰＵＣＣＨ）であり、段階４０３は、端末デバイスが、参照信号および第１物理チャネルをネットワークデバイスへ送信する段階であって、参照信号は第１物理チャネルの復調に使用される、段階を含む。参照信号の送信と、第１物理チャネルの送信との間に時間的順序の関係は無いことに留意されたい。すなわち、端末デバイスは最初に参照信号を送信し、次に第１物理チャネルを送信し得る、または、最初に第１物理チャネルを送信し、次に参照信号を送信し得る。
【０１６０】
任意で、第１物理チャネルはダウンリンク物理チャネル（例えば、ＰＤＳＣＨ）であり、段階４０３は、端末デバイスが、ネットワークデバイスによって送信された参照信号および第１物理チャネルを受信する段階であって、参照信号は第１物理チャネルの復調に使用される、段階を含む。参照信号の受信と、第１物理チャネルの受信との間に時間的順序の関係は無いことに留意されたい。
【０１６１】
任意で、第１物理チャネルはアップリンク物理チャネル（例えば、ＰＵＳＣＨまたはＰＵＣＣＨ）であり、端末デバイスが、ネットワークデバイスによって送信された物理層シグナリングを受信する前、または、受信するとき、処理手順はさらに、端末デバイスが参照信号をネットワークデバイスへ送信することを含む。この場合、段階４０３は、端末デバイスが第１物理チャネルをネットワークデバイスへ送信することを含む。参照信号は、第１物理チャネルが位置するＴＴＩの前のｋ番目のＴＴＩ（ｋは０より大きい）に位置し得るので、端末デバイスによって受信された物理層シグナリングによって指示される参照信号は、端末デバイスによって送信された、または、送信されている参照信号であり得ることに留意されたい。この解決法は、現在の物理層シグナリングによってスケジューリングされた物理チャネルに対応する参照信号が、以前の物理層シグナリングによってスケジューリングされた物理チャネルに対応する参照信号と同一であるケースに適用される。この場合、端末デバイスが現在の物理層シグナリングを受信する前、または、受信するとき、現在の物理層シグナリングによってスケジューリングされた物理チャネルに対応する参照信号は、ネットワークデバイスへ送信済みである。したがって、現在の物理層シグナリングについては、端末デバイスは、物理チャネルのみを送信し得る。
【０１６２】
任意で、第１物理チャネルはダウンリンク物理チャネル（例えば、ＰＤＳＣＨ）であり、端末デバイスが、ネットワークデバイスによって送信された物理層シグナリングを受信する前、または、受信するとき、処理手順は、端末デバイスが、ネットワークデバイスによって送信された参照信号を受信することをさらに含む。この場合、段階４０３は、端末デバイスが、ネットワークデバイスによって送信された第１物理チャネルを受信することを含む。参照信号は、第１物理チャネルが位置するＴＴＩの前のｋ番目のＴＴＩ（ｋは０より大きい）に位置し得るので、端末デバイスによって受信された物理層シグナリングによって指示される参照信号は、端末デバイスによって受信された、または、受信されている参照信号であり得ることに留意されたい。
【０１６３】
任意で、端末デバイスはさらに、第２物理チャネルをネットワークデバイスへ送信し得る。これに対応して、処理プロセスは、以下の通りであり得る。端末デバイスが第２物理チャネルをネットワークデバイスへ送信し、参照信号は第２物理チャネルの復調に使用され、第１物理チャネルおよび第２物理チャネルは異なるＴＴＩに位置する。この場合、第１物理チャネルおよび第２物理チャネルは、同一の参照信号に対応し、参照信号は、ネットワークデバイスへ送信済みである。したがって、この場合、端末デバイスは、第２物理チャネルのみを送信し得る。
【０１６４】
任意で、端末デバイスはさらに、ネットワークデバイスによって送信された第２物理チャネルを受信し得る。これに対応して、処理プロセスは以下の通りであり得る。端末デバイスが、ネットワークデバイスによって送信された第２物理チャネルを受信し、参照信号は第２物理チャネルの復調に使用され、第１物理チャネルおよび第２物理チャネルは異なるＴＴＩに位置する。
【０１６５】
参照信号の時間領域リソースの上述の構成方式に基づいて、同一の端末デバイスについては、ネットワークデバイスが、異なる物理チャネルが異なるＴＴＩに位置するように構成する必要がある場合でも、同一の参照信号を異なる物理チャネルに構成できる。例えば、図１１に示されるように、同一の端末デバイスにスケジューリングされた第１物理チャネルおよび第２物理チャネルは、異なるシンボルに位置し、第１物理チャネルに対応する参照信号、および、第２物理チャネルに対応する参照信号は、同一の参照信号であり、すなわち、第１物理チャネルおよび第２物理チャネルに対応する参照信号は同一の時間領域リソースに位置する。従来技術において、各物理チャネルは、少なくとも１つの参照信号に対応する必要があり、すなわち、２つの異なる物理チャネルは少なくとも２つの参照信号を必要とする。従来技術と比較して、本発明における構成方式では、参照信号のオーバヘッドを減少させることができる。
【０１６６】
本発明のこの実施形態において、端末デバイスは、ネットワークデバイスによって送信された物理層シグナリングを受信し（物理層シグナリングは、参照信号の時間領域リソースを指示するために使用される構成情報を含む）、次に、構成情報に従って、参照信号の時間領域リソース、および／または、第１物理チャネルの時間領域リソースを決定する。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０１６７】
以下では、具体的な実装に関連して、図１２に示される処理手順を詳細に説明する。処理手順の内容は以下の通りであり得る。
【０１６８】
段階１２０１：ネットワークデバイスが第１物理層シグナリングを第１端末デバイスへ送信し、第１物理層シグナリングは第１構成情報を含み、第１構成情報は、第１参照信号の時間領域リソースを指示するために使用される。
【０１６９】
段階１２０２：ネットワークデバイスが、第１端末デバイスによって送信された第１物理チャネルを受信し、第１参照信号に従って第１物理チャネルを復調する、または、ネットワークデバイスが、第１物理チャネルを第１端末デバイスへ送信し、第１参照信号は、第１物理チャネルの復調に使用される。
【０１７０】
本発明のこの実施形態において、第１物理層シグナリング、第１ＤＣＩ、第１構成情報、および、第１参照信号はそれぞれ、段階４０１から段階４０３における、物理層シグナリング、ＤＣＩ、構成情報および参照信号に対応することに留意されたい。したがって、別段の規定が無い限り、第１物理層シグナリング、第１ＤＣＩ、第１構成情報および第１参照信号の発明内容は、段階４０１から段階４０３における物理層シグナリング、ＤＣＩ、構成情報および参照信号の発明内容と一致する。
【０１７１】
実装において、ネットワークデバイスは、参照信号の時間領域リソースを決定し、第１物理層シグナリングを第１端末デバイス（任意の端末デバイス、すなわち、図４において示されている手順において説明されている端末デバイスであり得る）へ送信し得て、第１物理層シグナリングは第１構成情報を含み、第１構成情報は、第１参照信号の時間領域リソースを指示するために使用され、すなわち、第１物理層シグナリングは、第１参照信号の時間領域リソースを指示するために使用される情報を含む。第１物理層シグナリングの具体的な内容については、段階４０１から段階４０３における物理層シグナリングの説明を参照されたい。ここでは詳細を再度説明しない。
【０１７２】
第１参照信号は、第１物理チャネルの復調に使用される。任意で、第１物理チャネルはアップリンク物理チャネル、例えばＰＵＳＣＨである。この場合、ネットワークデバイスは、第１参照信号に従って第１物理チャネルを復調する。任意で、第１物理チャネルはダウンリンク物理チャネル、例えばＰＤＳＣＨである。この場合、端末デバイスは、第１参照信号に従って第１物理チャネルを復調する。
【０１７３】
任意で、第１物理層シグナリングは第１ＤＣＩである。ネットワークデバイスは第１ＤＣＩを第１端末デバイスへ送信し、第１ＤＣＩは第１構成情報を含み、第１構成情報は第１参照信号の時間領域リソースを指示するために使用される。第１ＤＣＩの具体的な内容については、段階４０１から段階４０３におけるＤＣＩの説明を参照されたい。ここでは詳細を再度説明しない。
【０１７４】
任意で、第１物理層シグナリングはマルチキャストシグナリングであり、すなわち、第１物理層シグナリングは一組の端末デバイスへ送信されるか、または、第１物理層シグナリングはユニキャストシグナリングであり、すなわち、第１物理層シグナリングは１個の端末デバイスへ送信される。
【０１７５】
任意で、本発明のこの実施形態において、ＴＴＩの長さは１ｍｓより短い。例えば、ＴＴＩの長さは、０．５ｍｓ、１つのシンボルの長さ、２つのシンボルの長さ、３つのシンボルの長さ、または、４つのシンボルの長さである。
【０１７６】
任意で、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。すなわち、第１参照信号はＮ種類の異なる時間領域リソースを占有し得る。
【０１７７】
任意で、Ｎ種類の参照信号時間領域構成は予め定められ、すなわち、ネットワークデバイスは、Ｎ種類の参照信号時間領域構成を予め記憶し得る、または、任意で、ネットワークデバイスは、Ｎ種類の参照信号時間領域構成を構成し、上位層シグナリングを第１端末デバイスへ送信し、上位層シグナリングはＮ種類の参照信号時間領域構成を指示するために使用される。次に、ネットワークデバイスは、Ｎ種類の参照信号時間領域構成から１種類を選択し、第１物理層シグナリングを第１端末デバイスへ送信し、第１物理層シグナリングは、選択された参照信号時間領域構成を指示するために使用される。
【０１７８】
任意で、ネットワークデバイスによって送信された第１ＤＣＩに含まれる第１構成情報は、Ｎ種類の参照信号時間領域構成のうちの１種類を指示し得て、Ｎは正の整数である。第１構成情報の具体的な内容については、段階４０１から段階４０３における構成情報の説明を参照されたい。ここでは詳細を再度説明しない。
【０１７９】
実装において、ネットワークデバイスは、第１参照信号の時間領域リソースを決定した後に、第１構成情報を含む第１物理層シグナリングを第１端末デバイスへ送信し得る。例えば、第１構成情報が、第１参照信号および第１物理チャネルが同一のＴＴＩに位置することを指示するとき、第１物理チャネルは、第１参照信号によって占有されるシンボルを除く、ＴＴＩにおけるすべてのシンボルを占有する、または、第１構成情報が、第１参照信号および第１物理チャネルが異なるＴＴＩに位置することを指示するとき、第１物理チャネルは、第１物理チャネルが位置するＴＴＩにおけるすべてのシンボルを占有する。
【０１８０】
以下では具体的に、参照信号の時間領域リソースのための構成情報によって指示される、参照信号の複数の任意の時間領域リソースを説明する。
【０１８１】
任意で、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。例えば、ｋは１、２、または３である。言い換えれば、第１構成情報は、第１物理チャネルが位置するＴＴＩの前のｋ番目のＴＴＩに第１参照信号が位置することを指示し、ｋは非負整数である。例えば、ｋは０、１、２、または３である。任意で、第１構成情報が、ｋは０であることを指示するとき、第１物理チャネルは、第１物理チャネルが位置するＴＴＩにおけるいくつかのシンボルを占有する（第１参照信号は当該いくつかのシンボルを占有しない）、または、構成情報が、ｋは０より大きいことを指示するとき、第１物理チャネルは、第１物理チャネルが位置するＴＴＩにおけるすべてのシンボルを占有する。第１構成情報の具体的な内容については、段階４０１から段階４０３における解決法１および解決法２を参照されたい。ここでは詳細を再度説明しない。
【０１８２】
任意で、第１参照信号および第１物理チャネルは同一のＴＴＩに位置し、第１構成情報は、第１参照信号がＴＴＩにおける１番目のシンボル、または、最後のシンボルに位置することを指示するために使用される。第１構成情報の具体的な内容については、段階４０１から段階４０３における解決法３を参照されたい。ここでは詳細を再度説明しない。
【０１８３】
任意で、第１構成情報は、第１参照信号がタイムスロットにおけるａ番目のシンボル、または、サブフレームにおけるｂ番目のシンボルに位置することを指示するために使用され、ａは６または７より大きくない正の整数であり、ｂは１２または１４より大きくない正の整数である。例えば、ａは１または４であり、ｂは１、４、８または１１である。別の例については、ａは１または３であり、ｂは１、３、７または９である。好ましくは、第１参照信号および第１物理チャネルは、同一のタイムスロットまたはサブフレームに位置する。第１構成情報の具体的な内容については、段階４０１から段階４０３における解決法４および解決法５を参照されたい。ここでは詳細を再度説明しない。
【０１８４】
任意で、第１構成情報は、第１参照信号がタイムスロットにおけるｃ番目のシンボル、または、サブフレームにおけるｄ番目のシンボルに位置することを指示するために使用され、ｃは６または７より大きくない正の整数であり、ｄは１２または１４より大きくない正の整数である。好ましくは、第１参照信号および第１物理チャネルは、同一のタイムスロットまたはサブフレームに位置する。例えば、ｃは１または２であり、第１構成情報は、参照信号がタイムスロットにおける１番目のシンボル、または、タイムスロットにおける１番目のシンボルおよび４番目のシンボルに位置することを指示するために使用される。例えば、ｄは２または４であり、第１構成情報は、サブフレームにおける１番目のシンボルおよび８番目のシンボル、または、サブフレームにおける１番目のシンボル、４番目のシンボル、８番目のシンボルおよび１１番目のシンボルに参照信号が位置することを指示するために使用される。第１構成情報の具体的な内容については、段階４０１から段階４０３における解決法６および解決法７を参照されたい。ここでは詳細を再度説明しない。
【０１８５】
任意で、第１構成情報はさらに、第１参照信号の周波数領域リソースを指示するために使用され得る。任意で、第１構成情報は１または複数の情報フィールドを含み得る。具体的な内容については、構成情報がさらに第１参照信号の周波数領域リソースを指示するために使用される、段階４０１から段階４０３における発明内容を参照されたい。ここでは詳細を再度説明しない。
【０１８６】
任意で、第１構成情報はさらに、番号が偶数であるサブキャリア、または、番号が奇数であるサブキャリアに第１参照信号が位置することを指示するために使用され得る。任意で、構成情報は１または複数の情報フィールドを含む。具体的な内容については、上述の実施形態を参照されたい。ここでは詳細を再度説明しない。
【０１８７】
任意で、第１物理チャネルはアップリンク物理チャネル（例えば、ＰＵＳＣＨまたはＰＵＣＣＨ）であり、段階１２０２は、ネットワークデバイスが、第１端末デバイスによって送信された第１参照信号および第１物理チャネルを受信し、第１参照信号に従って第１物理チャネルを復調することを含み、第１参照信号は第１物理チャネルの復調に使用される。第１参照信号の受信と第１物理チャネルの受信との間に時間的順序の関係は無いことに留意されたい。すなわち、ネットワークデバイスは、最初に第１参照信号を受信し、次に第１物理チャネルを受信し得る、または、最初に第１物理チャネルを受信し、次に第１参照信号を受信し得る。
【０１８８】
任意で、第１物理チャネルはダウンリンク物理チャネル（例えば、ＰＤＳＣＨ）であり、段階１２０２は、ネットワークデバイスが、第１参照信号および第１物理チャネルを第１端末デバイスへ送信することを含み、第１参照信号は第１物理チャネルの復調に使用される。第１参照信号の送信と、第１物理チャネルの送信との間に時間的順序の関係は無いことに留意されたい。
【０１８９】
任意で、第１物理チャネルはアップリンク物理チャネル（例えば、ＰＵＳＣＨまたはＰＵＣＣＨ）であり、ネットワークデバイスが第１物理層シグナリングを第１端末デバイスへ送信する前、または、送信するとき、処理手順はさらに、ネットワークデバイスが、第１端末デバイスによって送信された第１参照信号を受信することを含む。この場合、段階１２０２は、ネットワークデバイスが、第１端末デバイスによって送信された第１物理チャネルを受信し、第１参照信号に従って第１物理チャネルを復調することを含む。第１参照信号は、第１物理チャネルが位置するＴＴＩの前のｋ番目のＴＴＩ（ｋは０より大きい）に位置し得るので、ネットワークデバイスによって送信された第１物理層シグナリングによって指示される第１参照信号は、ネットワークデバイスによって受信された、または、受信されている第１参照信号であり得ることに留意されたい。これは、第１物理チャネルのみが第１端末デバイスの側で送信されるケースに対応する。
【０１９０】
任意で、第１物理チャネルはダウンリンク物理チャネル（例えば、ＰＤＳＣＨ）であり、ネットワークデバイスが第１物理層シグナリングを第１端末デバイスへ送信する前、または、送信するとき、処理手順はさらに、ネットワークデバイスが第１参照信号を第１端末デバイスへ送信することを含む。この場合、段階１２０２は、ネットワークデバイスが第１物理チャネルを第１端末デバイスへ送信することを含む。第１参照信号は、第１物理チャネルが位置するＴＴＩの前のｋ番目のＴＴＩ（ｋは０より大きい）に位置し得るので、ネットワークデバイスによって第１端末デバイスへ送信された第１物理層シグナリングによって指示される第１参照信号は、ネットワークデバイスによって送信された、または、送信されている第１参照信号であり得ることに留意されたい。 
【０１９１】
任意で、ネットワークデバイスはさらに、第１端末デバイスによって送信された第２物理チャネルを受信し得る。これに対応して、処理プロセスは以下の通りであり得る。ネットワークデバイスが第１端末デバイスによって送信された第２物理チャネルを受信し、第１物理チャネルおよび第２物理チャネルは異なるＴＴＩに位置する。ネットワークデバイスが第１参照信号に従って第２物理チャネルを復調する。
【０１９２】
任意で、ネットワークデバイスはさらに、第２物理チャネルを第１端末デバイスへ送信し得る。これに対応して、処理プロセスは以下の通りであり得る。ネットワークデバイスが第２物理チャネルを第１端末デバイスへ送信し、第１参照信号は第２物理チャネルの復調に使用され、第１物理チャネルおよび第２物理チャネルは異なるＴＴＩに位置する。この場合、第１物理チャネルおよび第２物理チャネルは、同一の第１参照信号に対応し、第１参照信号は第１端末デバイスへ送信済みである。したがって、この場合、ネットワークデバイスは、第２物理チャネルのみを送信し得る。
【０１９３】
参照信号の時間領域リソースの上述の構成方式に基づいて、同一の端末デバイスについては、ネットワークデバイスが、異なる物理チャネルが異なるＴＴＩに位置するように構成する必要がある場合でも、同一の参照信号を異なる物理チャネルに構成できる。例えば、図１１に示されるように、同一の端末デバイスにスケジューリングされた第１物理チャネルおよび第２物理チャネルは、異なるシンボルに位置し、第１物理チャネルに対応する参照信号、および、第２物理チャネルに対応する参照信号は、同一の参照信号であり、すなわち、第１物理チャネルおよび第２物理チャネルに対応する参照信号は同一の時間領域リソースに位置する。従来技術において、各物理チャネルは、少なくとも１つの参照信号に対応する必要があり、すなわち、２つの異なる物理チャネルは少なくとも２つの参照信号を必要とする。従来技術と比較して、本発明における構成方式では、参照信号のオーバヘッドを減少させることができる。
【０１９４】
任意で、ネットワークデバイスはさらに、第２物理層シグナリングを第２端末デバイスへ送信し得る。これに対応して、処理プロセスは、ネットワークデバイスが第２物理層シグナリングを第２端末デバイスへ送信することであって、第２物理層シグナリングは第２構成情報を含み、第２構成情報は第２参照信号の時間領域リソースを指示するために使用される、こと、および、ネットワークデバイスが、第２端末デバイスによって送信された第３物理チャネルを受信し、第２参照信号に従って第３物理チャネルを復調する、または、ネットワークデバイスが、第３物理チャネルを第２端末デバイスへ送信することであって、第２参照信号は第３物理チャネルの復調に使用され、第２参照信号および第１参照信号は同一の時間領域リソースに位置し、第１物理チャネルおよび第３物理チャネルは異なるＴＴＩに位置する、ことであり得る。
【０１９５】
第２端末デバイスは、第１端末デバイス以外の任意の端末デバイスであり得る。
【０１９６】
実装において、ネットワークデバイスは、第２物理層シグナリングを第２端末デバイスへ送信し得て、第２物理層シグナリングは、第２構成情報を含み得て、第２構成情報は、第２参照信号の時間領域リソースを指示するために使用され得る。第２端末デバイスは、段階４０１から段階４０３に記載された方法に従って、第２参照信号の時間領域リソースを決定し、第２参照信号および第３物理チャネルをネットワークデバイスへ送信し得る、または、ネットワークデバイスによって送信された第２参照信号および第３物理チャネルを受信し得る。第３物理チャネルは、第２物理層シグナリングによってスケジューリングされる物理チャネルであり得て、第２参照信号に対応する物理チャネルである。ネットワークデバイスは、第２端末デバイスによって送信された第２参照信号および第３物理チャネルを受信し得るか、または、第２参照信号および第３物理チャネルを第２端末デバイスへ送信し得る。第２参照信号および第１参照信号は同一の時間領域リソースに位置し得て、異なる周波数領域リソースまたは符号領域リソースに位置し、第１物理チャネルおよび第３物理チャネルは異なるＴＴＩに位置する。
【０１９７】
参照信号の時間領域リソースの上述の構成方式に基づき、異なる端末デバイスについては、ネットワークデバイスが、異なる端末デバイスの物理チャネルが異なるＴＴＩに位置するように構成する必要がある場合でも、異なる端末デバイスの物理チャネルに対応する参照信号が同一の時間領域リソースに位置するように構成できる。例えば、図１３に示されるように、第１端末デバイスにスケジューリングされた第１物理チャネル、および、第２端末デバイスにスケジューリングされた第２物理チャネルは、異なるシンボルに位置し、第１物理チャネルに対応する第１参照信号、および、第２物理チャネルに対応する第２参照信号は、同一のシンボルに位置する。さらに、第１参照信号および第２参照信号は、異なる周波数領域リソースに位置し得る。例えば、第１参照信号は、番号が偶数であるサブキャリアに位置し得て、第２参照信号は、番号が奇数であるサブキャリアに位置し得る。代替的に、第１参照信号および第２参照信号は、異なる符号領域リソースに位置し得る。従来技術において、異なる時間領域リソースに位置する物理チャネルは、異なる参照信号に対応する必要があり、すなわち、２つの時間領域リソースに位置する物理チャネルは、少なくとも２つの参照信号を必要とする。従来技術と比較して、本発明における構成方式では、参照信号のオーバヘッドを減少させることができる。
【０１９８】
任意で、物理層シグナリングがＤＣＩであるケースについては、第２物理層シグナリングは第２ＤＣＩであり得る。
【０１９９】
任意で、第２物理層シグナリングはマルチキャストシグナリングであり、すなわち、第２物理層シグナリングは一組の端末デバイスへ送信されるか、または、第２物理層シグナリングはユニキャストシグナリングであり、すなわち、第２物理層シグナリングは１個の端末デバイスへ送信される。
【０２００】
任意で、第１物理層信号および第２物理層シグナリングは同一の物理層シグナリングである。
【０２０１】
任意で、第１ＤＣＩおよび第２ＤＣＩは同一のＤＣＩである。ＤＣＩは複数の構成情報を含み、異なる構成情報は、異なる端末デバイスの参照信号の時間領域リソースおよび／または周波数領域リソースを指示する。例えば、複数の構成情報のうちの２つは、第１構成情報および第２構成情報である。
【０２０２】
本発明のこの実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０２０３】
以下では、実行主体がネットワークデバイスおよび端末デバイスである例を使用することによって、具体的な実装に関連して、図１４に示される、システムの処理手順を詳細に説明する。処理手順の内容は以下の通りであり得る。
【０２０４】
段階１４０１：ネットワークデバイスが物理層シグナリングを端末デバイスへ送信し、物理層シグナリングは構成情報を含み、構成情報は、参照信号の時間領域リソースを指示するために使用される。
【０２０５】
物理層シグナリングはＤＣＩであり得る。
【０２０６】
実装において、ネットワークデバイスは、参照信号の時間領域リソースを決定し、物理層シグナリングを端末デバイス（任意の端末デバイス、すなわち、図４に示される手順に記載されている端末デバイスであり得る）へ送信し得て、物理層シグナリングは構成情報を含み、構成情報は、参照信号の時間領域リソースを指示するために使用され、すなわち、物理層シグナリングは、参照信号の時間領域リソースを指示するために使用される情報を含む。物理層シグナリングの具体的な内容については、段階４０１から段階４０３における物理層シグナリングの説明を参照されたい。ここでは詳細を再度説明しない。
【０２０７】
段階１４０２：端末デバイスが、ネットワークデバイスによって送信された物理層シグナリングを受信し、物理層シグナリングは構成情報を含み、構成情報は参照信号の時間領域リソースを指示するために使用される。
【０２０８】
実装において、ネットワークデバイスが物理層シグナリングを端末デバイスへ送信した後に、端末デバイスは、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。
【０２０９】
段階１４０３：端末デバイスが構成情報に従って参照信号の時間領域リソースを決定する。
【０２１０】
実装において、端末デバイスは、ネットワークデバイスによって送信された物理層シグナリングを受信した後に、物理層シグナリングに含まれる構成情報に従って参照信号の時間領域リソースを決定し得る。具体的には、参照信号のＮ種類の予め定められた参照信号時間領域構成は、端末デバイスに予め記憶され得て、端末デバイスは、ネットワークデバイスによって送信された物理層シグナリングを受信した後に、物理層シグナリングに含まれる構成情報によって指示された構成方式に従って、参照信号の時間領域リソースを決定し得る。
【０２１１】
段階１４０４：端末デバイスが参照信号および物理チャネルをネットワークデバイスへ送信し、参照信号は、物理チャネルの復調に使用される。
【０２１２】
実装において、端末デバイスは、参照信号の時間領域リソースを決定した後に、参照信号および物理チャネルをネットワークデバイスへ送信し得て、参照信号は、物理チャネルの復調に使用され、すなわち、参照信号は、物理層シグナリングによってスケジューリングされる物理チャネルに対応する参照信号である。
【０２１３】
段階１４０５：ネットワークデバイスが、端末デバイスによって送信された参照信号および物理チャネルを受信する。
【０２１４】
実装において、端末デバイスが参照信号および物理チャネルをネットワークデバイスへ送信した後に、ネットワークデバイスは、端末デバイスによって送信された参照信号および物理チャネルを受信し得る。
【０２１５】
段階１４０６：ネットワークデバイスが参照信号に従って物理チャネルを復調する。
【０２１６】
実装において、ネットワークデバイスは、端末デバイスによって送信された参照信号および物理チャネルを受信した後に、物理チャネルに対応する参照信号に従って、物理チャネルを復調し得る。
【０２１７】
本発明のこの実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０２１８】
同一の概念に基づき、本発明の実施形態はさらに、端末デバイスを提供する。図２に示されているように、この実施形態において提供される端末デバイスは、本発明の図４および図１４に示される実施形態における手順を実装し得て、端末デバイスは受信器２１０、プロセッサ２２０および送信器２３０を備える。
【０２１９】
受信器２１０は、ネットワークデバイスによって送信された物理層シグナリングを受信するように構成され、物理層シグナリングは構成情報を含み、構成情報は参照信号の時間領域リソースを指示するために使用される。
【０２２０】
プロセッサ２２０は、受信器２１０によって受信された構成情報に従って、参照信号の時間領域リソースを決定するように構成されている。
【０２２１】
送信器２３０は、プロセッサ２２０によって決定された参照信号、および、第１物理チャネルをネットワークデバイスへ送信するように構成され、参照信号は、第１物理チャネルの復調に使用される。
【０２２２】
実装において、ネットワークデバイスが物理層シグナリングを端末デバイスへ送信した後に、受信器２１０は、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。受信器２１０がネットワークデバイスによって送信された物理層シグナリングを受信した後に、プロセッサ２２０は、物理層シグナリングに含まれる構成情報に従って参照信号の時間領域リソースを決定し得る。具体的には、参照信号のＮ種類の予め定められた参照信号時間領域構成は、端末デバイスに予め記憶され得て、受信器２１０が、ネットワークデバイスによって送信された物理層シグナリングを受信した後に、プロセッサ２２０は、物理層シグナリングに含まれる構成情報によって指示された構成方式に従って、参照信号の時間領域リソースを決定し得る。次に、送信器２３０は参照信号および第１物理チャネルをネットワークデバイスへ送信し得て、参照信号は、第１物理チャネルの復調に使用される。
【０２２３】
任意で、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０２２４】
任意で、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【０２２５】
実装において、端末デバイスは、構成情報に従って、参照信号および第１物理チャネルが同一のＴＴＩに位置すると、または、第１物理チャネルが位置するＴＴＩの前のｋ番目のＴＴＩに参照信号が位置すると決定し、ｋは正の整数である。例えば、ｋは１、２、または３である。言い換えれば、端末デバイスは、参照信号の時間領域リソースのための構成情報に従って、第１物理チャネルが位置するＴＴＩの前のｋ番目のＴＴＩに参照信号が位置すると決定し、ｋは非負整数である。例えば、ｋは０、１、２、または３である。任意で、構成情報が、ｋは０であることを指示するとき、端末デバイスは、第１物理チャネルが、第１物理チャネルが位置するＴＴＩにおけるいくつかのシンボルを占有する（参照信号は当該いくつかのシンボルを占有しない）と決定する、または、構成情報が、ｋは０より大きいことを指示するとき、端末デバイスは、第１物理チャネルが、第１物理チャネルが位置するＴＴＩにおけるすべてのシンボルを占有すると決定する。構成情報の具体的な内容については、段階４０１から段階４０３における解決法１および解決法２を参照されたい。ここでは詳細を再度説明しない。
【０２２６】
任意で、参照信号および第１物理チャネルは同一のＴＴＩに位置し、構成情報は、参照信号がＴＴＩにおける１番目のシンボル、または、最後のシンボルに位置することを指示するために使用される。
【０２２７】
実装において、端末デバイスは、構成情報に従って、参照信号および第１物理チャネルが同一のＴＴＩに位置すると、および、参照信号がＴＴＩにおける１番目のシンボルまたは最後のシンボルに位置すると決定する。すなわち、参照信号は、第１物理チャネルの前のシンボルに位置するか、または、参照信号は、第１物理チャネルの後のシンボルに位置する。任意で、端末デバイスは、構成情報に従って、第１物理チャネルがＴＴＩにおける１番目のシンボルまたは最後のシンボルを占有しないと決定する。構成情報の具体的な内容については、段階４０１から段階４０３における解決法３を参照されたい。ここでは詳細を再度説明しない。
【０２２８】
任意で、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８、または１１である。
【０２２９】
実装において、端末デバイスは、構成情報に従って、参照信号がタイムスロットにおけるａ番目のシンボル、または、サブフレームにおけるｂ番目のシンボルに位置すると決定し、タイムスロットまたはサブフレームは、第１物理チャネルが位置するタイムスロットまたはサブフレームである。例えば、構成情報は、第１物理チャネルが位置するタイムスロットにおける１番目のシンボルまたは４番目のシンボルに参照信号が位置することを指示するために使用され得る。例えば、構成情報は、第１物理チャネルが位置するサブフレームにおける１番目のシンボル、４番目のシンボル、８番目のシンボル、または１１番目のシンボルに参照信号が位置することを指示するために使用され得る。任意で、端末デバイスは、構成情報に従って、第１物理チャネルがタイムスロットにおけるａ番目のシンボル、または、サブフレームにおけるｂ番目のシンボルを占有しないと決定する。構成情報の具体的な内容については、段階４０１から段階４０３における解決法４および解決法５を参照されたい。ここでは詳細を再度説明しない。
【０２３０】
任意で、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【０２３１】
実装において、端末デバイスは、構成情報に従って、参照信号がタイムスロットにおけるｃ番目のシンボル、または、サブフレームにおけるｄ番目のシンボルに位置すると決定し、タイムスロットまたはサブフレームは、第１物理チャネルが位置するタイムスロットまたはサブフレームである。任意で、端末デバイスは、構成情報に従って、第１物理チャネルがタイムスロットにおけるｃ番目のシンボル、または、サブフレームにおけるｄ番目のシンボルを占有しないと決定する。構成情報の具体的な内容については、段階４０１から段階４０３における解決法６または解決法７を参照されたい。ここでは詳細を再度説明しない。
【０２３２】
任意で、送信器２３０はさらに、第２物理チャネルをネットワークデバイスへ送信するように構成され、参照信号は、第２物理チャネルの復調に使用され、第１物理チャネルおよび第２物理チャネルは、異なるＴＴＩに位置する。
【０２３３】
実装において、送信器２３０はさらに、第２物理チャネルをネットワークデバイスへ送信し得て、第１物理チャネルおよび第２物理チャネルは異なるＴＴＩに位置し、同一の参照信号に対応する。すなわち、参照信号は、第１物理チャネルの復調に使用され得て、また、第２物理チャネルの復調に使用され得る。
【０２３４】
任意で、構成情報はさらに、番号が偶数であるサブキャリア、または、番号が奇数であるサブキャリアに参照信号が位置することを指示するために使用される。
【０２３５】
プロセッサ２２０は、具体的には、構成情報に従って、参照信号の時間領域リソースを決定し、構成情報に従って、番号が偶数であるサブキャリア、または、番号が奇数であるサブキャリアに参照信号が位置すると決定するように構成される。
【０２３６】
実装において、構成情報はさらに、参照信号の周波数領域リソースを指示するために使用される。具体的には、構成情報は、番号が偶数であるサブキャリア、または、番号が奇数であるサブキャリアに参照信号が位置することを指示するために使用され得る。この場合、プロセッサ２２０は、構成情報に従って、参照信号の時間領域リソースを決定し、構成情報に従って、番号が偶数であるサブキャリア、または、番号が奇数であるサブキャリアに参照信号が位置すると決定するように構成され得る。
【０２３７】
任意で、物理層シグナリングは、ダウンリンク制御情報ＤＣＩであり、ＤＣＩはマルチキャストシグナリングである、または、ＤＣＩはユニキャストシグナリングである。
【０２３８】
同一の概念に基づき、本発明の実施形態はさらに、ネットワークデバイスを提供する。図３に示されるように、この実施形態において提供されるネットワークデバイスは、本発明の図１２および図１４において示される実施形態における手順を実装し得て、ネットワークデバイスは送信器３１０、受信器３２０およびプロセッサ３３０を含む。
【０２３９】
送信器３１０は、第１物理層シグナリングを第１端末デバイスへ送信するように構成され、第１物理層シグナリングは第１構成情報を含み、第１構成情報は、第１参照信号の時間領域リソースを指示するために使用される。
【０２４０】
受信器３２０は、第１端末デバイスによって送信された、第１参照信号および第１物理チャネルを受信するように構成されている。
【０２４１】
プロセッサ３３０は、受信器３２０によって受信された第１参照信号に従って第１物理チャネルを復調するように構成されている。
【０２４２】
物理層シグナリングはＤＣＩであり得る。
【０２４３】
実装において、プロセッサ３３０は、参照信号の時間領域リソースを決定し得て、送信器３１０は、第１物理層シグナリングを第１端末デバイス（任意の端末デバイス、すなわち、図４に示された手順に記載された端末デバイスであり得る）へ送信し得て、第１物理層シグナリングは第１構成情報を含み、第１構成情報は第１参照信号の時間領域リソースを指示するために使用され、すなわち、第１物理層シグナリングは、第１参照信号の時間領域リソースを指示するために使用される情報を含む。第１端末デバイスは、送信器３１０によって送信された物理層シグナリングを受信した後に、段階４０１から段階４０３における上述の方式に従って処理を実行し得る。第１端末デバイスが第１参照信号および第１物理チャネルをネットワークデバイスへ送信するとき、受信器３２０は、第１端末デバイスによって送信された第１参照信号および第１物理チャネルを受信し得る。プロセッサ３３０は、受信器３２０によって受信された第１参照信号に従って第１物理チャネルを復調し得る。
【０２４４】
任意で、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０２４５】
任意で、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【０２４６】
実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。例えば、ｋは１、２、または３である。言い換えれば、第１構成情報は、第１物理チャネルが位置するＴＴＩの前のｋ番目のＴＴＩに第１参照信号が位置することを指示し、ｋは非負整数である。例えば、ｋは０、１、２、または３である。任意で、第１構成情報が、ｋは０であることを指示するとき、第１物理チャネルは、第１物理チャネルが位置するＴＴＩにおけるいくつかのシンボルを占有する（第１参照信号は当該いくつかのシンボルを占有しない）、または、構成情報が、ｋは０より大きいことを指示するとき、第１物理チャネルは、第１物理チャネルが位置するＴＴＩにおけるすべてのシンボルを占有する。第１構成情報の具体的な内容については、段階４０１から段階４０３における解決法１および解決法２を参照されたい。ここでは詳細を再度説明しない。
【０２４７】
任意で、第１参照信号および第１物理チャネルは同一のＴＴＩに位置し、第１構成情報は、第１参照信号がＴＴＩにおける１番目のシンボル、または、最後のシンボルに位置することを指示するために使用される。
【０２４８】
実装において、第１構成情報参照信号および第１物理チャネルは、同一のＴＴＩに位置し、第１参照信号は、ＴＴＩにおける１番目のシンボルまたは最後のシンボルに位置する。すなわち、第１参照信号は、第１物理チャネルの前のシンボルに位置するか、または、第１参照信号は、第１物理チャネルの後のシンボルに位置する。任意で、第１構成情報は、第１物理チャネルがＴＴＩにおける１番目のシンボル、または、最後のシンボルを占有しないことを指示するために使用され得る。第１構成情報の具体的な内容については、段階４０１から段階４０３における解決法３を参照されたい。ここでは詳細を再度説明しない。
【０２４９】
任意で、第１参照信号および第１物理チャネルは、同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８、または１１である。
【０２５０】
実装において、第１構成情報は、第１参照信号がタイムスロットにおけるａ番目のシンボル、または、サブフレームにおけるｂ番目のシンボルに位置することを指示するために使用され、タイムスロットまたはサブフレームは、第１物理チャネルが位置するタイムスロットまたはサブフレームである。例えば、第１構成情報は、第１物理チャネルが位置するタイムスロットにおける１番目のシンボルまたは４番目のシンボルに第１参照信号が位置することを指示するために使用され得る。例えば、第１構成情報は、第１物理チャネルが位置するサブフレームにおける１番目のシンボル、４番目のシンボル、８番目のシンボル、または１１番目のシンボルに第１参照信号が位置することを指示するために使用され得る。任意で、第１構成情報は、第１物理チャネルが、タイムスロットにおけるａ番目のシンボル、または、サブフレームにおけるｂ番目のシンボルを占有しないことを指示するために使用され得る。構成情報の具体的な内容については、段階４０１から段階４０３における解決法４および解決法５を参照されたい。ここでは詳細を再度説明しない。
【０２５１】
任意で、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。構成情報の具体的な内容については、段階４０１から段階４０３における解決法６または解決法７を参照されたい。ここでは詳細を再度説明しない。
【０２５２】
任意で、受信器３２０はさらに、第１端末デバイスによって送信された第２物理チャネルを受信するように構成され、第１物理チャネルおよび第２物理チャネルは異なるＴＴＩに位置する。
【０２５３】
プロセッサ３３０はさらに、第１参照信号に従って第２物理チャネルを復調するように構成されている。
【０２５４】
実装において、第１端末デバイスが第２物理チャネルを送信するケースについては、受信器３２０はさらに、第１端末デバイスによって送信された第２物理チャネルを受信し得て、第１物理チャネルおよび第２物理チャネルは異なるＴＴＩに位置する。次に、プロセッサ３３０は、第１参照信号に従って第２物理チャネルを復調し得る。
【０２５５】
任意で、第１構成情報はさらに、番号が偶数であるサブキャリア、または、番号が奇数であるサブキャリアに第１参照信号が位置することを指示するために使用される。
【０２５６】
任意で、送信器３１０はさらに、第２物理層シグナリングを第２端末デバイスへ送信するように構成され、第２物理層シグナリングは第２構成情報を含み、第２構成情報は第２参照信号の時間領域リソースを指示するために使用される。
【０２５７】
受信器３２０はさらに、第２端末デバイスによって送信された第２参照信号および第３物理チャネルを受信するように構成され、第２参照信号および第１参照信号は同一の時間領域リソースに位置し、第１物理チャネルおよび第３物理チャネルは異なるＴＴＩに位置する。
【０２５８】
プロセッサ３３０はさらに、第２参照信号に従って、第３物理チャネルを復調するように構成されている。
【０２５９】
第２端末デバイスは、第１端末デバイス以外の任意の端末デバイスであり得る。
【０２６０】
実装において、送信器３１０は、第２物理層シグナリングを第２端末デバイスへ送信し得て、第２物理層シグナリングは、第２構成情報を含み得て、第２構成情報は、第２参照信号の時間領域リソースを指示するために使用され得る。第２端末デバイスは、段階４０１から段階４０３に記載された方法に従って、第２参照信号の時間領域リソースを決定し、第２参照信号および第３物理チャネルをネットワークデバイスへ送信し得る。第３物理チャネルは、第２物理層シグナリングによってスケジューリングされる物理チャネルであり得て、第２参照信号に対応する物理チャネルである。受信器３２０は、第２端末デバイスによって送信される第２参照信号および第３物理チャネルを受信し得て、第２参照信号および第１参照信号は、同一の時間領域リソースに位置し、異なる周波数領域リソースまたは符号領域リソースに位置し得て、第１物理チャネルおよび第３物理チャネルは異なるＴＴＩに位置する。次に、プロセッサ３３０は、第２参照信号に従って、第３物理チャネルを復調し得る。
【０２６１】
任意で、第１物理層シグナリングは第１ＤＣＩであり、第２物理層シグナリングは第２ＤＣＩであり、第１ＤＣＩまたは第２ＤＣＩまたは両方はユニキャストシグナリングである、または、第１ＤＣＩおよび第２ＤＣＩは同一のＤＣＩであり、マルチキャストシグナリングである。
【０２６２】
本発明のこの実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０２６３】
同一の技術的概念に基づき、本発明の実施形態はさらに、端末デバイスを提供する。図１５に示されるように、端末デバイスは、ネットワークデバイスによって送信された物理層シグナリングを受信するように構成されている受信モジュール１５１０であって、物理層シグナリングは構成情報を含み、構成情報は参照信号の時間領域リソースを指示するために使用される、受信モジュール１５１０と、受信モジュール１５１０によって受信された構成情報に従って、参照信号の時間領域リソースを決定するように構成されている決定モジュール１５２０と、決定モジュール１５２０によって決定された参照信号および第１物理チャネルをネットワークデバイスへ送信するように構成されている送信モジュール１５３０であって、参照信号は第１物理チャネルの復調に使用される、送信モジュール１５３０とを備える。
【０２６４】
実装において、ネットワークデバイスが物理層シグナリングを端末デバイスへ送信した後に、受信モジュール１５１０は、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。受信モジュール１５１０がネットワークデバイスによって送信された物理層シグナリングを受信した後に、決定モジュール１５２０は、物理層シグナリングに含まれる構成情報に従って参照信号の時間領域リソースを決定し得る。具体的には、参照信号のＮ種類の予め定められた参照信号時間領域構成は、端末デバイスに予め記憶され得て、受信モジュール１５１０がネットワークデバイスによって送信された物理層シグナリングを受信した後に、決定モジュール１５２０は、物理層シグナリングに含まれる構成情報によって指示された構成方式に従って、参照信号の時間領域リソースを決定し得る。次に、送信モジュール１５３０は参照信号および第１物理チャネルをネットワークデバイスへ送信し得て、参照信号は、第１物理チャネルの復調に使用される。
【０２６５】
任意で、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０２６６】
任意で、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【０２６７】
実装において、端末デバイスは、構成情報に従って、参照信号および第１物理チャネルが同一のＴＴＩに位置すると、または、第１物理チャネルが位置するＴＴＩの前のｋ番目のＴＴＩに参照信号が位置すると決定し、ｋは正の整数である。例えば、ｋは１、２、または３である。言い換えれば、端末デバイスは、参照信号の時間領域リソースのための構成情報に従って、第１物理チャネルが位置するＴＴＩの前のｋ番目のＴＴＩに参照信号が位置すると決定し、ｋは非負整数である。例えば、ｋは０、１、２、または３である。任意で、構成情報が、ｋは０であることを指示するとき、端末デバイスは、第１物理チャネルが、第１物理チャネルが位置するＴＴＩにおけるいくつかのシンボルを占有する（参照信号は当該いくつかのシンボルを占有しない）と決定する、または、構成情報が、ｋは０より大きいことを指示するとき、端末デバイスは、第１物理チャネルが、第１物理チャネルが位置するＴＴＩにおけるすべてのシンボルを占有すると決定する。構成情報の具体的な内容については、段階４０１から段階４０３における解決法１および解決法２を参照されたい。ここでは詳細を再度説明しない。
【０２６８】
任意で、参照信号および第１物理チャネルは同一のＴＴＩに位置し、構成情報は、参照信号がＴＴＩにおける１番目のシンボル、または、最後のシンボルに位置することを指示するために使用される。
【０２６９】
実装において、端末デバイスは、構成情報に従って、参照信号および第１物理チャネルが同一のＴＴＩに位置すると、および、参照信号がＴＴＩにおける１番目のシンボルまたは最後のシンボルに位置すると決定する。すなわち、参照信号は、第１物理チャネルの前のシンボルに位置するか、または、参照信号は、第１物理チャネルの後のシンボルに位置する。任意で、端末デバイスは、構成情報に従って、第１物理チャネルがＴＴＩにおける１番目のシンボルまたは最後のシンボルを占有しないと決定する。構成情報の具体的な内容については、段階４０１から段階４０３における解決法３を参照されたい。ここでは詳細を再度説明しない。
【０２７０】
任意で、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８、または１１である。
【０２７１】
実装において、端末デバイスは、構成情報に従って、参照信号がタイムスロットにおけるａ番目のシンボル、または、サブフレームにおけるｂ番目のシンボルに位置すると決定し、タイムスロットまたはサブフレームは、第１物理チャネルが位置するタイムスロットまたはサブフレームである。例えば、構成情報は、第１物理チャネルが位置するタイムスロットにおける１番目のシンボルまたは４番目のシンボルに参照信号が位置することを指示するために使用され得る。例えば、構成情報は、第１物理チャネルが位置するサブフレームにおける１番目のシンボル、４番目のシンボル、８番目のシンボル、または１１番目のシンボルに参照信号が位置することを指示するために使用され得る。任意で、端末デバイスは、構成情報に従って、第１物理チャネルがタイムスロットにおけるａ番目のシンボル、または、サブフレームにおけるｂ番目のシンボルを占有しないと決定する。構成情報の具体的な内容については、段階４０１から段階４０３における解決法４および解決法５を参照されたい。ここでは詳細を再度説明しない。
【０２７２】
任意で、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【０２７３】
実装において、端末デバイスは、構成情報に従って、参照信号がタイムスロットにおけるｃ番目のシンボル、または、サブフレームにおけるｄ番目のシンボルに位置すると決定し、タイムスロットまたはサブフレームは、第１物理チャネルが位置するタイムスロットまたはサブフレームである。任意で、端末デバイスは、構成情報に従って、第１物理チャネルがタイムスロットにおけるｃ番目のシンボル、または、サブフレームにおけるｄ番目のシンボルを占有しないと決定する。構成情報の具体的な内容については、段階４０１から段階４０３における解決法６または解決法７を参照されたい。ここでは詳細を再度説明しない。
【０２７４】
任意で、送信モジュール１５３０はさらに、第２物理チャネルをネットワークデバイスへ送信するように構成され、参照信号は、第２物理チャネルの復調に使用され、第１物理チャネルおよび第２物理チャネルは、異なるＴＴＩに位置する。
【０２７５】
実装において、送信モジュール１５３０はさらに、第２物理チャネルをネットワークデバイスへ送信し得て、第１物理チャネルおよび第２物理チャネルは異なるＴＴＩに位置し、同一の参照信号に対応する。すなわち、参照信号は、第１物理チャネルの復調に使用され得て、また、第２物理チャネルの復調に使用され得る。
【０２７６】
任意で、構成情報はさらに、番号が偶数であるサブキャリア、または、番号が奇数であるサブキャリアに参照信号が位置することを指示するために使用される。
【０２７７】
決定モジュール１５２０は、具体的には、端末デバイスによって、構成情報に従って、参照信号の時間領域リソースを決定し、構成情報に従って、番号が偶数であるサブキャリア、または、番号が奇数であるサブキャリアに参照信号が位置すると決定するように構成される。
【０２７８】
実装において、構成情報はさらに、参照信号の周波数領域リソースを指示するために使用される。具体的には、構成情報は、番号が偶数であるサブキャリア、または、番号が奇数であるサブキャリアに参照信号が位置することを指示するために使用され得る。この場合、決定モジュール１５２０は、構成情報に従って、参照信号の時間領域リソースを決定し、構成情報に従って、番号が偶数であるサブキャリア、または、番号が奇数であるサブキャリアに参照信号が位置すると決定するように構成され得る。
【０２７９】
任意で、物理層シグナリングは、ダウンリンク制御情報ＤＣＩであり、ＤＣＩはマルチキャストシグナリングである、または、ＤＣＩはユニキャストシグナリングである。
【０２８０】
同一の技術的概念に基づき、本発明の実施形態はさらに、ネットワークデバイスを提供する。図１６に示されるように、ネットワークデバイスは、第１物理層シグナリングを第１端末デバイスへ送信するように構成されている送信モジュール１６１０であって、第１物理層シグナリングは第１構成情報を含み、第１構成情報は第１参照信号の時間領域リソースを指示するために使用される、送信モジュール１６１０と、第１端末デバイスによって送信された第１参照信号および第１物理チャネルを受信するように構成されている受信モジュール１６２０と、受信モジュール１６２０によって受信された第１参照信号に従って、第１物理チャネルを復調するように構成されている復調モジュール１６３０とを備える。
【０２８１】
物理層シグナリングはＤＣＩであり得る。
【０２８２】
実装において、復調モジュール１６３０は、参照信号の時間領域リソースを決定し得て、送信モジュール１６１０は、第１物理層シグナリングを第１端末デバイス（任意の端末デバイス、すなわち、図４に示された手順に記載された端末デバイスであり得る）へ送信し得て、第１物理層シグナリングは第１構成情報を含み、第１構成情報は第１参照信号の時間領域リソースを指示するために使用され、すなわち、第１物理層シグナリングは、第１参照信号の時間領域リソースを指示するために使用される情報を含む。第１端末デバイスは、送信モジュール１６１０によって送信された物理層シグナリングを受信した後に、段階４０１から段階４０３における上述の方式に従って処理を実行し得る。第１端末デバイスが第１参照信号および第１物理チャネルをネットワークデバイスへ送信するとき、受信モジュール１６２０は、第１端末デバイスによって送信された第１参照信号および第１物理チャネルを受信し得る。復調モジュール１６３０は、受信モジュール１６２０によって受信された第１参照信号に従って第１物理チャネルを復調し得る。
【０２８３】
任意で、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０２８４】
任意で、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【０２８５】
実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。例えば、ｋは１、２、または３である。言い換えれば、第１構成情報は、第１物理チャネルが位置するＴＴＩの前のｋ番目のＴＴＩに第１参照信号が位置することを指示し、ｋは非負整数である。例えば、ｋは０、１、２、または３である。任意で、第１構成情報が、ｋは０であることを指示するとき、第１物理チャネルは、第１物理チャネルが位置するＴＴＩにおけるいくつかのシンボルを占有する（第１参照信号は当該いくつかのシンボルを占有しない）、または、構成情報が、ｋは０より大きいことを指示するとき、第１物理チャネルは、第１物理チャネルが位置するＴＴＩにおけるすべてのシンボルを占有する。第１構成情報の具体的な内容については、段階４０１から段階４０３における解決法１および解決法２を参照されたい。ここでは詳細を再度説明しない。
【０２８６】
任意で、第１参照信号および第１物理チャネルは同一のＴＴＩに位置し、第１構成情報は、第１参照信号がＴＴＩにおける１番目のシンボル、または、最後のシンボルに位置することを指示するために使用される。
【０２８７】
実装において、第１構成情報参照信号および第１物理チャネルは、同一のＴＴＩに位置し、第１参照信号は、ＴＴＩにおける１番目のシンボルまたは最後のシンボルに位置する。すなわち、第１参照信号は、第１物理チャネルの前のシンボルに位置するか、または、第１参照信号は、第１物理チャネルの後のシンボルに位置する。任意で、第１構成情報は、第１物理チャネルがＴＴＩにおける１番目のシンボル、または、最後のシンボルを占有しないことを指示するために使用され得る。第１構成情報の具体的な内容については、段階４０１から段階４０３における解決法３を参照されたい。ここでは詳細を再度説明しない。
【０２８８】
任意で、第１参照信号および第１物理チャネルは、同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８、または１１である。
【０２８９】
実装において、第１構成情報は、第１参照信号がタイムスロットにおけるａ番目のシンボル、または、サブフレームにおけるｂ番目のシンボルに位置することを指示するために使用され、タイムスロットまたはサブフレームは、第１物理チャネルが位置するタイムスロットまたはサブフレームである。例えば、第１構成情報は、第１物理チャネルが位置するタイムスロットにおける１番目のシンボルまたは４番目のシンボルに第１参照信号が位置することを指示するために使用され得る。例えば、第１構成情報は、第１物理チャネルが位置するサブフレームにおける１番目のシンボル、４番目のシンボル、８番目のシンボル、または１１番目のシンボルに第１参照信号が位置することを指示するために使用され得る。任意で、第１構成情報は、第１物理チャネルが、タイムスロットにおけるａ番目のシンボル、または、サブフレームにおけるｂ番目のシンボルを占有しないことを指示するために使用され得る。構成情報の具体的な内容については、段階４０１から段階４０３における解決法４および解決法５を参照されたい。ここでは詳細を再度説明しない。
【０２９０】
任意で、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。構成情報の具体的な内容については、段階４０１から段階４０３における解決法６または解決法７を参照されたい。ここでは詳細を再度説明しない。
【０２９１】
任意で、受信モジュール１６２０はさらに、第１端末デバイスによって送信された第２物理チャネルを受信するように構成され、第１物理チャネルおよび第２物理チャネルは異なるＴＴＩに位置する。
【０２９２】
復調モジュール１６３０はさらに、第１参照信号に従って第２物理チャネルを復調するように構成されている。
【０２９３】
実装において、第１端末デバイスが第２物理チャネルを送信するケースについては、受信モジュール１６２０はさらに、第１端末デバイスによって送信された第２物理チャネルを受信し得て、第１物理チャネルおよび第２物理チャネルは異なるＴＴＩに位置する。次に、復調モジュール１６３０は、第１参照信号に従って第２物理チャネルを復調し得る。
【０２９４】
任意で、第１構成情報はさらに、番号が偶数であるサブキャリア、または、番号が奇数であるサブキャリアに第１参照信号が位置することを指示するために使用される。
【０２９５】
任意で、送信モジュール１６１０はさらに、第２物理層シグナリングを第２端末デバイスへ送信するように構成され、第２物理層シグナリングは第２構成情報を含み、第２構成情報は第２参照信号の時間領域リソースを指示するために使用される。
【０２９６】
受信モジュール１６２０はさらに、第２端末デバイスによって送信された第２参照信号および第３物理チャネルを受信するように構成され、第２参照信号および第１参照信号は同一の時間領域リソースに位置し、第１物理チャネルおよび第３物理チャネルは異なるＴＴＩに位置する。
【０２９７】
復調モジュール１６３０はさらに、第２参照信号に従って第３物理チャネルを復調するように構成されている。
【０２９８】
第２端末デバイスは、第１端末デバイス以外の任意の端末デバイスであり得る。
【０２９９】
実装において、送信モジュール１６１０は、第２物理層シグナリングを第２端末デバイスへ送信し得て、第２物理層シグナリングは、第２構成情報を含み得て、第２構成情報は、第２参照信号の時間領域リソースを指示するために使用され得る。第２端末デバイスは、段階４０１から段階４０３に記載された方法に従って、第２参照信号の時間領域リソースを決定し、第２参照信号および第３物理チャネルをネットワークデバイスへ送信し得る。第３物理チャネルは、第２物理層シグナリングによってスケジューリングされる物理チャネルであり得て、第２参照信号に対応する物理チャネルである。受信モジュール１６２０は、第２端末デバイスによって送信される第２参照信号および第３物理チャネルを受信し得て、第２参照信号および第１参照信号は、同一の時間領域リソースに位置し、異なる周波数領域リソースまたは符号領域リソースに位置し得て、第１物理チャネルおよび第３物理チャネルは異なるＴＴＩに位置する。次に、復調モジュール１６３０は、第２参照信号に従って、第３物理チャネルを復調し得る。
【０３００】
任意で、第１物理層シグナリングは第１ＤＣＩであり、第２物理層シグナリングは第２ＤＣＩであり、第１ＤＣＩまたは第２ＤＣＩまたは両方はユニキャストシグナリングである、または、第１ＤＣＩおよび第２ＤＣＩは同一のＤＣＩであり、マルチキャストシグナリングである。
【０３０１】
本発明のこの実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０３０２】
同一の技術的概念に基づき、本発明の実施形態はさらに、参照信号伝送システムを提供する。この実施形態において提供されるシステムは、本発明の図４、図１２および図１４に示される実施形態における手順を実装し得る。システムは、端末デバイスおよびネットワークデバイスを備え、端末デバイスは、図２および図１５に示される実施形態における端末デバイスであり、ネットワークデバイスは、図３および図１６において示される実施形態におけるネットワークデバイスである。
【０３０３】
端末デバイスは、ネットワークデバイスによって送信された物理層シグナリングを受信することであって、物理層シグナリングは構成情報を含み、構成情報は参照信号の時間領域リソースを指示するために使用される、こと、構成情報に従って、参照信号の時間領域リソースを決定すること、ならびに、参照信号および第１物理チャネルをネットワークデバイスへ送信することであって、参照信号は第１物理チャネルの復調に使用される、ことを行うように構成されている。
【０３０４】
ネットワークデバイスは、物理層シグナリングを端末デバイスへ送信するように構成され、物理層シグナリングは構成情報を含み、構成情報は、参照信号の時間領域リソースを指示し、端末デバイスによって送信された参照信号および第１物理チャネルを受信し、参照信号に従って第１物理チャネルを復調するために使用される。
【０３０５】
物理層シグナリングはＤＣＩであり得る。
【０３０６】
実装において、ネットワークデバイスは、参照信号の時間領域リソースを決定し、物理層シグナリングを端末デバイス（任意の端末デバイス、すなわち、図４に示される手順に記載されている端末デバイスであり得る）へ送信し得て、物理層シグナリングは構成情報を含み、構成情報は、参照信号の時間領域リソースを指示するために使用され、すなわち、物理層シグナリングは、参照信号の時間領域リソースを指示するために使用される情報を含む。物理層シグナリングの具体的な内容については、段階４０１から段階４０３における物理層シグナリングの説明を参照されたい。ここでは詳細を再度説明しない。ネットワークデバイスが物理層シグナリングを端末デバイスへ送信した後に、端末デバイスは、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。端末デバイスは、ネットワークデバイスによって送信された物理層シグナリングを受信した後に、物理層シグナリングに含まれる構成情報に従って参照信号の時間領域リソースを決定し得る。具体的には、参照信号のＮ種類の予め定められた参照信号時間領域構成は、端末デバイスに予め記憶され得て、端末デバイスは、ネットワークデバイスによって送信された物理層シグナリングを受信した後に、物理層シグナリングに含まれる構成情報によって指示された構成方式に従って、参照信号の時間領域リソースを決定し得る。端末デバイスが、参照信号の時間領域リソースを決定した後に、参照信号および物理チャネルをネットワークデバイスへ送信し得て、参照信号は、物理チャネルの復調に使用され、すなわち、参照信号は、物理層シグナリングによってスケジューリングされる物理チャネルに対応する参照信号である。端末デバイスが参照信号および物理チャネルをネットワークデバイスへ送信した後に、ネットワークデバイスは、端末デバイスによって送信された参照信号および物理チャネルを受信し得る。ネットワークデバイスは、端末デバイスによって送信された参照信号および物理チャネルを受信した後に、物理チャネルに対応する参照信号に従って、物理チャネルを復調し得る。
【０３０７】
当業者であれば、実施形態のステップの全部または一部は、ハードウェアまたは関連するハードウェアに命令するプログラムによって実装され得ることを理解し得る。プログラムは、コンピュータ可読記憶媒体に記憶され得る。記憶媒体は、リードオンリー１、磁気ディスク、光ディスク、または同様のものであり得る。 
【０３０８】
上述の説明は、本発明の好適な実施形態に過ぎず、本発明を限定することは意図されていない。本発明の精神および本質から逸脱することなく行われる、いかなる修正、均等な置換、改善等も本発明の保護範囲内に含まれるものとする。
【図１】
2019503625.tif 000008
【図２】
2019503625.tif 000009
【図３】
2019503625.tif 000010
【図４】
2019503625.tif 000011
【図５ａ】
2019503625.tif 000012
【図５ｂ】
2019503625.tif 000013
【図６ａ】
2019503625.tif 000014
【図６ｂ】
2019503625.tif 000015
【図６ｃ】
2019503625.tif 000016
【図６ｄ】
2019503625.tif 000017
【図７ａ】
2019503625.tif 000018
【図７ｂ】
2019503625.tif 000019
【図８ａ】
2019503625.tif 000020
【図８ｂ】
2019503625.tif 000021
【図９ａ】
2019503625.tif 000022
【図９ｂ】
2019503625.tif 000023
【図９ｃ】
2019503625.tif 000024
【図９ｄ】
2019503625.tif 000025
【図１０ａ】
2019503625.tif 000026
【図１０ｂ】
2019503625.tif 000027
【図１１】
2019503625.tif 000028
【図１２】
2019503625.tif 000029
【図１３】
2019503625.tif 000030
【図１４】
2019503625.tif 000031
【図１５】
2019503625.tif 000032
【図１６】
2019503625.tif 000033
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
参照信号を伝送する方法であって、
端末デバイスが物理層シグナリングを受信する段階であって、前記物理層シグナリングは構成情報を含み、前記構成情報は、参照信号の時間領域リソースを指示するために使用される、段階と、
前記端末デバイスが、前記構成情報に従って、前記参照信号の前記時間領域リソースを決定する段階と、
前記端末デバイスが、前記参照信号および第１物理チャネルを送信する段階であって、前記参照信号は前記第１物理チャネルの復調のために使用される、段階と
を備える方法。
【請求項２】
前記参照信号および前記第１物理チャネルは、同一のＴＴＩに位置し、前記構成情報は、前記参照信号が前記ＴＴＩにおける１番目のシンボルまたは最後のシンボルに位置することを指示するために使用される、請求項１に記載の方法。
【請求項３】
前記参照信号および前記第１物理チャネルは、同一のタイムスロットに位置し、前記構成情報は、前記タイムスロットにおけるａ番目のシンボルに前記参照信号が位置することを指示するために使用され、ａは７より大きくない正の整数である、請求項１に記載の方法。
【請求項４】
前記方法はさらに、
前記端末デバイスが第２物理チャネルを送信する段階であって、前記参照信号は、前記第２物理チャネルの復調に使用され、前記第１物理チャネルおよび前記第２物理チャネルは異なるＴＴＩに位置する、段階を備える、請求項１から３のいずれか一項に記載の方法。
【請求項５】
前記方法はさらに、前記端末デバイスが、前記構成情報に従って、前記第１物理チャネルの前記時間領域リソースを決定する段階を備える、請求項１から４のいずれか一項に記載の方法。
【請求項６】
前記構成情報が、前記参照信号および前記第１物理チャネルが同一のＴＴＩに位置することを指示するとき、前記第１物理チャネルは、前記参照信号によって占有されるシンボルを除く、前記ＴＴＩにおけるすべてのシンボルを占有する、または、前記構成情報が、前記参照信号および前記第１物理チャネルが異なるＴＴＩに位置することを指示するとき、前記第１物理チャネルは、前記第１物理チャネルが位置するＴＴＩにおけるすべてのシンボルを占有する、請求項１から５のいずれか一項に記載の方法。
【請求項７】
前記物理層シグナリングは、ダウンリンク制御情報（ＤＣＩ）であり、前記ＤＣＩは、前記第１物理チャネルをスケジューリングするために使用される、または、前記ＤＣＩは、半永続スケジューリング（ＳＰＳ）ＤＣＩである、請求項１から６のいずれか一項に記載の方法。
【請求項８】
参照信号を伝送する方法であって、
ネットワークデバイスが第１物理層シグナリングを送信する段階であって、前記第１物理層シグナリングは第１構成情報を含み、前記第１構成情報は、第１参照信号の時間領域リソースを指示するために使用される、段階と、
前記ネットワークデバイスが、前記第１参照信号および第１物理チャネルを受信する段階と、
前記ネットワークデバイスが、前記第１参照信号に従って、前記第１物理チャネルを復調する段階と
を備える方法。
【請求項９】
前記第１参照信号および前記第１物理チャネルは、同一のＴＴＩに位置し、前記第１構成情報は、前記第１参照信号が前記ＴＴＩにおける１番目のシンボルまたは最後のシンボルに位置することを指示するために使用される、請求項８に記載の方法。
【請求項１０】
前記第１参照信号および前記第１物理チャネルは、同一のタイムスロットに位置し、前記第１構成情報は、前記タイムスロットにおけるａ番目のシンボルに前記第１参照信号が位置することを指示するために使用され、ａは７より大きくない正の整数である、請求項８に記載の方法。
【請求項１１】
前記方法はさらに、
前記ネットワークデバイスが第２物理チャネルを受信する段階であって、前記第１物理チャネルおよび前記第２物理チャネルは異なるＴＴＩに位置する、段階と、
前記ネットワークデバイスが、前記第１参照信号に従って、前記第２物理チャネルを復調する段階と
を備える、請求項８から１０のいずれか一項に記載の方法。
【請求項１２】
前記構成情報が、前記参照信号および前記第１物理チャネルが同一のＴＴＩに位置することを指示するとき、前記第１物理チャネルは、前記参照信号によって占有されるシンボルを除く、前記ＴＴＩにおけるすべてのシンボルを占有する、または、前記構成情報が、前記参照信号および前記第１物理チャネルが異なるＴＴＩに位置することを指示するとき、前記第１物理チャネルは、前記第１物理チャネルが位置するＴＴＩにおけるすべてのシンボルを占有する、請求項８から１１のいずれか一項に記載の方法。
【請求項１３】
前記物理層シグナリングは、ダウンリンク制御情報（ＤＣＩ）であり、前記ＤＣＩは、前記第１物理チャネルをスケジューリングするために使用される、または、前記ＤＣＩは、半永続スケジューリング（ＳＰＳ）ＤＣＩである、請求項８から１２のいずれか一項に記載の方法。
【請求項１４】
物理層シグナリングを受信するように構成され、前記物理層シグナリングは構成情報を含み、前記構成情報は参照信号の時間領域リソースを指示するために使用される、受信モジュールと、
前記受信モジュールによって受信された前記構成情報に従って、前記参照信号の前記時間領域リソースを決定するように構成されている決定モジュールと、
前記決定モジュールによって決定された前記参照信号および第１物理チャネルを送信するように構成され、前記参照信号は前記第１物理チャネルの復調のために使用される、送信モジュールと
を備える端末デバイス。
【請求項１５】
前記参照信号および前記第１物理チャネルは、同一のＴＴＩに位置し、前記構成情報は、前記参照信号が前記ＴＴＩにおける１番目のシンボルまたは最後のシンボルに位置することを指示するために使用される、請求項１４に記載の端末デバイス。
【請求項１６】
前記参照信号および前記第１物理チャネルは、同一のタイムスロットに位置し、前記構成情報は、前記タイムスロットにおけるａ番目のシンボルに前記参照信号が位置することを指示するために使用され、ａは７より大きくない正の整数である、請求項１４に記載の端末デバイス。
【請求項１７】
前記参照信号および前記第１物理チャネルは、同一のタイムスロットに位置し、前記構成情報は、前記タイムスロットにおける１番目のシンボル、または、前記タイムスロットにおける１番目のシンボルおよび４番目のシンボルに前記参照信号が位置することを指示するために使用される、請求項１４に記載の端末デバイス。
【請求項１８】
前記端末デバイスは、前記構成情報に従って、前記第１物理チャネルの前記時間領域リソースを決定する、請求項１４から１７の請求項いずれか一項に記載の端末デバイス。
【請求項１９】
前記構成情報が、前記参照信号および前記第１物理チャネルが同一のＴＴＩに位置することを指示するとき、前記第１物理チャネルは、前記参照信号によって占有されたシンボルを除く、前記ＴＴＩにおけるすべてのシンボルを占有する、または、前記構成情報が、前記参照信号および前記第１物理チャネルが異なるＴＴＩに位置することを指示するとき、前記第１物理チャネルは、前記第１物理チャネルが位置するＴＴＩにおけるすべてのシンボルを占有する、請求項１４から１８のいずれか一項に記載の端末デバイス。
【請求項２０】
前記物理層シグナリングは、ダウンリンク制御情報（ＤＣＩ）であり、前記ＤＣＩは、前記第１物理チャネルをスケジューリングするために使用される、または、前記ＤＣＩは半永続スケジューリング（ＳＰＳ）ＤＣＩである、請求項１４から１９のいずれか一項に記載の端末デバイス。
【請求項２１】
第１物理層シグナリングを送信するように構成され、前記第１物理層シグナリングは第１構成情報を含み、前記第１構成情報は、第１参照信号の時間領域リソースを指示するために使用される、送信モジュールと
前記第１参照信号および第１物理チャネルを受信するように構成されている受信モジュールと、
前記受信モジュールによって受信される前記第１参照信号に従って、前記第１物理チャネルを復調するように構成されている復調モジュールと
を備えるネットワークデバイス。
【請求項２２】
前記第１参照信号および前記第１物理チャネルは、同一のＴＴＩに位置し、前記第１構成情報は、前記第１参照信号が前記ＴＴＩにおける１番目のシンボルまたは最後のシンボルに位置することを指示するために使用される、請求項２１に記載のネットワークデバイス。
【請求項２３】
前記第１参照信号および前記第１物理チャネルは、同一のタイムスロットに位置し、前記第１構成情報は、前記タイムスロットにおけるａ番目のシンボルに前記第１参照信号が位置することを指示するために使用され、ａは７より大きくない正の整数である、請求項２１に記載のネットワークデバイス。
【請求項２４】
前記受信モジュールはさらに、
第２物理チャネルを受信するように構成され、前記第１物理チャネルおよび前記第２物理チャネルは異なるＴＴＩに位置し、
前記復調モジュールさらに、前記第１参照信号に従って前記第２物理チャネルを復調するように構成されている、
請求項２１から２３のいずれか一項に記載のネットワークデバイス。
【請求項２５】
前記構成情報が、前記参照信号および前記第１物理チャネルが同一のＴＴＩに位置することを指示するとき、前記第１物理チャネルは、前記参照信号によって占有されるシンボルを除く、前記ＴＴＩにおけるすべてのシンボルを占有する、または、前記構成情報が、前記参照信号および前記第１物理チャネルが異なるＴＴＩに位置することを指示するとき、前記第１物理チャネルは、前記第１物理チャネルが位置するＴＴＩにおけるすべてのシンボルを占有する、請求項２１から２４のいずれか一項に記載のネットワークデバイス。
【請求項２６】
前記物理層シグナリングは、ダウンリンク制御情報（ＤＣＩ）であり、前記ＤＣＩは、前記第１物理チャネルをスケジューリングするために使用される、または、前記ＤＣＩは半永続スケジューリング（ＳＰＳ）ＤＣＩである、請求項２１から２５のいずれか一項に記載のネットワークデバイス。
【請求項２７】
プロセッサと、非一時的なメモリを備える端末デバイスであって、
前記メモリは実行命令を記憶し、ユーザ機器が動作するとき、基地局が、
物理層シグナリングを受信するステップであって、前記物理層シグナリングは構成情報を含み、前記構成情報は参照信号の時間領域リソースを指示するために使用される、ステップと、
前記構成情報に従って、前記参照信号の前記時間領域リソースを決定するステップと、
前記参照信号および第１物理チャネルを送信するステップであって、前記参照信号は、前記第１物理チャネルの復調に使用される、ステップと
を実行することを可能にするべく、前記プロセッサが前記実行命令を実行する、
端末デバイス。
【請求項２８】
プロセッサと、非一時的なメモリとを備えるネットワークデバイスであって、
前記メモリは、実行命令を記憶し、ユーザ機器が動作するとき、基地局が、
第１物理層シグナリングを送信するステップであって、前記第１物理層シグナリングは第１構成情報を含み、前記第１構成情報は第１参照信号の時間領域リソースを指示するために使用される、ステップと、
前記第１参照信号および第１物理チャネルを受信するステップと、
前記第１参照信号に従って、前記第１物理チャネルを復調するステップと
を実行することを可能にするべく、前記プロセッサが前記実行命令を実行する、
ネットワークデバイス。
【請求項２９】
請求項１から７のいずれか一項に記載の方法の段階をコンピュータに実行させるプログラム。
【請求項３０】
請求項８から１３のいずれか一項に記載の方法の段階をコンピュータに実行させるプログラム。
【手続補正２】
【補正対象書類名】明細書
【補正対象項目名】全文
【補正方法】変更
【補正の内容】
【発明の詳細な説明】
【技術分野】
【０００１】
本発明は、無線通信技術の分野に関し、特に、参照信号伝送方法、装置およびシステムに関する。
【背景技術】
【０００２】
アップリンク伝送の場合、端末デバイスは、アップリンク物理チャネルおよびアップリンク参照信号をネットワークデバイスへ送信し、ネットワークデバイスは、アップリンク物理チャネルおよびアップリンク参照信号を受信した後に、アップリンク参照信号に従ってチャネル推定を実行し、次に、推定されたチャネル値に従ってアップリンク物理チャネルを復調する。一方、ダウンリンク伝送の場合、端末デバイスは、ネットワークデバイスによって送信された、ダウンリンク物理チャネルおよびダウンリンク参照信号を受信し、ダウンリンク参照信号に従ってチャネル推定を実行し、次に、推定されたチャネル値に従ってダウンリンク物理チャネルを復調する。
【０００３】
既存のシステムにおいて、アップリンク／ダウンリンク参照信号およびアップリンク／ダウンリンク物理チャネルは、同一の伝送時間間隔（ＴＴＩ）に位置し、アップリンク／ダウンリンク参照信号は、ＴＴＩにおける固定時間領域リソースを占有する。例えば、物理アップリンク共有チャネル（ＰＵＳＣＨ）復調のために使用される参照信号は常に、タイムスロットにおける４番目のシンボル上に位置する。
【０００４】
少なくとも以下の問題があることが発見された。上述の処理方式に基づくと、各物理チャネルは、対応する参照信号を有し、対応する参照信号は、物理チャネルが位置するＴＴＩにおける固定された時間領域リソースを占有する。したがって、参照信号構成は低い柔軟性を有する。
【発明の概要】
【０００５】
参照信号構成を比較的柔軟に実装するために、本発明の実施形態は、参照信号伝送方法、装置およびシステムを提供する。技術的解決法は以下の通りである。
【０００６】
第１態様によれば、参照信号伝送方法が提供され、当該方法は、端末デバイスが、ネットワークデバイスによって送信された物理層シグナリングを受信する段階であって、物理層シグナリングは構成情報を含み、構成情報は、参照信号の時間領域リソースを指示するために使用される、段階と、端末デバイスが、構成情報に従って、参照信号の時間領域リソースを決定する段階と、端末デバイスが、参照信号および第１物理チャネルをネットワークデバイスへ送信する段階であって、参照信号は第１物理チャネルの復調のために使用される、段階とを備える。
【０００７】
ネットワークデバイスが物理層シグナリングを端末デバイスへ送信した後に、端末デバイスは、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。端末デバイスは、ネットワークデバイスによって送信された物理層シグナリングを受信した後に、物理層シグナリングに含まれる構成情報に従って参照信号の時間領域リソースを決定し得る。具体的には、参照信号のＮ種類の予め定められた参照信号時間領域構成は、端末デバイスに予め記憶され得て、端末デバイスは、ネットワークデバイスによって送信された物理層シグナリングを受信した後に、物理層シグナリングに含まれる構成情報によって指示された構成方式に従って、参照信号の時間領域リソースを決定し得る。次に、端末デバイスは参照信号および第１物理チャネルをネットワークデバイスへ送信し得て、参照信号は、第１物理チャネルの復調に使用される。
【０００８】
第１態様に関連して、第１態様の第１の可能な実装において、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０００９】
第１態様に関連して、第１態様の第２の可能な実装において、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【００１０】
端末デバイスは、構成情報に従って、参照信号および第１物理チャネルが同一のＴＴＩに位置すると、または、第１物理チャネルが位置するＴＴＩの前のｋ番目のＴＴＩに参照信号が位置すると決定し、ｋは正の整数である。例えば、ｋは１、２、または３である。言い換えれば、端末デバイスは、参照信号の時間領域リソースのための構成情報に従って、第１物理チャネルが位置するＴＴＩの前のｋ番目のＴＴＩに参照信号が位置すると決定し、ｋは非負整数である。例えば、ｋは０、１、２、または３である。任意で、構成情報が、ｋは０であることを指示するとき、端末デバイスは、第１物理チャネルが、第１物理チャネルが位置するＴＴＩにおけるいくつかのシンボルを占有する（参照信号は当該いくつかのシンボルを占有しない）と決定する、または、構成情報が、ｋは０より大きいことを指示するとき、端末デバイスは、第１物理チャネルが、第１物理チャネルが位置するＴＴＩにおけるすべてのシンボルを占有すると決定する。
【００１１】
第１態様に関連して、第１態様の第３の可能な実装において、参照信号および第１物理チャネルは同一のＴＴＩに位置し、構成情報は、参照信号がＴＴＩにおける１番目のシンボルまたは最後のシンボルに位置することを指示するために使用される。
【００１２】
端末デバイスは、構成情報に従って、参照信号および第１物理チャネルが同一のＴＴＩに位置すると、および、参照信号がＴＴＩにおける１番目のシンボルまたは最後のシンボルに位置すると決定する。すなわち、参照信号は、第１物理チャネルの前のシンボルに位置するか、または、参照信号は、第１物理チャネルの後のシンボルに位置する。任意で、端末デバイスは、構成情報に従って、第１物理チャネルがＴＴＩにおける１番目のシンボルまたは最後のシンボルを占有しないと決定する。
【００１３】
第１態様に関連して、第１態様の第４の可能な実装において、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８または１１である。
【００１４】
端末デバイスは、構成情報に従って、参照信号がタイムスロットにおけるａ番目のシンボル、または、サブフレームにおけるｂ番目のシンボルに位置すると決定し、タイムスロットまたはサブフレームは、第１物理チャネルが位置するタイムスロットまたはサブフレームである。例えば、構成情報は、第１物理チャネルが位置するタイムスロットにおける１番目のシンボルまたは４番目のシンボルに参照信号が位置することを指示するために使用され得る。例えば、構成情報は、第１物理チャネルが位置するサブフレームにおける１番目のシンボル、４番目のシンボル、８番目のシンボル、または１１番目のシンボルに参照信号が位置することを指示するために使用され得る。任意で、端末デバイスは、構成情報に従って、第１物理チャネルがタイムスロットにおけるａ番目のシンボル、または、サブフレームにおけるｂ番目のシンボルを占有しないと決定する。
【００１５】
第１態様に関連して、第１態様の第５の可能な実装において、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【００１６】
端末デバイスは、構成情報に従って、参照信号がタイムスロットにおけるｃ番目のシンボル、または、サブフレームにおけるｄ番目のシンボルに位置すると決定し、タイムスロットまたはサブフレームは、第１物理チャネルが位置するタイムスロットまたはサブフレームである。任意で、端末デバイスは、構成情報に従って、第１物理チャネルがタイムスロットにおけるｃ番目のシンボル、または、サブフレームにおけるｄ番目のシンボルを占有しないと決定する。
【００１７】
第１態様、または、第１態様の第１から第５の可能な実装に関連して、第１態様の第６の可能な実装において、方法はさらに、端末デバイスが、第２物理チャネルをネットワークデバイスへ送信する段階であって、参照信号は、第２物理チャネルの復調に使用され、第１物理チャネルおよび第２物理チャネルは異なるＴＴＩに位置する、段階を備える。
【００１８】
端末デバイスはさらに、第２物理チャネルをネットワークデバイスへ送信し得て、第１物理チャネルおよび第２物理チャネルは異なるＴＴＩに位置し、同一の参照信号に対応する。すなわち、参照信号は、第１物理チャネルの復調に使用され得て、また、第２物理チャネルの復調に使用され得る。
【００１９】
このように、参照信号のオーバヘッドを減少させるべく、同一の参照信号は、同一の端末デバイスの異なる物理チャネルのために構成され得る。
【００２０】
第１態様、または、第１態様の第１から第６の可能な実装に関連して、第１態様の第７の可能な実装において、構成情報はさらに、番号が偶数であるサブキャリア、または、番号が奇数であるサブキャリアに参照信号が位置することを指示するために使用され、端末デバイスが構成情報に従って参照信号の時間領域リソースを決定することは、端末デバイスが、構成情報に従って参照信号の時間領域リソースを決定し、構成情報に従って、番号が偶数であるサブキャリア、または、番号が奇数であるサブキャリアに参照信号が位置すると決定することを含む。
【００２１】
構成情報はさらに、参照信号の周波数領域リソースを指示するために使用される。具体的には、構成情報は、番号が偶数であるサブキャリア、または、番号が奇数であるサブキャリアに参照信号が位置することを指示するために使用され得る。この場合、端末デバイスは、構成情報に従って、参照信号の時間領域リソースを決定し、構成情報に従って、番号が偶数であるサブキャリア、または、番号が奇数であるサブキャリアに参照信号が位置すると決定するように構成され得る。
【００２２】
このように、同一のシンボル上の参照信号は、周波数領域リソースを使用することによって分離できる。さらに、参照信号のオーバヘッドを減少させるべく、異なる端末デバイスに対応する参照信号を同一のシンボル上で構成できる。
【００２３】
第１態様、または、第１態様の第１から第７の可能な実装に関連して、第１態様の第８の可能な実装において、物理層シグナリングはダウンリンク制御情報ＤＣＩであり、ＤＣＩはマルチキャストシグナリングである、または、ＤＣＩはユニキャストシグナリングである。
【００２４】
第２態様によれば、参照信号伝送方法が提供され、当該方法は、ネットワークデバイスが、第１物理層シグナリングを第１端末デバイスへ送信する段階であって、第１物理層シグナリングは第１構成情報を含み、第１構成情報は第１参照信号の時間領域リソースを指示するために使用される、段階と、ネットワークデバイスが、第１端末デバイスによって送信された第１参照信号および第１物理チャネルを受信する段階と、ネットワークデバイスが、第１参照信号に従って、第１物理チャネルを復調する段階とを備える。
【００２５】
物理層シグナリングはＤＣＩであり得る。
【００２６】
ネットワークデバイスは、第１参照信号の時間領域リソースを決定し得て、第１物理層シグナリングを第１端末デバイス（任意の端末デバイスであってよい）へ送信し得て、第１物理層シグナリングは第１構成情報を含み、第１構成情報は、第１参照信号の時間領域リソースを指示するために使用され、すなわち、第１物理層シグナリングは、第１参照信号の時間領域リソースを指示するために使用される情報を含む。第１端末デバイスは、ネットワークデバイスによって送信された物理層シグナリングを受信した後に、第１参照信号の時間領域リソースを決定し得て、第１参照信号および第１物理チャネルをネットワークデバイスへ送信し得る。ネットワークデバイスは、第１端末デバイスが第１参照信号および第１物理チャネルをネットワークデバイスへ送信した後に、第１端末デバイスによって送信された第１参照信号および第１物理チャネルを受信し得る。次に、ネットワークデバイスは、第１参照信号に従って、第１物理チャネルを復調し得る。
【００２７】
第２態様に関連して、第２態様の第１の可能な実装において、第１構成情報は、Ｎ種類の参照信号時間領域構成のうちの１種類を指示するために使用され、Ｎは正の整数であり、Ｎ種類の参照信号時間領域構成は、参照信号によって占有された異なる時間領域リソースのうちの任意の２種類を指示する。
【００２８】
第２態様に関連して、第２態様の第２の可能な実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【００２９】
第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。例えば、ｋは１、２、または３である。言い換えれば、第１構成情報は、第１物理チャネルが位置するＴＴＩの前のｋ番目のＴＴＩに第１参照信号が位置することを指示し、ｋは非負整数である。例えば、ｋは０、１、２、または３である。任意で、第１構成情報が、ｋは０であることを指示するとき、第１物理チャネルは、第１物理チャネルが位置するＴＴＩにおけるいくつかのシンボルを占有する（第１参照信号は当該いくつかのシンボルを占有しない）、または、第１構成情報が、ｋは０より大きいことを指示するとき、第１物理チャネルは、第１物理チャネルが位置するＴＴＩにおけるすべてのシンボルを占有する。
【００３０】
第２態様に関連して、第２態様の第３の可能な実装において、第１参照信号および第１物理チャネルは同一のＴＴＩに位置し、第１構成情報は、第１参照信号がＴＴＩにおける１番目のシンボルまたは最後のシンボルに位置することを指示するために使用される。
【００３１】
第１情報参照信号および第１物理チャネルは、同一のＴＴＩに位置し、第１参照信号は、ＴＴＩにおける１番目のシンボルまたは最後のシンボルに位置する。すなわち、第１参照信号は、第１物理チャネルの前のシンボルに位置するか、または、第１参照信号は、第１物理チャネルの後のシンボルに位置する。任意で、第１構成情報は、第１物理チャネルがＴＴＩにおける１番目のシンボル、または、最後のシンボルを占有しないことを指示するために使用され得る。
【００３２】
第２態様に関連して、第２態様の第４の可能な実装において、第１参照信号および第１物理チャネルは同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８または１１である。
【００３３】
第１構成情報は、第１参照信号がタイムスロットにおけるａ番目のシンボル、または、サブフレームにおけるｂ番目のシンボルに位置することを指示するために使用され、タイムスロットまたはサブフレームは、第１物理チャネルが位置するタイムスロットまたはサブフレームである。例えば、第１構成情報は、第１物理チャネルが位置するタイムスロットにおける１番目のシンボルまたは４番目のシンボルに第１参照信号が位置することを指示するために使用され得る。例えば、第１構成情報は、第１物理チャネルが位置するサブフレームにおける１番目のシンボル、４番目のシンボル、８番目のシンボル、または１１番目のシンボルに第１参照信号が位置することを指示するために使用され得る。任意で、第１構成情報は、第１物理チャネルが、タイムスロットにおけるａ番目のシンボル、または、サブフレームにおけるｂ番目のシンボルを占有しないことを指示するために使用され得る。
【００３４】
第２態様に関連して、第２態様の第５の可能な実装において、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。
【００３５】
第２態様、または、第２態様の第１から第５の可能な実装に関連して、第２態様の第６の可能な実装において、方法はさらに、ネットワークデバイスが、第１端末デバイスによって送信された第２物理チャネルを受信する段階であって、第１物理チャネルおよび第２物理チャネルは異なるＴＴＩに位置する、段階と、ネットワークデバイスが、第１参照信号に従って、第２物理チャネルを復調する段階とを備える。
【００３６】
第１端末デバイスが第２物理チャネルを送信するケースについては、ネットワークデバイスはさらに、第１端末デバイスによって送信された第２物理チャネルを受信し得て、第１物理チャネルおよび第２物理チャネルは異なるＴＴＩに位置する。次に、ネットワークデバイスは、第１参照信号に従って第２物理チャネルを復調し得る。
【００３７】
このように、参照信号のオーバヘッドを減少させるべく、同一の参照信号は、同一の端末デバイスの異なる物理チャネルのために構成され得る。
【００３８】
第２態様、または、第２態様の第１から第６の可能な実装に関連して、第２態様の第７の可能な実装において、第１構成情報はさらに、番号が偶数であるサブキャリア、または、番号が奇数であるサブキャリアに第１参照信号が位置することを指示するために使用される。
【００３９】
このように、同一の時間領域リソースに位置する参照信号は、周波数領域リソースを使用することによって有効に分離できる。
【００４０】
第２態様、または、第２態様お第１から第７の可能な実装に関連して、第２態様の第８の可能な実装において、方法はさらに、ネットワークデバイスが、第２物理層シグナリングを第２端末デバイスへ送信する段階であって、第２物理層シグナリングは第２構成情報を含み、第２構成情報は、第２参照信号の時間領域リソースを指示するために使用される、段階と、ネットワークデバイスが、第２端末デバイスによって送信された、第２参照信号および第３物理チャネルを受信する段階であって、第２参照信号および第１参照信号は同一の時間領域リソースに位置し、第１物理チャネルおよび第３物理チャネルは異なるＴＴＩに位置する、段階と、ネットワークデバイスが、第２参照信号に従って第３物理チャネルを復調する段階とを備える。
【００４１】
ネットワークデバイスは、第２物理層シグナリングを第２端末デバイスへ送信し得て、第２物理層シグナリングは、第２構成情報を含み得て、第２構成情報は、第２参照信号の時間領域リソースを指示するために使用され得る。第２端末デバイスは、第２参照信号の時間領域リソースを決定し、第２参照信号および第３物理チャネルをネットワークデバイスへ送信し得る。第３物理チャネルは、第２物理層シグナリングによってスケジューリングされる物理チャネルであり得て、第２参照信号に対応する物理チャネルである。ネットワークデバイスは、第２端末デバイスによって送信される第２参照信号および第３物理チャネルを受信し得て、第２参照信号および第１参照信号は、同一の時間領域リソースに位置し、異なる周波数領域リソースまたは符号領域リソースに位置し得て、第１物理チャネルおよび第３物理チャネルは異なるＴＴＩに位置する。次に、ネットワークデバイスは、第２参照信号に従って第３物理チャネルを復調し得る。
【００４２】
このように、参照信号のオーバヘッドを減少させるべく、異なる端末デバイスの物理チャネルにそれぞれ対応する参照信号は、同一の時間領域リソース上で構成され得る。
【００４３】
第２態様、または、第２態様の第１から第８の可能な実装に関連して、第２態様の第９の可能な実装において、第１物理層シグナリングは第１ＤＣＩであり、第２物理層シグナリングは第２ＤＣＩであり、第１ＤＣＩもしくは第２ＤＣＩもしくは両方はユニキャストシグナリングであり、または、第１ＤＣＩおよび第２ＤＣＩは同一のＤＣＩであり、マルチキャストシグナリングである。
【００４４】
第３態様によれば、端末デバイスが提供され、端末デバイスは、受信器、プロセッサおよび送信器を備え、受信器は、ネットワークデバイスによって送信された物理層シグナリングを受信するように構成され、物理層シグナリングは構成情報を含み、構成情報は参照信号の時間領域リソースを指示するために使用され、プロセッサは、受信器によって受信された構成情報に従って、参照信号の時間領域リソースを決定するように構成され、送信器は、プロセッサによって決定された参照信号および第１物理チャネルをネットワークデバイスへ送信するように構成され、参照信号は第１物理チャネルの復調に使用される。
【００４５】
第３態様に関連して、第３態様の第１の可能な実装において、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【００４６】
第３態様に関連して、第３態様の第２の可能な実装において、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【００４７】
第３態様に関連して、第３態様の第３の可能な実装において、参照信号および第１物理チャネルは同一のＴＴＩに位置し、構成情報は、参照信号がＴＴＩにおける１番目のシンボルまたは最後のシンボルに位置することを指示するために使用される。
【００４８】
第３態様に関連して、第３態様の第４の可能な実装において、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８または１１である。
【００４９】
第３態様に関連して、第３態様の第５の可能な実装において、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【００５０】
第３態様、または、第３態様の第１から第５の可能な実装に関連して、第３態様の第６の可能な実装において、送信器はさらに、第２物理チャネルをネットワークデバイスへ送信するように構成され、参照信号は、第２物理チャネルの復調に使用され、第１物理チャネルおよび第２物理チャネルは異なるＴＴＩに位置する。
【００５１】
第３態様、または、第３態様の第１から第６の可能な実装に関連して、第３態様の第７の可能な実装において、構成情報はさらに、番号が偶数であるサブキャリア、または、番号が奇数であるサブキャリアに参照信号が位置することを指示するために使用され、プロセッサは具体的には、構成情報に従って参照信号の時間領域リソースを決定し、構成情報に従って、番号が偶数であるサブキャリア、または、番号が奇数であるサブキャリアに参照信号が位置すると決定するように構成されている。
【００５２】
第３態様、または、第３態様の第１から第７の可能な実装に関連して、第３態様の第８の可能な実装において、物理層シグナリングはダウンリンク制御情報ＤＣＩであり、ＤＣＩはマルチキャストシグナリングである、または、ＤＣＩはユニキャストシグナリングである。
【００５３】
第４態様によれば、ネットワークデバイスが提供され、当該ネットワークデバイスは、送信器、受信器およびプロセッサを備え、送信器は、第１物理層シグナリングを第１端末デバイスへ送信するように構成され、第１物理層シグナリングは第１構成情報を含み、第１構成情報は第１参照信号の時間領域リソースを指示するために使用され、受信器は、第１端末デバイスによって送信された第１参照信号および第１物理チャネルを受信するように構成され、プロセッサは、受信器によって受信された第１参照信号に従って、第１物理チャネルを復調するように構成されている。
【００５４】
第４態様に関連して、第４態様の第１の可能な実装において、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【００５５】
第４態様に関連して、第４態様の第２の可能な実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【００５６】
第４態様に関連して、第４態様の第３の可能な実装において、第１参照信号および第１物理チャネルは同一のＴＴＩに位置し、第１構成情報は、第１参照信号がＴＴＩにおける１番目のシンボルまたは最後のシンボルに位置することを指示するために使用される。
【００５７】
第４態様に関連して、第４態様の第４の可能な実装において、第１参照信号および第１物理チャネルは同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８または１１である。
【００５８】
第４態様に関連して、第４態様の第５の可能な実装において、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。
【００５９】
第４態様、または、第４態様の第１から第５の可能な実装に関連して、第４態様の第６の可能な実装において、受信器はさらに、第１端末デバイスによって送信された第２物理チャネルを受信するように構成され、第１物理チャネルおよび第２物理チャネルは異なるＴＴＩに位置し、プロセッサはさらに、第１参照信号に従って第２物理チャネルを復調するように構成されている。
【００６０】
第４態様、または、第４態様の第１から第６の可能な実装に関連して、第４態様の第７の可能な実装において、第１構成情報はさらに、番号が偶数であるサブキャリア、または、番号が奇数であるサブキャリアに第１参照信号が位置することを指示するために使用される。
【００６１】
第４態様、または、第４態様の第１から第７の可能な実装に関連して、第４態様の第８の可能な実装において、送信器はさらに、第２物理層シグナリングを第２端末デバイスへ送信するように構成され、第２物理層シグナリングは第２構成情報を含み、第２構成情報は第２参照信号の時間領域リソースを指示するために使用され、受信器はさらに、第２端末デバイスによって送信された第２参照信号および第３物理チャネルを受信するように構成され、第２参照信号および第１参照信号は同一の時間領域リソースに位置し、第１物理チャネルおよび第３物理チャネルは異なるＴＴＩに位置し、プロセッサはさらに、第２参照信号に従って第３物理チャネルを復調するように構成されている。
【００６２】
第４態様、または、第４態様の第１から第８の可能な実装に関連して、第４態様の第９の可能な実装において、第１物理層シグナリングは第１ＤＣＩであり、第２物理層シグナリングは第２ＤＣＩであり、第１ＤＣＩもしくは第２ＤＣＩもしくは両方はユニキャストシグナリングであり、または、第１ＤＣＩおよび第２ＤＣＩは同一のＤＣＩであり、マルチキャストシグナリングである。
【００６３】
第５態様によれば、端末デバイスが提供され、端末デバイスは、ネットワークデバイスによって送信された物理層シグナリングを受信するように構成されている、受信器を使用することによって具体的に実装され得る受信モジュールであって、物理層シグナリングは構成情報を含み、構成情報は参照信号の時間領域リソースを指示するために使用される、受信モジュールと、受信モジュールによって受信された構成情報に従って、参照信号の時間領域リソースを決定するように構成されている、プロセッサを使用することによって具体的に実装され得る決定モジュールと、決定モジュールによって決定された参照信号および第１物理チャネルをネットワークデバイスへ送信するように構成されている、送信器を使用することによって具体的に実装され得る送信モジュールであって、参照信号は、第１物理チャネルの復調に使用される、送信モジュールとを備える。
【００６４】
第５態様に関連して、第５態様の第１の可能な実装において、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【００６５】
第５態様に関連して、第５態様の第２の可能な実装において、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【００６６】
第５態様に関連して、第５態様の第３の可能な実装において、参照信号および第１物理チャネルは同一のＴＴＩに位置し、構成情報は、参照信号がＴＴＩにおける１番目のシンボルまたは最後のシンボルに位置することを指示するために使用される。
【００６７】
第５態様に関連して、第５態様の第４の可能な実装において、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８または１１である。
【００６８】
第５態様に関連して、第５態様の第５の可能な実装において、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【００６９】
第５態様、または、第５態様の第１から第５の可能な実装に関連して、第５態様の第６の可能な実装において、送信モジュールはさらに、第２物理チャネルをネットワークデバイスへ送信するように構成され、参照信号は、第２物理チャネルの復調に使用され、第１物理チャネルおよび第２物理チャネルは異なるＴＴＩに位置する。
【００７０】
第５態様、または、第５態様の第１から第６の可能な実装に関連して、第５態様の第７の可能な実装において、構成情報はさらに、番号が偶数であるサブキャリア、または、番号が奇数であるサブキャリアに参照信号が位置することを指示するために使用され、決定モジュールは具体的には、構成情報に従って参照信号の時間領域リソースを決定し、構成情報に従って、番号が偶数であるサブキャリア、または、番号が奇数であるサブキャリアに参照信号が位置すると決定するように構成されている。
【００７１】
第５態様、または、第５態様の第１から第７の可能な実装に関連して、第５態様の第８の可能な実装において、物理層シグナリングはダウンリンク制御情報ＤＣＩであり、ＤＣＩはマルチキャストシグナリングである、または、ＤＣＩはユニキャストシグナリングである。
【００７２】
第６態様によれば、ネットワークデバイスが提供され、ネットワークデバイスは、第１物理層シグナリングを第１端末デバイスへ送信するように構成されている、送信器を使用することによって具体的に実装され得る送信モジュールであり得て、第１物理層シグナリングは第１構成情報を含み、第１構成情報は、第１参照信号の時間領域リソースを指示するために使用される、送信モジュールと、第１端末デバイスによって送信された第１参照信号および第１物理チャネルを受信するように構成されている、受信器を使用することによって具体的に実装され得る受信モジュールと、受信モジュールによって受信された第１参照信号に従って、第１物理チャネルを復調するように構成されている、プロセッサを使用することによって具体的に実装され得る復調モジュールとを備える。
【００７３】
第６態様に関連して、第６態様の第１の可能な実装において、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【００７４】
第６態様に関連して、第６態様の第２の可能な実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【００７５】
第６態様に関連して、第６態様の第３の可能な実装において、第１参照信号および第１物理チャネルは同一のＴＴＩに位置し、第１構成情報は、第１参照信号がＴＴＩにおける１番目のシンボルまたは最後のシンボルに位置することを指示するために使用される。
【００７６】
第６態様に関連して、第６態様の第４の可能な実装において、第１参照信号および第１物理チャネルは同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８または１１である。
【００７７】
第６態様に関連して、第６態様の第５の可能な実装において、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。
【００７８】
第６態様、または、第６態様の第１から第５の可能な実装に関連して、第６態様の第６の可能な実装において、受信モジュールはさらに、第１端末デバイスによって送信された第２物理チャネルを受信するように構成され、第１物理チャネルおよび第２物理チャネルは異なるＴＴＩに位置し、復調モジュールはさらに、第１参照信号に従って第２物理チャネルを復調するように構成されている。
【００７９】
第６態様、または、第６態様の第１から第６の可能な実装に関連して、第６態様の第７の可能な実装において、第１構成情報はさらに、番号が偶数であるサブキャリア、または、番号が奇数であるサブキャリアに第１参照信号が位置することを指示するために使用される。
【００８０】
第６態様、または、第６態様の第１から第７の可能な実装に関連して、第６態様の第８の可能な実装において、送信モジュールはさらに、第２物理層シグナリングを第２端末デバイスへ送信するように構成され、第２物理層シグナリングは第２構成情報を含み、第２構成情報は第２参照信号の時間領域リソースを指示するために使用され、受信モジュールはさらに、第２端末デバイスによって送信された第２参照信号および第３物理チャネルを受信するように構成され、第２参照信号および第１参照信号は同一の時間領域リソースに位置し、第１物理チャネルおよび第３物理チャネルは異なるＴＴＩに位置し、復調モジュールはさらに、第２参照信号に従って第３物理チャネルを復調するように構成されている。
【００８１】
第６態様、または、第６態様の第１から第８の可能な実装に関連して、第６態様の第９の可能な実装において、第１物理層シグナリングは第１ＤＣＩであり、第２物理層シグナリングは第２ＤＣＩであり、第１ＤＣＩもしくは第２ＤＣＩもしくは両方はユニキャストシグナリングであり、または、第１ＤＣＩおよび第２ＤＣＩは同一のＤＣＩであり、マルチキャストシグナリングである。
【００８２】
第７の態様によれば、参照信号伝送システムが提供され、当該システムは端末デバイスおよびネットワークデバイスを備え、端末デバイスは、ネットワークデバイスによって送信された物理層シグナリングを受信するように構成され、物理層シグナリングは構成情報を含み、構成情報は、参照信号の時間領域リソースを指示し、構成情報に従って、参照信号の時間領域リソースを決定し、参照信号および第１物理チャネルをネットワークデバイスへ送信するために使用され、参照信号は第１物理チャネルの復調のために使用され、ネットワークデバイスは、物理層シグナリングを端末デバイスへ送信するように構成され、物理層シグナリングは構成情報を含み、構成情報は、参照信号の時間領域リソースを指示し、端末デバイスによって送信された参照信号および第１物理チャネルを受信し、参照信号に従って第１物理チャネルを復調するために使用される。
【００８３】
本発明の実施形態によって提供される技術的解決法によってもたらされる有利な影響は以下の通りである。
【００８４】
本発明の実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【図面の簡単な説明】
【００８５】
本発明の実施形態における技術的解決法をより明確に説明すべく、以下、実施形態を説明するために必要な添付図面を簡潔に説明する。以下の説明における添付図面は、本発明の一部の実施形態を示しているに過ぎず、当業者ならば、創造的努力なく、これらの添付図面から他の図面をさらに導き出し得ることは明らかである。
【００８６】
【図１】本発明の実施形態に係るシステムフレームワークの概略図である。
【００８７】
【図２】本発明の実施形態に係る端末デバイスの概略構造図である。
【００８８】
【図３】本発明の実施形態に係るネットワークデバイスの概略構造図である。
【００８９】
【図４】本発明の実施形態に係る参照信号伝送方法のフローチャートである。
【００９０】
【図５ａ】本発明の実施形態に係る参照信号時間領域構成の概略図である。
【００９１】
【図５ｂ】本発明の実施形態に係る参照信号時間領域構成の概略図である。
【００９２】
【図６ａ】本発明の実施形態に係る参照信号時間領域構成の概略図である。
【００９３】
【図６ｂ】本発明の実施形態に係る参照信号時間領域構成の概略図である。
【００９４】
【図６ｃ】本発明の実施形態に係る参照信号時間領域構成の概略図である。
【００９５】
【図６ｄ】本発明の実施形態に係る参照信号時間領域構成の概略図である。
【００９６】
【図７ａ】本発明の実施形態に係る参照信号時間領域構成の概略図である。
【００９７】
【図７ｂ】本発明の実施形態に係る参照信号時間領域構成の概略図である。
【００９８】
【図８ａ】本発明の実施形態に係る参照信号時間領域構成の概略図でる。
【００９９】
【図８ｂ】本発明の実施形態に係る参照信号時間領域構成の概略図である。
【０１００】
【図９ａ】本発明の実施形態に係る参照信号時間領域構成の概略図である。
【０１０１】
【図９ｂ】本発明の実施形態に係る参照信号時間領域構成の概略図である。
【０１０２】
【図９ｃ】本発明の実施形態に係る参照信号時間領域構成の概略図である。
【０１０３】
【図９ｄ】本発明の実施形態に係る参照信号時間領域構成の概略図である。
【０１０４】
【図１０ａ】本発明の実施形態に係る参照信号時間領域構成の概略図である。
【０１０５】
【図１０ｂ】本発明の実施形態に係る参照信号時間領域構成の概略図である。
【０１０６】
【図１１】本発明の実施形態に係る参照信号時間領域構成の概略図である。
【０１０７】
【図１２】本発明の実施形態に係る参照信号伝送方法のフローチャートである。
【０１０８】
【図１３】本発明の実施形態に係る参照信号時間領域構成の概略図である。
【０１０９】
【図１４】本発明の実施形態に係る参照信号伝送方法のフローチャートである。
【０１１０】
【図１５】本発明の実施形態に係る端末デバイスの概略構造図である。
【０１１１】
【図１６】本発明の実施形態に係るネットワークデバイスの概略構造図である。
【発明を実施するための形態】
【０１１２】
本発明の目的、技術的解決法、および利点をより明確にするべく、以下ではさらに、添付図面に関連して本発明の実装を詳細に説明する。
【０１１３】
本発明の実施形態は、参照信号伝送方法を提供する。当該方法は、端末デバイスおよびネットワークデバイスを使用することによって、共同で実装され得る。端末デバイスは、ユーザ機器（ＵＥ）、移動局（ＭＳ）、または移動端末などとも呼ばれ得る。端末デバイスは、無線アクセスネットワーク（ＲＡＮ）を使用することで、１または複数のコアネットワークと通信し得る。例えば、端末デバイスは、携帯電話（または「セルラ」電話とも呼ばれる）、または、移動端末を備えたコンピュータなどであり得る。例えば、端末デバイスは、ポータブル型、ポケットサイズ型、ハンドヘルド型、コンピュータ内蔵型、または車載型の移動体装置でもあり得て、無線アクセスネットワークとの間で音声および／またはデータを交換する。ネットワークデバイスは基地局であり得る。基地局は、ＧＳＭ（登録商標）もしくはＣＤＭＡにおける無線基地局装置（ＢＴＳ）、または、ＷＣＤＭＡ（登録商標）におけるノードＢ（ＮＢ）、または、ＬＴＥにおける進化型ノードＢ（ｅＮｏｄｅＢ）であり得る。図１に示されるように、ネットワークデバイスは、ＤＣＩを端末デバイスへ送信し得て、端末デバイスは、ネットワークデバイスによって送信されたＤＣＩを受信した後に、ＤＣＩによって指示された参照信号の時間領域リソースのための構成情報に従って、参照信号の時間領域リソースを決定し、参照信号と、参照信号に対応する物理チャネルとをネットワークデバイスへ送信し、ネットワークデバイスは、端末デバイスによって送信された、参照信号と、参照信号に対応する物理チャネルとを受信し得て、これにより、参照信号に従って物理チャネルを復調し得る。
【０１１４】
図２に示されるように、端末デバイスは、受信器２１０、プロセッサ２２０および送信器２３０を備え得て、受信器２１０および送信器２３０は、プロセッサ２２０に接続され得る。受信器２１０は、メッセージまたはデータを受信するように構成され得て、受信器２１０は、これらに限定されないが、アンテナ、少なくとも１つの増幅器、チューナ、１または複数の発振器、カプラ、低雑音増幅器（ＬＮＡ）、デュプレクサ、および同様のものを含み得る。プロセッサ２２０は端末デバイスの制御中心であり得て、様々なインタフェースおよび回路を使用することによって、端末デバイス全体のうちの各部分、例えば受信器２１０および送信器２３０などに接続し得る。本発明において、プロセッサ２２０は、参照信号の時間領域リソースの決定に関する処理を実行するように構成され得る。任意で、プロセッサ２２０は、１または複数の処理ユニットを含み得る。好ましくは、プロセッサ２２０は、アプリケーションプロセッサおよびモデムプロセッサと一体化され得る。アプリケーションプロセッサは主に、オペレーティングシステムを処理し、モデムプロセッサは主に、無線通信を処理する。プロセッサ２２０はまた、デジタル信号プロセッサ、特定用途向け集積回路、フィールドプログラマブルゲートアレイ、別のプログラマブルロジックデバイスまたは同様のものであり得る。
【０１１５】
図３に示されるように、ネットワークデバイスは、送信器３１０、受信器３２０およびプロセッサ３３０を備え得る。送信器３１０および受信器３２０は、プロセッサ３３０に接続され得る。受信器３２０は、メッセージまたはデータを受信するように構成され得て、受信器３２０は、これらに限定されないが、アンテナ、少なくとも１つの増幅器、チューナ、１または複数の発振器、カプラ、低雑音増幅器（ＬＮＡ）、デュプレクサ、および同様のものを含み得る。本発明において、プロセッサ３３０は、参照信号に従って物理チャネルの復調に関する処理を実行するように構成され得る。プロセッサ３３０は、１または複数の処理ユニットを含み得る。プロセッサ３３０は、中央演算処理装置（ＣＰＵ）もしくはネットワークプロセッサ（ＮＰ）などの汎用プロセッサであり得るか、または、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、または同様のものであり得る。具体的には、プログラムは、プログラムコードを含み得て、プログラムコードはコンピュータ動作命令を含む。
【０１１６】
本発明の実施形態の技術的解決法は、様々な通信システム、例えば、モバイル通信用グローバルシステム（ＧＳＭ（登録商標））、符号分割多元接続（ＣＤＭＡ）システム、広帯域符号分割多元接続（ＷＣＤＭＡ（登録商標））システム、汎用パケット無線サービス（ＧＰＲＳ）システム、ロングタームエボリューション（ＬＴＥ）システム、ＬＴＥ周波数分割複信（ＦＤＤ）システム、ＬＴＥ時分割複信（ＴＤＤ）システム、ユニバーサルモバイル通信システム（ＵＭＴＳ）、および、直交周波数分割多重（ＯＦＤＭ）技術を使用する別の無線通信システムなどに適用され得る。
【０１１７】
本発明の実施形態の理解を容易にするべく、以下では最初に、本発明の実施形態における基本的な概念を説明する。説明のための例としてＬＴＥシステムが使用される。しかしながら、このことは、本発明の実施形態がＬＴＥシステムのみに適用されることを意味するものではない。実際には、本発明の実施形態において提供される解決法は、スケジューリングを用いてデータ伝送を実行する任意の無線通信システムにおいて使用できる。
【０１１８】
１．フレーム構造
【０１１９】
ＬＴＥシステムにおいて、各無線フレームは、１０個のサブフレームを含み、各サブフレームは１ｍｓの長さであり、２つのタイムスロット（スロットとも呼ばれる）を含む。
【０１２０】
標準サイクリックプレフィックス（ｎｏｒｍａｌ  ＣＰ）の場合、各スロットは、７つのシンボルを含む、すなわち、各スロットは、番号｛＃０、＃１、＃２、＃３、＃４、＃５、＃６｝を有するシンボルを含む。拡張巡回プレフィックス（ｅｘｔｅｎｄｅｄ  ＣＰ）の場合、各スロットは、６つのシンボルを含む、すなわち、各スロットは、番号｛＃０、＃１、＃２、＃３、＃４、＃５｝を有するシンボルを含む。
【０１２１】
本発明の実施形態において、アップリンクシンボルおよびダウンリンクシンボルは両方とも、簡単にシンボルと呼ばれる。アップリンクシンボルは、シングルキャリア周波数分割多元接続（ＳＣ−ＦＤＭＡ）シンボルと呼ばれ、ダウンリンクシンボルは、直交周波数分割多重（ＯＦＤＭ）シンボルと呼ばれる。直交周波数分割多元接続（ＯＦＤＭＡ）のアップリンク多元接続方式が以降の技術に導入される場合、アップリンクシンボルは、ＯＦＤＭシンボルとも呼ばれ得ることに留意されたい。アップリンク多元接続方式およびダウンリンク多元接続方式は、本発明において限定されない。
【０１２２】
２．物理チャネルおよび参照信号
【０１２３】
物理チャネルは、上位層からのデータ情報を搬送する。物理チャネルは、物理アップリンク共有チャネル（ＰＵＳＣＨ）、物理アップリンク制御チャネル（ＰＵＣＣＨ）、または、物理ダウンリンク共有チャネル（ＰＤＳＣＨ）であり得る。
【０１２４】
参照信号（ＲＳ）は、チャネル推定またはチャネル測定に使用される。例えば、参照信号はアップリンクのために使用される復調参照信号（ＤＭＲＳ）、サウンディング参照信号（ＳＲＳ）、ダウンリンクに使用されるセル固有参照信号（ＣＲＳ）、ダウンリンクに使用されるＵＥ固有参照信号（ＵＲＳ）、または、ダウンリンクに使用されるグループ固有参照信号（ＧＲＳ）であり得る。ＰＵＣＣＨ復調に使用されるＤＭＲＳは、ＰＵＣＣＨ  ＤＭＲＳと呼ばれ、ＰＵＳＣＨ復調に使用されるＤＭＲＳは、ＰＵＳＣＨ  ＤＭＲＳと呼ばれる。ＣＲＳは、セル内のすべての端末デバイスのためにネットワークデバイスによって構成されるＲＳであり、ＧＲＳは、一組の端末デバイスのためにネットワークデバイスによって構成されるＲＳであり、ＵＲＳは、特定の端末デバイスのために構成されるＲＳである。
【０１２５】
各物理チャネルは対応するＲＳを有し、これにより、ネットワークデバイスはＲＳに従ってチャネル推定を実行し、次に、推定されたチャネル値に従って物理チャネルを復調できる。したがって、本発明において、物理チャネルに対応するＲＳは、物理チャネルの復調に使用されるＲＳである。
【０１２６】
以下では、具体的な実装に関連して、図４に示される処理手順を詳細に説明する。処理手順の内容は以下の通りであり得る。
【０１２７】
段階４０１：端末デバイスが、ネットワークデバイスによって送信された物理層シグナリングを受信し、物理層シグナリングは構成情報を含み、構成情報は参照信号の時間領域リソースを指示するために使用される。
【０１２８】
段階４０２：端末デバイスが構成情報に従って、参照信号の時間領域リソース、および／または、第１物理チャネルの時間領域リソースを決定する。
【０１２９】
段階４０３：端末デバイスが、第１物理チャネルをネットワークデバイスへ送信する、または、端末デバイスが、ネットワークデバイスによって送信された第１物理チャネルを受信し、参照信号は第１物理チャネルの復調に使用される。
【０１３０】
物理層シグナリングは構成情報を含み、構成情報は参照信号の時間領域リソースを指示するために使用され、すなわち、物理層シグナリングは、参照信号の時間領域リソースを指示するために使用される情報を含む。任意で、構成情報は、参照信号の時間領域リソースを明示的に指示し得る。任意で、構成情報は、参照信号の時間領域リソースを暗黙的に指示し得る。例えば、構成情報は、第１物理チャネルによって占有される時間領域リソースを直接的に指示し、さらに、第１物理チャネルによって占有される時間領域リソースは、参照信号によって占有される時間領域リソースに暗黙的に対応し得る。
【０１３１】
参照信号は、第１物理チャネルの復調に使用される。任意で、第１物理チャネルは、例えばＰＵＳＣＨなどのアップリンク物理チャネルである。この場合、ネットワークデバイスは、参照信号に従って第１物理チャネルを復調する。任意で、第１物理チャネルはダウンリンク物理チャネル、例えばＰＤＳＣＨである。この場合、端末デバイスは参照信号に従って第１物理チャネルを復調する。
【０１３２】
任意で、物理層シグナリングはＤＣＩである。この場合、端末デバイスは、ネットワークデバイスによって送信されたＤＣＩを受信する。ＤＣＩは構成情報を含み、構成情報は、参照信号の時間領域リソースを指示するために使用される。任意で、ＤＣＩはさらに、第１物理チャネルの伝送を指示するために使用される。すなわち、ＤＣＩはさらに、第１物理チャネルをスケジューリングするために使用される。任意で、ＤＣＩは物理ダウンリンク制御チャネル（ＰＤＣＣＨ）上で搬送され、ＰＤＣＣＨは、Ｒｅｌ−８において定義されるＰＤＣＣＨ、Ｒｅｌ−１１において定義されるＥＰＤＣＣＨ、または、ＤＣＩを搬送するために使用され、別のリリースにおいて定義されるチャネルであり得る。任意で、ＤＣＩは半永続スケジューリング（ＳＰＳ）ＤＣＩである。
【０１３３】
任意で、物理層シグナリングはマルチキャストシグナリングであり、すなわち、物理層シグナリングは一組の端末デバイスへ送信されるか、または、物理層シグナリングはユニキャストシグナリングであり、すなわち、物理層シグナリングは１個の端末デバイスへ送信される。
【０１３４】
任意で、本発明のこの実施形態において、ＴＴＩの長さは１ｍｓより短い。例えば、ＴＴＩの長さは、０．５ｍｓ、１つのシンボルの長さ、２つのシンボルの長さ、３つのシンボルの長さ、または、４つのシンボルの長さである。
【０１３５】
任意で、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。すなわち、参照信号はＮ種類の異なる時間領域リソースを占有し得る。
【０１３６】
任意で、Ｎ種類の参照信号時間領域構成は予め定められる。端末デバイスはＮ種類の参照信号時間領域構成を予め記憶し得て、次に、端末デバイスは、ネットワークデバイスによって送信された物理層シグナリングを受信し、物理層シグナリングに含まれる構成情報に従って、参照信号によって占有される時間領域リソースを決定する。
【０１３７】
任意で、端末デバイスは、ネットワークデバイスによって送信された上位層シグナリングを受信し、上位層シグナリングは、Ｎ種類の参照信号時間領域構成を指示するために使用される。次に、端末デバイスは、ネットワークデバイスによって送信された物理層シグナリングを受信し、物理層シグナリングに含まれる構成情報に従って、参照信号によって占有される時間領域リソースを決定する。
【０１３８】
任意で、端末デバイスによって受信されたＤＣＩに含まれる構成情報は、Ｎ種類の参照信号時間領域構成のうちの１種類を指示し得て、Ｎは正の整数である。構成情報は、
【数１】
2019503625.tif 000034
または
【数２】
2019503625.tif 000035
ビットであり、すなわち、
【数１】
2019503625.tif 000036
または
【数２】
2019503625.tif 000037
ビットのＮ種類の状態は、Ｎ種類の参照信号時間領域リソース構成に対応し、
【数３】
2019503625.tif 000038
は切り上げを表す。例えば、Ｎが４であるとき、参照信号時間領域構成を指示するために２ビットの値が使用され得て、すなわち、４種類の状態、００、０１、１０、１１を使用することによって、４種類の異なる参照信号時間領域構成が指示され得る。
【０１３９】
実装において、端末デバイスは、ネットワークデバイスによって送信された、構成情報を含む物理層シグナリングを受信した後に、構成情報に従って、参照信号の時間領域リソース、および／または、第１物理チャネルの時間領域リソースを決定し得る。例えば、構成情報が、参照信号および第１物理チャネルが同一のＴＴＩに位置することを指示するとき、第１物理チャネルは、参照信号によって占有されるシンボルを除く、ＴＴＩにおけるすべてのシンボルを占有する、または、構成情報が、参照信号および第１物理チャネルが異なるＴＴＩに位置することを指示するとき、第１物理チャネルは、第１物理チャネルが位置するＴＴＩにおけるすべてのシンボルを占有する。
【０１４０】
以下では具体的に、参照信号の時間領域リソースのための構成情報によって指示される、参照信号の複数の任意の時間領域リソースを説明する。
【０１４１】
任意で、構成情報は、参照信号および第１物理チャネルが同一の伝送時間間隔ＴＴＩに位置する、または、第１物理チャネルが位置するＴＴＩの前のｋ番目のＴＴＩに参照信号が位置することを指示し、ｋは正の整数である。
【０１４２】
実装において、端末デバイスは、構成情報に従って、参照信号および第１物理チャネルが同一のＴＴＩに位置すると、または、第１物理チャネルが位置するＴＴＩの前のｋ番目のＴＴＩに参照信号が位置すると決定し、ｋは正の整数である。例えば、ｋは１、２、または３である。言い換えれば、端末デバイスは、参照信号の時間領域リソースのための構成情報に従って、第１物理チャネルが位置するＴＴＩの前のｋ番目のＴＴＩに参照信号が位置すると決定し、ｋは非負整数である。例えば、ｋは０、１、２、または３である。任意で、構成情報が、ｋは０であることを指示するとき、端末デバイスは、第１物理チャネルが、第１物理チャネルが位置するＴＴＩにおけるいくつかのシンボルを占有する（参照信号は当該いくつかのシンボルを占有しない）と決定し、または、構成情報が、ｋは０より大きいことを指示するとき、端末デバイスは、第１物理チャネルが、第１物理チャネルが位置するＴＴＩにおけるすべてのシンボルを占有すると決定する。
【０１４３】
参照信号が位置するＴＴＩと、第１物理チャネルが位置するＴＴＩとの間の関係に基づいて、以下では、複数の任意の参照信号時間領域構成の解決法を提供する。
【０１４４】
解決法１：Ｎは２である。この場合、構成情報は１ビットであり、すなわち、１ビットの２種類の異なる状態は、２種類の異なる参照信号時間領域構成を指示し得る。具体的には、１ビットの値「０」は、構成１を指示し得て、１ビットの値「１」は、構成２を指示し得る、または、１ビットの値「１」は、構成１を指示し得て、１ビットの値「０」は、構成２を指示し得る。図５ａに示されるように、構成１では、参照信号および第１物理チャネルが同一のＴＴＩに位置し得る。構成２では、参照信号および第１物理チャネルが異なるＴＴＩに位置し得る。例えば、図５ｂに示されるように、参照信号は、第１物理チャネルが位置するＴＴＩの前のＴＴＩに位置し得る。この場合、参照信号によって占有され、構成情報によって指示される時間領域リソースは、構成１または構成２であり得る。
【０１４５】
解決法２：Ｎは４である。この場合、構成情報は２ビットであり、すなわち、２ビットの４種類の異なる状態は、４種類の異なる参照信号時間領域構成を指示し得る。具体的には、４種類の異なる参照信号時間領域構成では、参照信号は、第１物理チャネルが位置するＴＴＩの前のｋ番目のＴＴＩに位置し得て、ｋは自然数であり、ｋは０、１、２、または３であり得る。すなわち、４種類の異なる参照信号時間領域構成は、参照信号が、第１物理チャネルが位置するＴＴＩの前の３番目のＴＴＩに位置すること、参照信号が、第１物理チャネルが位置するＴＴＩの前の２番目のＴＴＩに位置すること、参照信号が、第１物理チャネルが位置するＴＴＩの前の１番目のＴＴＩに位置すること、ならびに、参照信号および第１物理チャネルが同一のＴＴＩに位置することであり得る。例えば、第１物理チャネルがＴＴＩｉ＋３に位置する場合、構成１は、図６ａに示されるように、参照信号がＴＴＩｉに位置することであり得て、構成２は、図６ｂに示されるように、参照信号がＴＴＩｉ＋１に位置することであり得て、構成３は、図６ｃに示されるように、参照信号がＴＴＩｉ＋２に位置することであり得て、構成４は、図６ｄに示されるように、参照信号がＴＴＩｉ＋３に位置し、すなわち、参照信号および第１物理チャネルが同一のＴＴＩに位置することであり得る。ＴＴＩｉ、ＴＴＩｉ＋１、ＴＴＩｉ＋２、および、ＴＴＩｉ＋３は、同一のサブフレームに位置し得るか、または、異なるサブフレームに位置し得る。これは、本発明において限定されない。この場合、参照信号によって占有され、構成情報によって指示される時間領域リソースは、４種類の構成のうちの１つである。ネットワークデバイスは、要件に従って、構成の１つを選択し、物理層シグナリングを使用することによって端末デバイスに通知し得る。
【０１４６】
任意で、参照信号および第１物理チャネルは同一のＴＴＩに位置し、構成情報は、参照信号がＴＴＩにおける１番目のシンボル、または、最後のシンボルに位置することを指示するために使用される。
【０１４７】
実装において、端末デバイスは、構成情報に従って、参照信号および第１物理チャネルが同一のＴＴＩに位置すると、および、参照信号がＴＴＩにおける１番目のシンボルまたは最後のシンボルに位置すると決定する。すなわち、参照信号は、第１物理チャネルの前のシンボルに位置するか、または、参照信号は、第１物理チャネルの後のシンボルに位置する。任意で、端末デバイスは、構成情報に従って、第１物理チャネルがＴＴＩにおける１番目のシンボルまたは最後のシンボルを占有しないと決定する。この参照信号時間領域構成の解決法は、解決法３と呼ばれ得る。以下では、例を使用することによって解決法３を説明する。
【０１４８】
解決法３：Ｎは２である。この場合、構成情報は１ビットである。１ビットの指示方法は、解決法１と同一である。ここでは詳細を再度説明しない。構成１は、参照信号がＴＴＩにおける１番目のシンボルに位置することであり得て、構成２は、参照信号がＴＴＩにおける最後のシンボルに位置することであり得る。例えば、ＴＴＩが４つのシンボルを含み、かつ、第１物理チャネルが３つのシンボルを占有する場合、図７ａに示されるように、参照信号は、ＴＴＩにおける１番目のシンボルに位置し得る、または、図７ｂに示されるように、参照信号は、ＴＴＩにおける４番目のシンボルに位置し得る。
【０１４９】
任意で、構成情報は、参照信号がタイムスロットにおけるａ番目のシンボル、または、サブフレームにおけるｂ番目のシンボルに位置することを指示するために使用され、ａは６または７より大きくない正の整数であり、ｂは１２または１４より大きくない正の整数である。例えば、ａは１または４であり、ｂは１、４、８または１１である。別の例については、ａは１または３であり、ｂは１、３、７または９である。好ましくは、参照信号および第１物理チャネルは、同一のタイムスロットまたはサブフレームに位置する。
【０１５０】
実装において、端末デバイスは、構成情報に従って、参照信号がタイムスロットにおけるａ番目のシンボル、または、サブフレームにおけるｂ番目のシンボルに位置すると決定し、タイムスロットまたはサブフレームは、第１物理チャネルが位置するタイムスロットまたはサブフレームである。例えば、構成情報は、第１物理チャネルが位置するタイムスロットにおける１番目のシンボルまたは４番目のシンボルに参照信号が位置することを指示するために使用され得る。例えば、構成情報は、第１物理チャネルが位置するサブフレームにおける１番目のシンボル、４番目のシンボル、８番目のシンボル、または１１番目のシンボルに参照信号が位置することを指示するために使用され得る。任意で、端末デバイスは、構成情報に従って、第１物理チャネルがタイムスロットにおけるａ番目のシンボル、または、サブフレームにおけるｂ番目のシンボルを占有しないと決定する。この参照信号時間領域構成の解決法は、解決法４または解決法５と呼ばれ得る。以下では、例を使用することによって解決法４または解決法５を説明する。
【０１５１】
解決法４：Ｎは２である。この場合、構成情報は１ビットである。１ビットの指示方法は、解決法１と同一である。ここでは詳細を再度説明しない。構成１は、図８ａに示されるように、参照信号がタイムスロットにおける１番目のシンボルに位置することであり得る。構成２は、図８ｂに示されるように、参照信号がタイムスロットにおける４番目のシンボルに位置することであり得る。
【０１５２】
解決法５：Ｎは４である。この場合、２ビットの値は、参照信号時間領域構成を指示するために使用され得て、すなわち、２ビットの４種類の異なる状態は、４種類の異なる参照信号時間領域構成を指示し得る。具体的には、４種類の異なる参照信号時間領域構成は、図９ａに示されるように、参照信号が、第１物理チャネルが位置するサブフレームにおける１番目のシンボルに位置すること、図９ｂに示されるように、参照信号が、第１物理チャネルが位置するサブフレームにおける４番目のシンボルに位置すること、図９ｃに示されるように、参照信号が、第１物理チャネルが位置するサブフレームにおける８番目のシンボルに位置すること、および、図９ｄに示されるように、参照信号が、第１物理チャネルが位置するサブフレームにおける１１番目のシンボルに位置することであり得る。ネットワークデバイスは、要件に従って、構成の１つを選択し、物理層シグナリングを使用することによって端末デバイスに通知し得る。
【０１５３】
任意で、構成情報は、参照信号がタイムスロットにおけるｃ番目のシンボル、または、サブフレームにおけるｄ番目のシンボルに位置することを指示するために使用され、ｃは６または７より大きくない正の整数であり、ｄは１２または１４より大きくない正の整数である。好ましくは、参照信号および第１物理チャネルは、同一のタイムスロットまたはサブフレームに位置する。例えば、ｃは１または２であり、構成情報は、参照信号がタイムスロットにおける１番目のシンボル、または、タイムスロットにおける１番目のシンボルおよび４番目のシンボルに位置することを指示するために使用される。例えば、ｄは２または４であり、構成情報は、サブフレームにおける１番目のシンボルおよび８番目のシンボル、または、サブフレームにおける１番目のシンボル、４番目のシンボル、８番目のシンボルおよび１１番目のシンボルに参照信号が位置することを指示するために使用される。
【０１５４】
実装において、端末デバイスは、構成情報に従って、参照信号がタイムスロットにおけるｃ番目のシンボル、または、サブフレームにおけるｄ番目のシンボルに位置すると決定し、タイムスロットまたはサブフレームは、第１物理チャネルが位置するタイムスロットまたはサブフレームである。任意で、端末デバイスは、構成情報に従って、第１物理チャネルがタイムスロットにおけるｃ番目のシンボル、または、サブフレームにおけるｄ番目のシンボルを占有しないと決定する。この参照信号時間領域構成の解決法は、解決法６または解決法７と呼ばれ得る。以下では、例を使用することによって解決法６または解決法７を説明する。
【０１５５】
解決法６：Ｎは２である。この場合、構成情報は１ビットである。１ビットの指示方法は、解決法１と同一である。ここでは詳細を再度説明しない。構成１は、図１０ａに示されるように、参照信号がタイムスロットにおける１番目のシンボルに位置することであり得て、構成２は、図１０ｂに示されるように、参照信号がタイムスロットにおける１番目のシンボルおよび４番目のシンボルに位置することであり得る。
【０１５６】
解決法７：Ｎは２である。この場合、参照信号の時間領域リソースのための構成情報は１ビットである。１ビットの指示方法は、解決法１と同一である。ここでは詳細を再度説明しない。構成１は、参照信号がサブフレームにおける１番目のシンボルおよび８番目のシンボルに位置することであり得る。構成２は、参照信号がサブフレームにおける１番目のシンボル、４番目のシンボル、８番目のシンボルおよび１１番目のシンボルに位置することであり得る。
【０１５７】
任意で、構成情報はさらに、参照信号の周波数領域リソースを指示するために使用される。これに対応して、段階４０２における処理プロセスは、端末デバイスが構成情報に従って、参照信号の時間領域リソースおよび周波数領域リソースを決定することであり得る。任意で、構成情報は１または複数の情報フィールドを含む。例えば、構成情報は１つの情報フィールドを含み、情報フィールドは共同的な方式で、参照信号の時間領域リソースおよび周波数領域リソースを指示する。例えば、構成情報は２つの情報フィールドを含み、一方は、参照信号の時間領域リソースを指示するために使用され（情報フィールドに含まれるビットの数、および、参照信号の時間領域リソースを指示する方式の詳細については、上述の解決法を参照されたい）、他方は、参照信号の周波数領域リソースを指示するために使用される。
【０１５８】
任意で、構成情報はさらに、番号が偶数であるサブキャリア、または、番号が奇数であるサブキャリアに参照信号が位置することを指示するために使用され得る。これに対応して、段階４０２における処理プロセスは、以下の通りであり得る。端末デバイスが構成情報に従って参照信号の時間領域リソースを決定し、構成情報に従って、番号が偶数であるサブキャリア、または、番号が奇数であるサブキャリアに参照信号が位置すると決定する。任意で、構成情報は１または複数の情報フィールドを含む。具体的な内容については、上述の実施形態を参照されたい。ここでは詳細を再度説明しない。
【０１５９】
任意で、第１物理チャネルはアップリンク物理チャネル（例えば、ＰＵＳＣＨまたはＰＵＣＣＨ）であり、段階４０３は、端末デバイスが、参照信号および第１物理チャネルをネットワークデバイスへ送信する段階であって、参照信号は第１物理チャネルの復調に使用される、段階を含む。参照信号の送信と、第１物理チャネルの送信との間に時間的順序の関係は無いことに留意されたい。すなわち、端末デバイスは最初に参照信号を送信し、次に第１物理チャネルを送信し得る、または、最初に第１物理チャネルを送信し、次に参照信号を送信し得る。
【０１６０】
任意で、第１物理チャネルはダウンリンク物理チャネル（例えば、ＰＤＳＣＨ）であり、段階４０３は、端末デバイスが、ネットワークデバイスによって送信された参照信号および第１物理チャネルを受信する段階であって、参照信号は第１物理チャネルの復調に使用される、段階を含む。参照信号の受信と、第１物理チャネルの受信との間に時間的順序の関係は無いことに留意されたい。
【０１６１】
任意で、第１物理チャネルはアップリンク物理チャネル（例えば、ＰＵＳＣＨまたはＰＵＣＣＨ）であり、端末デバイスが、ネットワークデバイスによって送信された物理層シグナリングを受信する前、または、受信するとき、処理手順はさらに、端末デバイスが参照信号をネットワークデバイスへ送信することを含む。この場合、段階４０３は、端末デバイスが第１物理チャネルをネットワークデバイスへ送信することを含む。参照信号は、第１物理チャネルが位置するＴＴＩの前のｋ番目のＴＴＩ（ｋは０より大きい）に位置し得るので、端末デバイスによって受信された物理層シグナリングによって指示される参照信号は、端末デバイスによって送信された、または、送信されている参照信号であり得ることに留意されたい。この解決法は、現在の物理層シグナリングによってスケジューリングされた物理チャネルに対応する参照信号が、以前の物理層シグナリングによってスケジューリングされた物理チャネルに対応する参照信号と同一であるケースに適用される。この場合、端末デバイスが現在の物理層シグナリングを受信する前、または、受信するとき、現在の物理層シグナリングによってスケジューリングされた物理チャネルに対応する参照信号は、ネットワークデバイスへ送信済みである。したがって、現在の物理層シグナリングについては、端末デバイスは、物理チャネルのみを送信し得る。
【０１６２】
任意で、第１物理チャネルはダウンリンク物理チャネル（例えば、ＰＤＳＣＨ）であり、端末デバイスが、ネットワークデバイスによって送信された物理層シグナリングを受信する前、または、受信するとき、処理手順は、端末デバイスが、ネットワークデバイスによって送信された参照信号を受信することをさらに含む。この場合、段階４０３は、端末デバイスが、ネットワークデバイスによって送信された第１物理チャネルを受信することを含む。参照信号は、第１物理チャネルが位置するＴＴＩの前のｋ番目のＴＴＩ（ｋは０より大きい）に位置し得るので、端末デバイスによって受信された物理層シグナリングによって指示される参照信号は、端末デバイスによって受信された、または、受信されている参照信号であり得ることに留意されたい。
【０１６３】
任意で、端末デバイスはさらに、第２物理チャネルをネットワークデバイスへ送信し得る。これに対応して、処理プロセスは、以下の通りであり得る。端末デバイスが第２物理チャネルをネットワークデバイスへ送信し、参照信号は第２物理チャネルの復調に使用され、第１物理チャネルおよび第２物理チャネルは異なるＴＴＩに位置する。この場合、第１物理チャネルおよび第２物理チャネルは、同一の参照信号に対応し、参照信号は、ネットワークデバイスへ送信済みである。したがって、この場合、端末デバイスは、第２物理チャネルのみを送信し得る。
【０１６４】
任意で、端末デバイスはさらに、ネットワークデバイスによって送信された第２物理チャネルを受信し得る。これに対応して、処理プロセスは以下の通りであり得る。端末デバイスが、ネットワークデバイスによって送信された第２物理チャネルを受信し、参照信号は第２物理チャネルの復調に使用され、第１物理チャネルおよび第２物理チャネルは異なるＴＴＩに位置する。
【０１６５】
参照信号の時間領域リソースの上述の構成方式に基づいて、同一の端末デバイスについては、ネットワークデバイスが、異なる物理チャネルが異なるＴＴＩに位置するように構成する必要がある場合でも、同一の参照信号を異なる物理チャネルに構成できる。例えば、図１１に示されるように、同一の端末デバイスにスケジューリングされた第１物理チャネルおよび第２物理チャネルは、異なるシンボルに位置し、第１物理チャネルに対応する参照信号、および、第２物理チャネルに対応する参照信号は、同一の参照信号であり、すなわち、第１物理チャネルおよび第２物理チャネルに対応する参照信号は同一の時間領域リソースに位置する。従来技術において、各物理チャネルは、少なくとも１つの参照信号に対応する必要があり、すなわち、２つの異なる物理チャネルは少なくとも２つの参照信号を必要とする。従来技術と比較して、本発明における構成方式では、参照信号のオーバヘッドを減少させることができる。
【０１６６】
本発明のこの実施形態において、端末デバイスは、ネットワークデバイスによって送信された物理層シグナリングを受信し（物理層シグナリングは、参照信号の時間領域リソースを指示するために使用される構成情報を含む）、次に、構成情報に従って、参照信号の時間領域リソース、および／または、第１物理チャネルの時間領域リソースを決定する。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０１６７】
以下では、具体的な実装に関連して、図１２に示される処理手順を詳細に説明する。処理手順の内容は以下の通りであり得る。
【０１６８】
段階１２０１：ネットワークデバイスが第１物理層シグナリングを第１端末デバイスへ送信し、第１物理層シグナリングは第１構成情報を含み、第１構成情報は、第１参照信号の時間領域リソースを指示するために使用される。
【０１６９】
段階１２０２：ネットワークデバイスが、第１端末デバイスによって送信された第１物理チャネルを受信し、第１参照信号に従って第１物理チャネルを復調する、または、ネットワークデバイスが、第１物理チャネルを第１端末デバイスへ送信し、第１参照信号は、第１物理チャネルの復調に使用される。
【０１７０】
本発明のこの実施形態において、第１物理層シグナリング、第１ＤＣＩ、第１構成情報、および、第１参照信号はそれぞれ、段階４０１から段階４０３における、物理層シグナリング、ＤＣＩ、構成情報および参照信号に対応することに留意されたい。したがって、別段の規定が無い限り、第１物理層シグナリング、第１ＤＣＩ、第１構成情報および第１参照信号の内容は、段階４０１から段階４０３における物理層シグナリング、ＤＣＩ、構成情報および参照信号の内容と一致する。
【０１７１】
実装において、ネットワークデバイスは、参照信号の時間領域リソースを決定し、第１物理層シグナリングを第１端末デバイス（任意の端末デバイス、すなわち、図４において示されている手順において説明されている端末デバイスであり得る）へ送信し得て、第１物理層シグナリングは第１構成情報を含み、第１構成情報は、第１参照信号の時間領域リソースを指示するために使用され、すなわち、第１物理層シグナリングは、第１参照信号の時間領域リソースを指示するために使用される情報を含む。第１物理層シグナリングの具体的な内容については、段階４０１から段階４０３における物理層シグナリングの説明を参照されたい。ここでは詳細を再度説明しない。
【０１７２】
第１参照信号は、第１物理チャネルの復調に使用される。任意で、第１物理チャネルはアップリンク物理チャネル、例えばＰＵＳＣＨである。この場合、ネットワークデバイスは、第１参照信号に従って第１物理チャネルを復調する。任意で、第１物理チャネルはダウンリンク物理チャネル、例えばＰＤＳＣＨである。この場合、端末デバイスは、第１参照信号に従って第１物理チャネルを復調する。
【０１７３】
任意で、第１物理層シグナリングは第１ＤＣＩである。ネットワークデバイスは第１ＤＣＩを第１端末デバイスへ送信し、第１ＤＣＩは第１構成情報を含み、第１構成情報は第１参照信号の時間領域リソースを指示するために使用される。第１ＤＣＩの具体的な内容については、段階４０１から段階４０３におけるＤＣＩの説明を参照されたい。ここでは詳細を再度説明しない。
【０１７４】
任意で、第１物理層シグナリングはマルチキャストシグナリングであり、すなわち、第１物理層シグナリングは一組の端末デバイスへ送信されるか、または、第１物理層シグナリングはユニキャストシグナリングであり、すなわち、第１物理層シグナリングは１個の端末デバイスへ送信される。
【０１７５】
任意で、本発明のこの実施形態において、ＴＴＩの長さは１ｍｓより短い。例えば、ＴＴＩの長さは、０．５ｍｓ、１つのシンボルの長さ、２つのシンボルの長さ、３つのシンボルの長さ、または、４つのシンボルの長さである。
【０１７６】
任意で、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。すなわち、第１参照信号はＮ種類の異なる時間領域リソースを占有し得る。
【０１７７】
任意で、Ｎ種類の参照信号時間領域構成は予め定められ、すなわち、ネットワークデバイスは、Ｎ種類の参照信号時間領域構成を予め記憶し得る、または、任意で、ネットワークデバイスは、Ｎ種類の参照信号時間領域構成を構成し、上位層シグナリングを第１端末デバイスへ送信し、上位層シグナリングはＮ種類の参照信号時間領域構成を指示するために使用される。次に、ネットワークデバイスは、Ｎ種類の参照信号時間領域構成から１種類を選択し、第１物理層シグナリングを第１端末デバイスへ送信し、第１物理層シグナリングは、選択された参照信号時間領域構成を指示するために使用される。
【０１７８】
任意で、ネットワークデバイスによって送信された第１ＤＣＩに含まれる第１構成情報は、Ｎ種類の参照信号時間領域構成のうちの１種類を指示し得て、Ｎは正の整数である。第１構成情報の具体的な内容については、段階４０１から段階４０３における構成情報の説明を参照されたい。ここでは詳細を再度説明しない。
【０１７９】
実装において、ネットワークデバイスは、第１参照信号の時間領域リソースを決定した後に、第１構成情報を含む第１物理層シグナリングを第１端末デバイスへ送信し得る。例えば、第１構成情報が、第１参照信号および第１物理チャネルが同一のＴＴＩに位置することを指示するとき、第１物理チャネルは、第１参照信号によって占有されるシンボルを除く、ＴＴＩにおけるすべてのシンボルを占有する、または、第１構成情報が、第１参照信号および第１物理チャネルが異なるＴＴＩに位置することを指示するとき、第１物理チャネルは、第１物理チャネルが位置するＴＴＩにおけるすべてのシンボルを占有する。
【０１８０】
以下では具体的に、参照信号の時間領域リソースのための構成情報によって指示される、参照信号の複数の任意の時間領域リソースを説明する。
【０１８１】
任意で、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。例えば、ｋは１、２、または３である。言い換えれば、第１構成情報は、第１物理チャネルが位置するＴＴＩの前のｋ番目のＴＴＩに第１参照信号が位置することを指示し、ｋは非負整数である。例えば、ｋは０、１、２、または３である。任意で、第１構成情報が、ｋは０であることを指示するとき、第１物理チャネルは、第１物理チャネルが位置するＴＴＩにおけるいくつかのシンボルを占有する（第１参照信号は当該いくつかのシンボルを占有しない）、または、第１構成情報が、ｋは０より大きいことを指示するとき、第１物理チャネルは、第１物理チャネルが位置するＴＴＩにおけるすべてのシンボルを占有する。第１構成情報の具体的な内容については、段階４０１から段階４０３における解決法１および解決法２を参照されたい。ここでは詳細を再度説明しない。
【０１８２】
任意で、第１参照信号および第１物理チャネルは同一のＴＴＩに位置し、第１構成情報は、第１参照信号がＴＴＩにおける１番目のシンボル、または、最後のシンボルに位置することを指示するために使用される。第１構成情報の具体的な内容については、段階４０１から段階４０３における解決法３を参照されたい。ここでは詳細を再度説明しない。
【０１８３】
任意で、第１構成情報は、第１参照信号がタイムスロットにおけるａ番目のシンボル、または、サブフレームにおけるｂ番目のシンボルに位置することを指示するために使用され、ａは６または７より大きくない正の整数であり、ｂは１２または１４より大きくない正の整数である。例えば、ａは１または４であり、ｂは１、４、８または１１である。別の例については、ａは１または３であり、ｂは１、３、７または９である。好ましくは、第１参照信号および第１物理チャネルは、同一のタイムスロットまたはサブフレームに位置する。第１構成情報の具体的な内容については、段階４０１から段階４０３における解決法４および解決法５を参照されたい。ここでは詳細を再度説明しない。
【０１８４】
任意で、第１構成情報は、第１参照信号がタイムスロットにおけるｃ番目のシンボル、または、サブフレームにおけるｄ番目のシンボルに位置することを指示するために使用され、ｃは６または７より大きくない正の整数であり、ｄは１２または１４より大きくない正の整数である。好ましくは、第１参照信号および第１物理チャネルは、同一のタイムスロットまたはサブフレームに位置する。例えば、ｃは１または２であり、第１構成情報は、参照信号がタイムスロットにおける１番目のシンボル、または、タイムスロットにおける１番目のシンボルおよび４番目のシンボルに位置することを指示するために使用される。例えば、ｄは２または４であり、第１構成情報は、サブフレームにおける１番目のシンボルおよび８番目のシンボル、または、サブフレームにおける１番目のシンボル、４番目のシンボル、８番目のシンボルおよび１１番目のシンボルに参照信号が位置することを指示するために使用される。第１構成情報の具体的な内容については、段階４０１から段階４０３における解決法６および解決法７を参照されたい。ここでは詳細を再度説明しない。
【０１８５】
任意で、第１構成情報はさらに、第１参照信号の周波数領域リソースを指示するために使用され得る。任意で、第１構成情報は１または複数の情報フィールドを含み得る。具体的な内容については、構成情報がさらに参照信号の周波数領域リソースを指示するために使用される、段階４０１から段階４０３における内容を参照されたい。ここでは詳細を再度説明しない。
【０１８６】
任意で、第１構成情報はさらに、番号が偶数であるサブキャリア、または、番号が奇数であるサブキャリアに第１参照信号が位置することを指示するために使用され得る。任意で、構成情報は１または複数の情報フィールドを含む。具体的な内容については、上述の実施形態を参照されたい。ここでは詳細を再度説明しない。
【０１８７】
任意で、第１物理チャネルはアップリンク物理チャネル（例えば、ＰＵＳＣＨまたはＰＵＣＣＨ）であり、段階１２０２は、ネットワークデバイスが、第１端末デバイスによって送信された第１参照信号および第１物理チャネルを受信し、第１参照信号に従って第１物理チャネルを復調することを含み、第１参照信号は第１物理チャネルの復調に使用される。第１参照信号の受信と第１物理チャネルの受信との間に時間的順序の関係は無いことに留意されたい。すなわち、ネットワークデバイスは、最初に第１参照信号を受信し、次に第１物理チャネルを受信し得る、または、最初に第１物理チャネルを受信し、次に第１参照信号を受信し得る。
【０１８８】
任意で、第１物理チャネルはダウンリンク物理チャネル（例えば、ＰＤＳＣＨ）であり、段階１２０２は、ネットワークデバイスが、第１参照信号および第１物理チャネルを第１端末デバイスへ送信することを含み、第１参照信号は第１物理チャネルの復調に使用される。第１参照信号の送信と、第１物理チャネルの送信との間に時間的順序の関係は無いことに留意されたい。
【０１８９】
任意で、第１物理チャネルはアップリンク物理チャネル（例えば、ＰＵＳＣＨまたはＰＵＣＣＨ）であり、ネットワークデバイスが第１物理層シグナリングを第１端末デバイスへ送信する前、または、送信するとき、処理手順はさらに、ネットワークデバイスが、第１端末デバイスによって送信された第１参照信号を受信することを含む。この場合、段階１２０２は、ネットワークデバイスが、第１端末デバイスによって送信された第１物理チャネルを受信し、第１参照信号に従って第１物理チャネルを復調することを含む。第１参照信号は、第１物理チャネルが位置するＴＴＩの前のｋ番目のＴＴＩ（ｋは０より大きい）に位置し得るので、ネットワークデバイスによって送信された第１物理層シグナリングによって指示される第１参照信号は、ネットワークデバイスによって受信された、または、受信されている第１参照信号であり得ることに留意されたい。これは、第１物理チャネルのみが第１端末デバイスの側で送信されるケースに対応する。
【０１９０】
任意で、第１物理チャネルはダウンリンク物理チャネル（例えば、ＰＤＳＣＨ）であり、ネットワークデバイスが第１物理層シグナリングを第１端末デバイスへ送信する前、または、送信するとき、処理手順はさらに、ネットワークデバイスが第１参照信号を第１端末デバイスへ送信することを含む。この場合、段階１２０２は、ネットワークデバイスが第１物理チャネルを第１端末デバイスへ送信することを含む。第１参照信号は、第１物理チャネルが位置するＴＴＩの前のｋ番目のＴＴＩ（ｋは０より大きい）に位置し得るので、ネットワークデバイスによって第１端末デバイスへ送信された第１物理層シグナリングによって指示される第１参照信号は、ネットワークデバイスによって送信された、または、送信されている第１参照信号であり得ることに留意されたい。 
【０１９１】
任意で、ネットワークデバイスはさらに、第１端末デバイスによって送信された第２物理チャネルを受信し得る。これに対応して、処理プロセスは以下の通りであり得る。ネットワークデバイスが第１端末デバイスによって送信された第２物理チャネルを受信し、第１物理チャネルおよび第２物理チャネルは異なるＴＴＩに位置する。ネットワークデバイスが第１参照信号に従って第２物理チャネルを復調する。
【０１９２】
任意で、ネットワークデバイスはさらに、第２物理チャネルを第１端末デバイスへ送信し得る。これに対応して、処理プロセスは以下の通りであり得る。ネットワークデバイスが第２物理チャネルを第１端末デバイスへ送信し、第１参照信号は第２物理チャネルの復調に使用され、第１物理チャネルおよび第２物理チャネルは異なるＴＴＩに位置する。この場合、第１物理チャネルおよび第２物理チャネルは、同一の第１参照信号に対応し、第１参照信号は第１端末デバイスへ送信済みである。したがって、この場合、ネットワークデバイスは、第２物理チャネルのみを送信し得る。
【０１９３】
参照信号の時間領域リソースの上述の構成方式に基づいて、同一の端末デバイスについては、ネットワークデバイスが、異なる物理チャネルが異なるＴＴＩに位置するように構成する必要がある場合でも、同一の参照信号を異なる物理チャネルに構成できる。例えば、図１１に示されるように、同一の端末デバイスにスケジューリングされた第１物理チャネルおよび第２物理チャネルは、異なるシンボルに位置し、第１物理チャネルに対応する参照信号、および、第２物理チャネルに対応する参照信号は、同一の参照信号であり、すなわち、第１物理チャネルおよび第２物理チャネルに対応する参照信号は同一の時間領域リソースに位置する。従来技術において、各物理チャネルは、少なくとも１つの参照信号に対応する必要があり、すなわち、２つの異なる物理チャネルは少なくとも２つの参照信号を必要とする。従来技術と比較して、本発明における構成方式では、参照信号のオーバヘッドを減少させることができる。
【０１９４】
任意で、ネットワークデバイスはさらに、第２物理層シグナリングを第２端末デバイスへ送信し得る。これに対応して、処理プロセスは、ネットワークデバイスが第２物理層シグナリングを第２端末デバイスへ送信することであって、第２物理層シグナリングは第２構成情報を含み、第２構成情報は第２参照信号の時間領域リソースを指示するために使用される、こと、および、ネットワークデバイスが、第２端末デバイスによって送信された第３物理チャネルを受信し、第２参照信号に従って第３物理チャネルを復調する、または、ネットワークデバイスが、第３物理チャネルを第２端末デバイスへ送信することであって、第２参照信号は第３物理チャネルの復調に使用され、第２参照信号および第１参照信号は同一の時間領域リソースに位置し、第１物理チャネルおよび第３物理チャネルは異なるＴＴＩに位置する、ことであり得る。
【０１９５】
第２端末デバイスは、第１端末デバイス以外の任意の端末デバイスであり得る。
【０１９６】
実装において、ネットワークデバイスは、第２物理層シグナリングを第２端末デバイスへ送信し得て、第２物理層シグナリングは、第２構成情報を含み得て、第２構成情報は、第２参照信号の時間領域リソースを指示するために使用され得る。第２端末デバイスは、段階４０１から段階４０３に記載された方法に従って、第２参照信号の時間領域リソースを決定し、第２参照信号および第３物理チャネルをネットワークデバイスへ送信し得る、または、ネットワークデバイスによって送信された第２参照信号および第３物理チャネルを受信し得る。第３物理チャネルは、第２物理層シグナリングによってスケジューリングされる物理チャネルであり得て、第２参照信号に対応する物理チャネルである。ネットワークデバイスは、第２端末デバイスによって送信された第２参照信号および第３物理チャネルを受信し得るか、または、第２参照信号および第３物理チャネルを第２端末デバイスへ送信し得る。第２参照信号および第１参照信号は同一の時間領域リソースに位置し得て、異なる周波数領域リソースまたは符号領域リソースに位置し、第１物理チャネルおよび第３物理チャネルは異なるＴＴＩに位置する。
【０１９７】
参照信号の時間領域リソースの上述の構成方式に基づき、異なる端末デバイスについては、ネットワークデバイスが、異なる端末デバイスの物理チャネルが異なるＴＴＩに位置するように構成する必要がある場合でも、異なる端末デバイスの物理チャネルに対応する参照信号が同一の時間領域リソースに位置するように構成できる。例えば、図１３に示されるように、第１端末デバイスにスケジューリングされた第１物理チャネル、および、第２端末デバイスにスケジューリングされた第２物理チャネルは、異なるシンボルに位置し、第１物理チャネルに対応する第１参照信号、および、第２物理チャネルに対応する第２参照信号は、同一のシンボルに位置する。さらに、第１参照信号および第２参照信号は、異なる周波数領域リソースに位置し得る。例えば、第１参照信号は、番号が偶数であるサブキャリアに位置し得て、第２参照信号は、番号が奇数であるサブキャリアに位置し得る。代替的に、第１参照信号および第２参照信号は、異なる符号領域リソースに位置し得る。従来技術において、異なる時間領域リソースに位置する物理チャネルは、異なる参照信号に対応する必要があり、すなわち、２つの時間領域リソースに位置する物理チャネルは、少なくとも２つの参照信号を必要とする。従来技術と比較して、本発明における構成方式では、参照信号のオーバヘッドを減少させることができる。
【０１９８】
任意で、物理層シグナリングがＤＣＩであるケースについては、第２物理層シグナリングは第２ＤＣＩであり得る。
【０１９９】
任意で、第２物理層シグナリングはマルチキャストシグナリングであり、すなわち、第２物理層シグナリングは一組の端末デバイスへ送信されるか、または、第２物理層シグナリングはユニキャストシグナリングであり、すなわち、第２物理層シグナリングは１個の端末デバイスへ送信される。
【０２００】
任意で、第１物理層シグナリングおよび第２物理層シグナリングは同一の物理層シグナリングである。
【０２０１】
任意で、第１ＤＣＩおよび第２ＤＣＩは同一のＤＣＩである。ＤＣＩは複数の構成情報を含み、異なる構成情報は、異なる端末デバイスの参照信号の時間領域リソースおよび／または周波数領域リソースを指示する。例えば、複数の構成情報のうちの２つは、第１構成情報および第２構成情報である。
【０２０２】
本発明のこの実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０２０３】
以下では、実行主体がネットワークデバイスおよび端末デバイスである例を使用することによって、具体的な実装に関連して、図１４に示される、システムの処理手順を詳細に説明する。処理手順の内容は以下の通りであり得る。
【０２０４】
段階１４０１：ネットワークデバイスが物理層シグナリングを端末デバイスへ送信し、物理層シグナリングは構成情報を含み、構成情報は、参照信号の時間領域リソースを指示するために使用される。
【０２０５】
物理層シグナリングはＤＣＩであり得る。
【０２０６】
実装において、ネットワークデバイスは、参照信号の時間領域リソースを決定し、物理層シグナリングを端末デバイス（任意の端末デバイス、すなわち、図４に示される手順に記載されている端末デバイスであり得る）へ送信し得て、物理層シグナリングは構成情報を含み、構成情報は、参照信号の時間領域リソースを指示するために使用され、すなわち、物理層シグナリングは、参照信号の時間領域リソースを指示するために使用される情報を含む。物理層シグナリングの具体的な内容については、段階４０１から段階４０３における物理層シグナリングの説明を参照されたい。ここでは詳細を再度説明しない。
【０２０７】
段階１４０２：端末デバイスが、ネットワークデバイスによって送信された物理層シグナリングを受信し、物理層シグナリングは構成情報を含み、構成情報は参照信号の時間領域リソースを指示するために使用される。
【０２０８】
実装において、ネットワークデバイスが物理層シグナリングを端末デバイスへ送信した後に、端末デバイスは、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。
【０２０９】
段階１４０３：端末デバイスが構成情報に従って参照信号の時間領域リソースを決定する。
【０２１０】
実装において、端末デバイスは、ネットワークデバイスによって送信された物理層シグナリングを受信した後に、物理層シグナリングに含まれる構成情報に従って参照信号の時間領域リソースを決定し得る。具体的には、参照信号のＮ種類の予め定められた参照信号時間領域構成は、端末デバイスに予め記憶され得て、端末デバイスは、ネットワークデバイスによって送信された物理層シグナリングを受信した後に、物理層シグナリングに含まれる構成情報によって指示された構成方式に従って、参照信号の時間領域リソースを決定し得る。
【０２１１】
段階１４０４：端末デバイスが参照信号および物理チャネルをネットワークデバイスへ送信し、参照信号は、物理チャネルの復調に使用される。
【０２１２】
実装において、端末デバイスは、参照信号の時間領域リソースを決定した後に、参照信号および物理チャネルをネットワークデバイスへ送信し得て、参照信号は、物理チャネルの復調に使用され、すなわち、参照信号は、物理層シグナリングによってスケジューリングされる物理チャネルに対応する参照信号である。
【０２１３】
段階１４０５：ネットワークデバイスが、端末デバイスによって送信された参照信号および物理チャネルを受信する。
【０２１４】
実装において、端末デバイスが参照信号および物理チャネルをネットワークデバイスへ送信した後に、ネットワークデバイスは、端末デバイスによって送信された参照信号および物理チャネルを受信し得る。
【０２１５】
段階１４０６：ネットワークデバイスが参照信号に従って物理チャネルを復調する。
【０２１６】
実装において、ネットワークデバイスは、端末デバイスによって送信された参照信号および物理チャネルを受信した後に、物理チャネルに対応する参照信号に従って、物理チャネルを復調し得る。
【０２１７】
本発明のこの実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０２１８】
同一の概念に基づき、本発明の実施形態はさらに、端末デバイスを提供する。図２に示されているように、この実施形態において提供される端末デバイスは、本発明の図４および図１４に示される実施形態における手順を実装し得て、端末デバイスは受信器２１０、プロセッサ２２０および送信器２３０を備える。
【０２１９】
受信器２１０は、ネットワークデバイスによって送信された物理層シグナリングを受信するように構成され、物理層シグナリングは構成情報を含み、構成情報は参照信号の時間領域リソースを指示するために使用される。
【０２２０】
プロセッサ２２０は、受信器２１０によって受信された構成情報に従って、参照信号の時間領域リソースを決定するように構成されている。
【０２２１】
送信器２３０は、プロセッサ２２０によって決定された参照信号、および、第１物理チャネルをネットワークデバイスへ送信するように構成され、参照信号は、第１物理チャネルの復調に使用される。
【０２２２】
実装において、ネットワークデバイスが物理層シグナリングを端末デバイスへ送信した後に、受信器２１０は、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。受信器２１０がネットワークデバイスによって送信された物理層シグナリングを受信した後に、プロセッサ２２０は、物理層シグナリングに含まれる構成情報に従って参照信号の時間領域リソースを決定し得る。具体的には、参照信号のＮ種類の予め定められた参照信号時間領域構成は、端末デバイスに予め記憶され得て、受信器２１０が、ネットワークデバイスによって送信された物理層シグナリングを受信した後に、プロセッサ２２０は、物理層シグナリングに含まれる構成情報によって指示された構成方式に従って、参照信号の時間領域リソースを決定し得る。次に、送信器２３０は参照信号および第１物理チャネルをネットワークデバイスへ送信し得て、参照信号は、第１物理チャネルの復調に使用される。
【０２２３】
任意で、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０２２４】
任意で、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【０２２５】
実装において、端末デバイスは、構成情報に従って、参照信号および第１物理チャネルが同一のＴＴＩに位置すると、または、第１物理チャネルが位置するＴＴＩの前のｋ番目のＴＴＩに参照信号が位置すると決定し、ｋは正の整数である。例えば、ｋは１、２、または３である。言い換えれば、端末デバイスは、参照信号の時間領域リソースのための構成情報に従って、第１物理チャネルが位置するＴＴＩの前のｋ番目のＴＴＩに参照信号が位置すると決定し、ｋは非負整数である。例えば、ｋは０、１、２、または３である。任意で、構成情報が、ｋは０であることを指示するとき、端末デバイスは、第１物理チャネルが、第１物理チャネルが位置するＴＴＩにおけるいくつかのシンボルを占有する（参照信号は当該いくつかのシンボルを占有しない）と決定する、または、構成情報が、ｋは０より大きいことを指示するとき、端末デバイスは、第１物理チャネルが、第１物理チャネルが位置するＴＴＩにおけるすべてのシンボルを占有すると決定する。構成情報の具体的な内容については、段階４０１から段階４０３における解決法１および解決法２を参照されたい。ここでは詳細を再度説明しない。
【０２２６】
任意で、参照信号および第１物理チャネルは同一のＴＴＩに位置し、構成情報は、参照信号がＴＴＩにおける１番目のシンボル、または、最後のシンボルに位置することを指示するために使用される。
【０２２７】
実装において、端末デバイスは、構成情報に従って、参照信号および第１物理チャネルが同一のＴＴＩに位置すると、および、参照信号がＴＴＩにおける１番目のシンボルまたは最後のシンボルに位置すると決定する。すなわち、参照信号は、第１物理チャネルの前のシンボルに位置するか、または、参照信号は、第１物理チャネルの後のシンボルに位置する。任意で、端末デバイスは、構成情報に従って、第１物理チャネルがＴＴＩにおける１番目のシンボルまたは最後のシンボルを占有しないと決定する。構成情報の具体的な内容については、段階４０１から段階４０３における解決法３を参照されたい。ここでは詳細を再度説明しない。
【０２２８】
任意で、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８、または１１である。
【０２２９】
実装において、端末デバイスは、構成情報に従って、参照信号がタイムスロットにおけるａ番目のシンボル、または、サブフレームにおけるｂ番目のシンボルに位置すると決定し、タイムスロットまたはサブフレームは、第１物理チャネルが位置するタイムスロットまたはサブフレームである。例えば、構成情報は、第１物理チャネルが位置するタイムスロットにおける１番目のシンボルまたは４番目のシンボルに参照信号が位置することを指示するために使用され得る。例えば、構成情報は、第１物理チャネルが位置するサブフレームにおける１番目のシンボル、４番目のシンボル、８番目のシンボル、または１１番目のシンボルに参照信号が位置することを指示するために使用され得る。任意で、端末デバイスは、構成情報に従って、第１物理チャネルがタイムスロットにおけるａ番目のシンボル、または、サブフレームにおけるｂ番目のシンボルを占有しないと決定する。構成情報の具体的な内容については、段階４０１から段階４０３における解決法４および解決法５を参照されたい。ここでは詳細を再度説明しない。
【０２３０】
任意で、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【０２３１】
実装において、端末デバイスは、構成情報に従って、参照信号がタイムスロットにおけるｃ番目のシンボル、または、サブフレームにおけるｄ番目のシンボルに位置すると決定し、タイムスロットまたはサブフレームは、第１物理チャネルが位置するタイムスロットまたはサブフレームである。任意で、端末デバイスは、構成情報に従って、第１物理チャネルがタイムスロットにおけるｃ番目のシンボル、または、サブフレームにおけるｄ番目のシンボルを占有しないと決定する。構成情報の具体的な内容については、段階４０１から段階４０３における解決法６または解決法７を参照されたい。ここでは詳細を再度説明しない。
【０２３２】
任意で、送信器２３０はさらに、第２物理チャネルをネットワークデバイスへ送信するように構成され、参照信号は、第２物理チャネルの復調に使用され、第１物理チャネルおよび第２物理チャネルは、異なるＴＴＩに位置する。
【０２３３】
実装において、送信器２３０はさらに、第２物理チャネルをネットワークデバイスへ送信し得て、第１物理チャネルおよび第２物理チャネルは異なるＴＴＩに位置し、同一の参照信号に対応する。すなわち、参照信号は、第１物理チャネルの復調に使用され得て、また、第２物理チャネルの復調に使用され得る。
【０２３４】
任意で、構成情報はさらに、番号が偶数であるサブキャリア、または、番号が奇数であるサブキャリアに参照信号が位置することを指示するために使用される。
【０２３５】
プロセッサ２２０は、具体的には、構成情報に従って、参照信号の時間領域リソースを決定し、構成情報に従って、番号が偶数であるサブキャリア、または、番号が奇数であるサブキャリアに参照信号が位置すると決定するように構成される。
【０２３６】
実装において、構成情報はさらに、参照信号の周波数領域リソースを指示するために使用される。具体的には、構成情報は、番号が偶数であるサブキャリア、または、番号が奇数であるサブキャリアに参照信号が位置することを指示するために使用され得る。この場合、プロセッサ２２０は、構成情報に従って、参照信号の時間領域リソースを決定し、構成情報に従って、番号が偶数であるサブキャリア、または、番号が奇数であるサブキャリアに参照信号が位置すると決定するように構成され得る。
【０２３７】
任意で、物理層シグナリングは、ダウンリンク制御情報ＤＣＩであり、ＤＣＩはマルチキャストシグナリングである、または、ＤＣＩはユニキャストシグナリングである。
【０２３８】
同一の概念に基づき、本発明の実施形態はさらに、ネットワークデバイスを提供する。図３に示されるように、この実施形態において提供されるネットワークデバイスは、本発明の図１２および図１４において示される実施形態における手順を実装し得て、ネットワークデバイスは送信器３１０、受信器３２０およびプロセッサ３３０を含む。
【０２３９】
送信器３１０は、第１物理層シグナリングを第１端末デバイスへ送信するように構成され、第１物理層シグナリングは第１構成情報を含み、第１構成情報は、第１参照信号の時間領域リソースを指示するために使用される。
【０２４０】
受信器３２０は、第１端末デバイスによって送信された、第１参照信号および第１物理チャネルを受信するように構成されている。
【０２４１】
プロセッサ３３０は、受信器３２０によって受信された第１参照信号に従って第１物理チャネルを復調するように構成されている。
【０２４２】
物理層シグナリングはＤＣＩであり得る。
【０２４３】
実装において、プロセッサ３３０は、参照信号の時間領域リソースを決定し得て、送信器３１０は、第１物理層シグナリングを第１端末デバイス（任意の端末デバイス、すなわち、図４に示された手順に記載された端末デバイスであり得る）へ送信し得て、第１物理層シグナリングは第１構成情報を含み、第１構成情報は第１参照信号の時間領域リソースを指示するために使用され、すなわち、第１物理層シグナリングは、第１参照信号の時間領域リソースを指示するために使用される情報を含む。第１端末デバイスは、送信器３１０によって送信された物理層シグナリングを受信した後に、段階４０１から段階４０３における上述の方式に従って処理を実行し得る。第１端末デバイスが第１参照信号および第１物理チャネルをネットワークデバイスへ送信するとき、受信器３２０は、第１端末デバイスによって送信された第１参照信号および第１物理チャネルを受信し得る。プロセッサ３３０は、受信器３２０によって受信された第１参照信号に従って第１物理チャネルを復調し得る。
【０２４４】
任意で、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０２４５】
任意で、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【０２４６】
実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。例えば、ｋは１、２、または３である。言い換えれば、第１構成情報は、第１物理チャネルが位置するＴＴＩの前のｋ番目のＴＴＩに第１参照信号が位置することを指示し、ｋは非負整数である。例えば、ｋは０、１、２、または３である。任意で、第１構成情報が、ｋは０であることを指示するとき、第１物理チャネルは、第１物理チャネルが位置するＴＴＩにおけるいくつかのシンボルを占有する（第１参照信号は当該いくつかのシンボルを占有しない）、または、第１構成情報が、ｋは０より大きいことを指示するとき、第１物理チャネルは、第１物理チャネルが位置するＴＴＩにおけるすべてのシンボルを占有する。第１構成情報の具体的な内容については、段階４０１から段階４０３における解決法１および解決法２を参照されたい。ここでは詳細を再度説明しない。
【０２４７】
任意で、第１参照信号および第１物理チャネルは同一のＴＴＩに位置し、第１構成情報は、第１参照信号がＴＴＩにおける１番目のシンボル、または、最後のシンボルに位置することを指示するために使用される。
【０２４８】
実装において、第１情報参照信号および第１物理チャネルは、同一のＴＴＩに位置し、第１参照信号は、ＴＴＩにおける１番目のシンボルまたは最後のシンボルに位置する。すなわち、第１参照信号は、第１物理チャネルの前のシンボルに位置するか、または、第１参照信号は、第１物理チャネルの後のシンボルに位置する。任意で、第１構成情報は、第１物理チャネルがＴＴＩにおける１番目のシンボル、または、最後のシンボルを占有しないことを指示するために使用され得る。第１構成情報の具体的な内容については、段階４０１から段階４０３における解決法３を参照されたい。ここでは詳細を再度説明しない。
【０２４９】
任意で、第１参照信号および第１物理チャネルは、同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８、または１１である。
【０２５０】
実装において、第１構成情報は、第１参照信号がタイムスロットにおけるａ番目のシンボル、または、サブフレームにおけるｂ番目のシンボルに位置することを指示するために使用され、タイムスロットまたはサブフレームは、第１物理チャネルが位置するタイムスロットまたはサブフレームである。例えば、第１構成情報は、第１物理チャネルが位置するタイムスロットにおける１番目のシンボルまたは４番目のシンボルに第１参照信号が位置することを指示するために使用され得る。例えば、第１構成情報は、第１物理チャネルが位置するサブフレームにおける１番目のシンボル、４番目のシンボル、８番目のシンボル、または１１番目のシンボルに第１参照信号が位置することを指示するために使用され得る。任意で、第１構成情報は、第１物理チャネルが、タイムスロットにおけるａ番目のシンボル、または、サブフレームにおけるｂ番目のシンボルを占有しないことを指示するために使用され得る。構成情報の具体的な内容については、段階４０１から段階４０３における解決法４および解決法５を参照されたい。ここでは詳細を再度説明しない。
【０２５１】
任意で、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。構成情報の具体的な内容については、段階４０１から段階４０３における解決法６または解決法７を参照されたい。ここでは詳細を再度説明しない。
【０２５２】
任意で、受信器３２０はさらに、第１端末デバイスによって送信された第２物理チャネルを受信するように構成され、第１物理チャネルおよび第２物理チャネルは異なるＴＴＩに位置する。
【０２５３】
プロセッサ３３０はさらに、第１参照信号に従って第２物理チャネルを復調するように構成されている。
【０２５４】
実装において、第１端末デバイスが第２物理チャネルを送信するケースについては、受信器３２０はさらに、第１端末デバイスによって送信された第２物理チャネルを受信し得て、第１物理チャネルおよび第２物理チャネルは異なるＴＴＩに位置する。次に、プロセッサ３３０は、第１参照信号に従って第２物理チャネルを復調し得る。
【０２５５】
任意で、第１構成情報はさらに、番号が偶数であるサブキャリア、または、番号が奇数であるサブキャリアに第１参照信号が位置することを指示するために使用される。
【０２５６】
任意で、送信器３１０はさらに、第２物理層シグナリングを第２端末デバイスへ送信するように構成され、第２物理層シグナリングは第２構成情報を含み、第２構成情報は第２参照信号の時間領域リソースを指示するために使用される。
【０２５７】
受信器３２０はさらに、第２端末デバイスによって送信された第２参照信号および第３物理チャネルを受信するように構成され、第２参照信号および第１参照信号は同一の時間領域リソースに位置し、第１物理チャネルおよび第３物理チャネルは異なるＴＴＩに位置する。
【０２５８】
プロセッサ３３０はさらに、第２参照信号に従って、第３物理チャネルを復調するように構成されている。
【０２５９】
第２端末デバイスは、第１端末デバイス以外の任意の端末デバイスであり得る。
【０２６０】
実装において、送信器３１０は、第２物理層シグナリングを第２端末デバイスへ送信し得て、第２物理層シグナリングは、第２構成情報を含み得て、第２構成情報は、第２参照信号の時間領域リソースを指示するために使用され得る。第２端末デバイスは、段階４０１から段階４０３に記載された方法に従って、第２参照信号の時間領域リソースを決定し、第２参照信号および第３物理チャネルをネットワークデバイスへ送信し得る。第３物理チャネルは、第２物理層シグナリングによってスケジューリングされる物理チャネルであり得て、第２参照信号に対応する物理チャネルである。受信器３２０は、第２端末デバイスによって送信される第２参照信号および第３物理チャネルを受信し得て、第２参照信号および第１参照信号は、同一の時間領域リソースに位置し、異なる周波数領域リソースまたは符号領域リソースに位置し得て、第１物理チャネルおよび第３物理チャネルは異なるＴＴＩに位置する。次に、プロセッサ３３０は、第２参照信号に従って、第３物理チャネルを復調し得る。
【０２６１】
任意で、第１物理層シグナリングは第１ＤＣＩであり、第２物理層シグナリングは第２ＤＣＩであり、第１ＤＣＩまたは第２ＤＣＩまたは両方はユニキャストシグナリングである、または、第１ＤＣＩおよび第２ＤＣＩは同一のＤＣＩであり、マルチキャストシグナリングである。
【０２６２】
本発明のこの実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０２６３】
同一の技術的概念に基づき、本発明の実施形態はさらに、端末デバイスを提供する。図１５に示されるように、端末デバイスは、ネットワークデバイスによって送信された物理層シグナリングを受信するように構成されている受信モジュール１５１０であって、物理層シグナリングは構成情報を含み、構成情報は参照信号の時間領域リソースを指示するために使用される、受信モジュール１５１０と、受信モジュール１５１０によって受信された構成情報に従って、参照信号の時間領域リソースを決定するように構成されている決定モジュール１５２０と、決定モジュール１５２０によって決定された参照信号および第１物理チャネルをネットワークデバイスへ送信するように構成されている送信モジュール１５３０であって、参照信号は第１物理チャネルの復調に使用される、送信モジュール１５３０とを備える。
【０２６４】
実装において、ネットワークデバイスが物理層シグナリングを端末デバイスへ送信した後に、受信モジュール１５１０は、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。受信モジュール１５１０がネットワークデバイスによって送信された物理層シグナリングを受信した後に、決定モジュール１５２０は、物理層シグナリングに含まれる構成情報に従って参照信号の時間領域リソースを決定し得る。具体的には、参照信号のＮ種類の予め定められた参照信号時間領域構成は、端末デバイスに予め記憶され得て、受信モジュール１５１０がネットワークデバイスによって送信された物理層シグナリングを受信した後に、決定モジュール１５２０は、物理層シグナリングに含まれる構成情報によって指示された構成方式に従って、参照信号の時間領域リソースを決定し得る。次に、送信モジュール１５３０は参照信号および第１物理チャネルをネットワークデバイスへ送信し得て、参照信号は、第１物理チャネルの復調に使用される。
【０２６５】
任意で、構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０２６６】
任意で、構成情報は、参照信号および第１物理チャネルが同一の伝送時間間隔ＴＴＩに位置すること、または、第１物理チャネルが位置するＴＴＩの前のｋ番目のＴＴＩに参照信号が位置することを指示し、ｋは正の整数である。
【０２６７】
実装において、端末デバイスは、構成情報に従って、参照信号および第１物理チャネルが同一のＴＴＩに位置すると、または、第１物理チャネルが位置するＴＴＩの前のｋ番目のＴＴＩに参照信号が位置すると決定し、ｋは正の整数である。例えば、ｋは１、２、または３である。言い換えれば、端末デバイスは、参照信号の時間領域リソースのための構成情報に従って、第１物理チャネルが位置するＴＴＩの前のｋ番目のＴＴＩに参照信号が位置すると決定し、ｋは非負整数である。例えば、ｋは０、１、２、または３である。任意で、構成情報が、ｋは０であることを指示するとき、端末デバイスは、第１物理チャネルが、第１物理チャネルが位置するＴＴＩにおけるいくつかのシンボルを占有する（参照信号は当該いくつかのシンボルを占有しない）と決定する、または、構成情報が、ｋは０より大きいことを指示するとき、端末デバイスは、第１物理チャネルが、第１物理チャネルが位置するＴＴＩにおけるすべてのシンボルを占有すると決定する。構成情報の具体的な内容については、段階４０１から段階４０３における解決法１および解決法２を参照されたい。ここでは詳細を再度説明しない。
【０２６８】
任意で、参照信号および第１物理チャネルは同一のＴＴＩに位置し、構成情報は、参照信号がＴＴＩにおける１番目のシンボル、または、最後のシンボルに位置することを指示するために使用される。
【０２６９】
実装において、端末デバイスは、構成情報に従って、参照信号および第１物理チャネルが同一のＴＴＩに位置すると、および、参照信号がＴＴＩにおける１番目のシンボルまたは最後のシンボルに位置すると決定する。すなわち、参照信号は、第１物理チャネルの前のシンボルに位置するか、または、参照信号は、第１物理チャネルの後のシンボルに位置する。任意で、端末デバイスは、構成情報に従って、第１物理チャネルがＴＴＩにおける１番目のシンボルまたは最後のシンボルを占有しないと決定する。構成情報の具体的な内容については、段階４０１から段階４０３における解決法３を参照されたい。ここでは詳細を再度説明しない。
【０２７０】
任意で、参照信号および第１物理チャネルは同一のタイムスロットまたはサブフレームに位置し、構成情報は、参照信号がタイムスロットにおけるａ番目のシンボル、または、サブフレームにおけるｂ番目のシンボルに位置することを指示するために使用され、ａは１または４であり、ｂは１、４、８、または１１である。
【０２７１】
実装において、端末デバイスは、構成情報に従って、参照信号がタイムスロットにおけるａ番目のシンボル、または、サブフレームにおけるｂ番目のシンボルに位置すると決定し、タイムスロットまたはサブフレームは、第１物理チャネルが位置するタイムスロットまたはサブフレームである。例えば、構成情報は、第１物理チャネルが位置するタイムスロットにおける１番目のシンボルまたは４番目のシンボルに参照信号が位置することを指示するために使用され得る。例えば、構成情報は、第１物理チャネルが位置するサブフレームにおける１番目のシンボル、４番目のシンボル、８番目のシンボル、または１１番目のシンボルに参照信号が位置することを指示するために使用され得る。任意で、端末デバイスは、構成情報に従って、第１物理チャネルがタイムスロットにおけるａ番目のシンボル、または、サブフレームにおけるｂ番目のシンボルを占有しないと決定する。構成情報の具体的な内容については、段階４０１から段階４０３における解決法４および解決法５を参照されたい。ここでは詳細を再度説明しない。
【０２７２】
任意で、参照信号および第１物理チャネルは同一のタイムスロットに位置し、構成情報は、参照信号がタイムスロットにおける１番目のシンボル、または、タイムスロットにおける１番目のシンボルおよび４番目のシンボルに位置することを指示するために使用される。
【０２７３】
実装において、端末デバイスは、構成情報に従って、参照信号がタイムスロットにおけるｃ番目のシンボル、または、サブフレームにおけるｄ番目のシンボルに位置すると決定し、タイムスロットまたはサブフレームは、第１物理チャネルが位置するタイムスロットまたはサブフレームである。任意で、端末デバイスは、構成情報に従って、第１物理チャネルがタイムスロットにおけるｃ番目のシンボル、または、サブフレームにおけるｄ番目のシンボルを占有しないと決定する。構成情報の具体的な内容については、段階４０１から段階４０３における解決法６または解決法７を参照されたい。ここでは詳細を再度説明しない。
【０２７４】
任意で、送信モジュール１５３０はさらに、第２物理チャネルをネットワークデバイスへ送信するように構成され、参照信号は、第２物理チャネルの復調に使用され、第１物理チャネルおよび第２物理チャネルは、異なるＴＴＩに位置する。
【０２７５】
実装において、送信モジュール１５３０はさらに、第２物理チャネルをネットワークデバイスへ送信し得て、第１物理チャネルおよび第２物理チャネルは異なるＴＴＩに位置し、同一の参照信号に対応する。すなわち、参照信号は、第１物理チャネルの復調に使用され得て、また、第２物理チャネルの復調に使用され得る。
【０２７６】
任意で、構成情報はさらに、番号が偶数であるサブキャリア、または、番号が奇数であるサブキャリアに参照信号が位置することを指示するために使用される。
【０２７７】
決定モジュール１５２０は、具体的には、構成情報に従って、参照信号の時間領域リソースを決定し、構成情報に従って、番号が偶数であるサブキャリア、または、番号が奇数であるサブキャリアに参照信号が位置すると決定するように構成される。
【０２７８】
実装において、構成情報はさらに、参照信号の周波数領域リソースを指示するために使用される。具体的には、構成情報は、番号が偶数であるサブキャリア、または、番号が奇数であるサブキャリアに参照信号が位置することを指示するために使用され得る。この場合、決定モジュール１５２０は、構成情報に従って、参照信号の時間領域リソースを決定し、構成情報に従って、番号が偶数であるサブキャリア、または、番号が奇数であるサブキャリアに参照信号が位置すると決定するように構成され得る。
【０２７９】
任意で、物理層シグナリングは、ダウンリンク制御情報ＤＣＩであり、ＤＣＩはマルチキャストシグナリングである、または、ＤＣＩはユニキャストシグナリングである。
【０２８０】
同一の技術的概念に基づき、本発明の実施形態はさらに、ネットワークデバイスを提供する。図１６に示されるように、ネットワークデバイスは、第１物理層シグナリングを第１端末デバイスへ送信するように構成されている送信モジュール１６１０であって、第１物理層シグナリングは第１構成情報を含み、第１構成情報は第１参照信号の時間領域リソースを指示するために使用される、送信モジュール１６１０と、第１端末デバイスによって送信された第１参照信号および第１物理チャネルを受信するように構成されている受信モジュール１６２０と、受信モジュール１６２０によって受信された第１参照信号に従って、第１物理チャネルを復調するように構成されている復調モジュール１６３０とを備える。
【０２８１】
物理層シグナリングはＤＣＩであり得る。
【０２８２】
実装において、復調モジュール１６３０は、参照信号の時間領域リソースを決定し得て、送信モジュール１６１０は、第１物理層シグナリングを第１端末デバイス（任意の端末デバイス、すなわち、図４に示された手順に記載された端末デバイスであり得る）へ送信し得て、第１物理層シグナリングは第１構成情報を含み、第１構成情報は第１参照信号の時間領域リソースを指示するために使用され、すなわち、第１物理層シグナリングは、第１参照信号の時間領域リソースを指示するために使用される情報を含む。第１端末デバイスは、送信モジュール１６１０によって送信された物理層シグナリングを受信した後に、段階４０１から段階４０３における上述の方式に従って処理を実行し得る。第１端末デバイスが第１参照信号および第１物理チャネルをネットワークデバイスへ送信するとき、受信モジュール１６２０は、第１端末デバイスによって送信された第１参照信号および第１物理チャネルを受信し得る。復調モジュール１６３０は、受信モジュール１６２０によって受信された第１参照信号に従って第１物理チャネルを復調し得る。
【０２８３】
任意で、第１構成情報は、Ｎ種類の参照信号時間領域構成のうちの１種類を指示するために使用され、Ｎは正の整数であり、Ｎ種類の参照信号時間領域構成のうちの任意の２種類は、参照信号によって占有される異なる時間領域リソースを指示する。
【０２８４】
任意で、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。
【０２８５】
実装において、第１構成情報は、第１参照信号および第１物理チャネルが同一の伝送時間間隔ＴＴＩに位置すること、または、第１物理チャネルが位置するＴＴＩの前のｋ番目のＴＴＩに第１参照信号が位置することを指示し、ｋは正の整数である。例えば、ｋは１、２、または３である。言い換えれば、第１構成情報は、第１物理チャネルが位置するＴＴＩの前のｋ番目のＴＴＩに第１参照信号が位置することを指示し、ｋは非負整数である。例えば、ｋは０、１、２、または３である。任意で、第１構成情報が、ｋは０であることを指示するとき、第１物理チャネルは、第１物理チャネルが位置するＴＴＩにおけるいくつかのシンボルを占有する（第１参照信号は当該いくつかのシンボルを占有しない）、または、第１構成情報が、ｋは０より大きいことを指示するとき、第１物理チャネルは、第１物理チャネルが位置するＴＴＩにおけるすべてのシンボルを占有する。第１構成情報の具体的な内容については、段階４０１から段階４０３における解決法１および解決法２を参照されたい。ここでは詳細を再度説明しない。
【０２８６】
任意で、第１参照信号および第１物理チャネルは同一のＴＴＩに位置し、第１構成情報は、第１参照信号がＴＴＩにおける１番目のシンボル、または、最後のシンボルに位置することを指示するために使用される。
【０２８７】
実装において、第１情報参照信号および第１物理チャネルは、同一のＴＴＩに位置し、第１参照信号は、ＴＴＩにおける１番目のシンボルまたは最後のシンボルに位置する。すなわち、第１参照信号は、第１物理チャネルの前のシンボルに位置するか、または、第１参照信号は、第１物理チャネルの後のシンボルに位置する。任意で、第１構成情報は、第１物理チャネルがＴＴＩにおける１番目のシンボル、または、最後のシンボルを占有しないことを指示するために使用され得る。第１構成情報の具体的な内容については、段階４０１から段階４０３における解決法３を参照されたい。ここでは詳細を再度説明しない。
【０２８８】
任意で、第１参照信号および第１物理チャネルは、同一のタイムスロットまたはサブフレームに位置し、第１構成情報は、第１参照信号がタイムスロットにおけるａ番目のシンボル、または、サブフレームにおけるｂ番目のシンボルに位置することを指示するために使用され、ａは１または４であり、ｂは１、４、８、または１１である。
【０２８９】
実装において、第１構成情報は、第１参照信号がタイムスロットにおけるａ番目のシンボル、または、サブフレームにおけるｂ番目のシンボルに位置することを指示するために使用され、タイムスロットまたはサブフレームは、第１物理チャネルが位置するタイムスロットまたはサブフレームである。例えば、第１構成情報は、第１物理チャネルが位置するタイムスロットにおける１番目のシンボルまたは４番目のシンボルに第１参照信号が位置することを指示するために使用され得る。例えば、第１構成情報は、第１物理チャネルが位置するサブフレームにおける１番目のシンボル、４番目のシンボル、８番目のシンボル、または１１番目のシンボルに第１参照信号が位置することを指示するために使用され得る。任意で、第１構成情報は、第１物理チャネルが、タイムスロットにおけるａ番目のシンボル、または、サブフレームにおけるｂ番目のシンボルを占有しないことを指示するために使用され得る。構成情報の具体的な内容については、段階４０１から段階４０３における解決法４および解決法５を参照されたい。ここでは詳細を再度説明しない。
【０２９０】
任意で、第１参照信号および第１物理チャネルは同一のタイムスロットに位置し、第１構成情報は、第１参照信号がタイムスロットにおける１番目のシンボル、または、タイムスロットにおける１番目のシンボルおよび４番目のシンボルに位置することを指示するために使用される。構成情報の具体的な内容については、段階４０１から段階４０３における解決法６または解決法７を参照されたい。ここでは詳細を再度説明しない。
【０２９１】
任意で、受信モジュール１６２０はさらに、第１端末デバイスによって送信された第２物理チャネルを受信するように構成され、第１物理チャネルおよび第２物理チャネルは異なるＴＴＩに位置する。
【０２９２】
復調モジュール１６３０はさらに、第１参照信号に従って第２物理チャネルを復調するように構成されている。
【０２９３】
実装において、第１端末デバイスが第２物理チャネルを送信するケースについては、受信モジュール１６２０はさらに、第１端末デバイスによって送信された第２物理チャネルを受信し得て、第１物理チャネルおよび第２物理チャネルは異なるＴＴＩに位置する。次に、復調モジュール１６３０は、第１参照信号に従って第２物理チャネルを復調し得る。
【０２９４】
任意で、第１構成情報はさらに、番号が偶数であるサブキャリア、または、番号が奇数であるサブキャリアに第１参照信号が位置することを指示するために使用される。
【０２９５】
任意で、送信モジュール１６１０はさらに、第２物理層シグナリングを第２端末デバイスへ送信するように構成され、第２物理層シグナリングは第２構成情報を含み、第２構成情報は第２参照信号の時間領域リソースを指示するために使用される。
【０２９６】
受信モジュール１６２０はさらに、第２端末デバイスによって送信された第２参照信号および第３物理チャネルを受信するように構成され、第２参照信号および第１参照信号は同一の時間領域リソースに位置し、第１物理チャネルおよび第３物理チャネルは異なるＴＴＩに位置する。
【０２９７】
復調モジュール１６３０はさらに、第２参照信号に従って第３物理チャネルを復調するように構成されている。
【０２９８】
第２端末デバイスは、第１端末デバイス以外の任意の端末デバイスであり得る。
【０２９９】
実装において、送信モジュール１６１０は、第２物理層シグナリングを第２端末デバイスへ送信し得て、第２物理層シグナリングは、第２構成情報を含み得て、第２構成情報は、第２参照信号の時間領域リソースを指示するために使用され得る。第２端末デバイスは、段階４０１から段階４０３に記載された方法に従って、第２参照信号の時間領域リソースを決定し、第２参照信号および第３物理チャネルをネットワークデバイスへ送信し得る。第３物理チャネルは、第２物理層シグナリングによってスケジューリングされる物理チャネルであり得て、第２参照信号に対応する物理チャネルである。受信モジュール１６２０は、第２端末デバイスによって送信される第２参照信号および第３物理チャネルを受信し得て、第２参照信号および第１参照信号は、同一の時間領域リソースに位置し、異なる周波数領域リソースまたは符号領域リソースに位置し得て、第１物理チャネルおよび第３物理チャネルは異なるＴＴＩに位置する。次に、復調モジュール１６３０は、第２参照信号に従って、第３物理チャネルを復調し得る。
【０３００】
任意で、第１物理層シグナリングは第１ＤＣＩであり、第２物理層シグナリングは第２ＤＣＩであり、第１ＤＣＩまたは第２ＤＣＩまたは両方はユニキャストシグナリングである、または、第１ＤＣＩおよび第２ＤＣＩは同一のＤＣＩであり、マルチキャストシグナリングである。
【０３０１】
本発明のこの実施形態において、ネットワークデバイスは、第１物理層シグナリングを第１端末デバイスへ送信し、第１物理層シグナリングは、第１参照信号の時間領域リソースを指示するために使用される構成情報を含み、そして、第１端末デバイスは、構成情報に従って、第１参照信号の時間領域リソース、および／または、第１物理チャネルの時間領域リソースを決定し得る。したがって、ネットワークデバイスは、参照信号構成の柔軟性を向上させるべく、参照信号の時間領域リソースを動的に構成できる。例えば、参照信号のオーバヘッドを減少させ、システム容量を増加させるべく、ネットワークデバイスは、特にＴＴＩの長さが１ｍｓより短いとき、１つの参照信号が複数の物理チャネルの復調に使用されるように構成し得る。例えば、チャネル推定性能が低く、かつ、参照信号のオーバヘッドを増加させる必要があるとき、ネットワークデバイスは、１つのタイムスロットにおいて、参照信号が少なくとも２つのシンボルの時間領域リソースを占有するように構成し得る。
【０３０２】
同一の技術的概念に基づき、本発明の実施形態はさらに、参照信号伝送システムを提供する。この実施形態において提供されるシステムは、本発明の図４、図１２および図１４に示される実施形態における手順を実装し得る。システムは、端末デバイスおよびネットワークデバイスを備え、端末デバイスは、図２および図１５に示される実施形態における端末デバイスであり、ネットワークデバイスは、図３および図１６において示される実施形態におけるネットワークデバイスである。
【０３０３】
端末デバイスは、ネットワークデバイスによって送信された物理層シグナリングを受信することであって、物理層シグナリングは構成情報を含み、構成情報は参照信号の時間領域リソースを指示するために使用される、こと、構成情報に従って、参照信号の時間領域リソースを決定すること、ならびに、参照信号および第１物理チャネルをネットワークデバイスへ送信することであって、参照信号は第１物理チャネルの復調に使用される、ことを行うように構成されている。
【０３０４】
ネットワークデバイスは、物理層シグナリングを端末デバイスへ送信するように構成され、物理層シグナリングは構成情報を含み、構成情報は、参照信号の時間領域リソースを指示し、端末デバイスによって送信された参照信号および第１物理チャネルを受信し、参照信号に従って第１物理チャネルを復調するために使用される。
【０３０５】
物理層シグナリングはＤＣＩであり得る。
【０３０６】
実装において、ネットワークデバイスは、参照信号の時間領域リソースを決定し、物理層シグナリングを端末デバイス（任意の端末デバイス、すなわち、図４に示される手順に記載されている端末デバイスであり得る）へ送信し得て、物理層シグナリングは構成情報を含み、構成情報は、参照信号の時間領域リソースを指示するために使用され、すなわち、物理層シグナリングは、参照信号の時間領域リソースを指示するために使用される情報を含む。物理層シグナリングの具体的な内容については、段階４０１から段階４０３における物理層シグナリングの説明を参照されたい。ここでは詳細を再度説明しない。ネットワークデバイスが物理層シグナリングを端末デバイスへ送信した後に、端末デバイスは、ネットワークデバイスによって送信された物理層シグナリングを受信し得て、物理層シグナリングは構成情報を含み、構成情報は物理層シグナリングによってスケジューリングされた物理チャネルに対応する参照信号の時間領域リソースを指示するために使用される。端末デバイスは、ネットワークデバイスによって送信された物理層シグナリングを受信した後に、物理層シグナリングに含まれる構成情報に従って参照信号の時間領域リソースを決定し得る。具体的には、参照信号のＮ種類の予め定められた参照信号時間領域構成は、端末デバイスに予め記憶され得て、端末デバイスは、ネットワークデバイスによって送信された物理層シグナリングを受信した後に、物理層シグナリングに含まれる構成情報によって指示された構成方式に従って、参照信号の時間領域リソースを決定し得る。端末デバイスが、参照信号の時間領域リソースを決定した後に、参照信号および物理チャネルをネットワークデバイスへ送信し得て、参照信号は、物理チャネルの復調に使用され、すなわち、参照信号は、物理層シグナリングによってスケジューリングされる物理チャネルに対応する参照信号である。端末デバイスが参照信号および物理チャネルをネットワークデバイスへ送信した後に、ネットワークデバイスは、端末デバイスによって送信された参照信号および物理チャネルを受信し得る。ネットワークデバイスは、端末デバイスによって送信された参照信号および物理チャネルを受信した後に、物理チャネルに対応する参照信号に従って、物理チャネルを復調し得る。
【０３０７】
当業者であれば、実施形態のステップの全部または一部は、ハードウェアまたは関連するハードウェアに命令するプログラムによって実装され得ることを理解し得る。プログラムは、コンピュータ可読記憶媒体に記憶され得る。記憶媒体は、リードオンリーメモリ、磁気ディスク、光ディスク、または同様のものであり得る。 
【０３０８】
上述の説明は、本発明の実施形態に過ぎず、本発明を限定することは意図されていない。本発明の精神および本質から逸脱することなく行われる、いかなる修正、均等な置換、改善等も本発明の保護範囲内に含まれるものとする。
【国際調査報告】
2019503625.tif 000039
2019503625.tif 000040
2019503625.tif 000041
2019503625.tif 000042